(57)【要約】【課題】本発明は、ユーザーが予め設定した条件に応じて、若しくは、画像データの転送元となるフロントシステムの状態に応じて消費エネルギー抑制運転への切換を行い、記録効率とエネルギーロスのバランスを取りつつ、トータルの消費エネルギーを抑制可能な画像記録装置を提供する。【解決手段】画像データを一時記憶する記憶装置と、当該記憶装置の画像データを順次読み出し出力して記録材上に画像データを記録する処理を行うための各機構と、を備えた画像記録装置である。前記記憶装置に対する前記画像データの入力処理若しくは出力処理が行われない場合に、前記記憶装置内の各部の駆動を停止して消費電力を抑制するように制御する制御手段を有する。【選択図】  図１６
2004166094.tif 000002
【特許請求の範囲】
【請求項１】
画像データを一時記憶する記憶装置と、当該記憶装置の画像データを順次読み出し出力して記録材上に画像データを記録する処理を行うための各機構と、を備えた画像記録装置であって、
前記記憶装置に対する前記画像データの入力処理若しくは出力処理が行われない場合に、前記記憶装置内の各部の駆動を停止して消費電力を抑制するように制御する制御手段を備えたことを特徴とする画像記録装置。
【請求項２】
前記画像記録装置と通信網を介して通信可能に形成された管理装置との間で通信を行う通信手段をさらに有し、
前記制御手段は、前記管理装置からの前記入力処理又は前記出力処理に関するアクセス要求が前記通信手段にて特定の期間受信されない場合に、前記記憶装置内の各部の駆動を停止するように制御することを特徴とする請求項１に記載の画像記録装置。
【請求項３】
前記画像データを記録する処理の実行ないしは各種処理を指示するための操作手段をさらに有し、
前記制御手段は、前記操作手段の操作入力が特定の期間行われない場合に、前記記憶装置内の各部の駆動を停止するように制御することを特徴とする請求項１又は請求項２に記載の画像記録装置。
【請求項４】
前記記憶装置内の各部の駆動を停止して消費電力を抑制する記憶装置停止モードと、通常の処理がなされる通常モードとを切換指定する第１省電力モード設定手段を有し、
前記制御手段は、前記第１省電力モード設定手段において前記記憶装置停止モードに切換えられた場合に、前記記憶装置内の各部の駆動を停止制御することを特徴とする請求項１乃至請求項３のうちいずれか一項に記載の画像記録装置。
【請求項５】
前記記憶装置に対する前記画像データの入力処理若しくは出力処理が完了するとカウントを開始し、前記入力処理若しくは前記出力処理が開始されると前記カウントをクリアする計数手段を有し、
前記制御手段は、予め設定された特定期間が経過して前記計数手段によるカウントが終了すると、前記記憶装置内の各部の駆動を停止する制御を開始することを特徴とする請求項１乃至請求項４のうちいずれか一項に記載の画像記録装置。
【請求項６】
前記特定期間を設定することで省電力運転に至るまでの期間を設定する期間設定手段を有し、
前記制御手段は、前記期間設定手段により設定された期間経過後に、前記記憶装置内の各部の駆動を停止する制御を行うことを特徴とする請求項５に記載の画像記録装置。
【請求項７】
前記制御手段は、前記管理装置にて前記画像記録装置に対する画像記録処理に関するジョブがない場合に前記管理装置から送信されるスタンバイ要求を前記通信手段が受信すると、前記記憶装置内の各部の駆動を停止する制御を行うことを特徴とする請求項２に記載の画像記録装置。
【請求項８】
前記制御手段は、前記記憶装置に一時記憶される画像データが当該記憶装置にない場合に、前記記憶装置内の各部の駆動を停止制御することを特徴とする請求項１乃至請求項７のうちいずれか一項に記載の画像記録装置。
【請求項９】
前記管理装置との間で接続された信号線を介して前記管理装置の状態を監視することで前記管理装置の電源状態を認識する電源状態認識手段をさらに有し、
前記制御手段は、前記電源状態認識手段が前記管理装置の電源状態が遮断されたないしは前記信号線が遮断された旨を認識した場合に、前記記憶装置内の各部の駆動を停止制御することを特徴とする請求項２に記載の画像記録装置。
【請求項１０】
前記記憶装置は、複数の磁気ディスクを含み、
前記制御手段は、当該画像記録装置の処理状態に応じて、各前記磁気ディスクの各駆動動作を個別に各々停止可能に制御することを特徴とする請求項１乃至請求項９のうちいずれか一項に記載の画像記録装置。
【請求項１１】
波長の異なる複数の光源によって感光材料を含む記録材を感光させることで、画像データの露光記録を行う露光処理手段と、前記露光処理手段にて露光された前記記録材を現像処理する現像処理手段と、を備え、前記露光処理および現像処理により前記画像データを前記記録材に画像記録処理を行う画像記録装置であって、
前記画像記録処理が行われない場合に、前記現像処理手段の各部を停止して消費電力を抑制するように制御する制御手段を備えたことを特徴とする画像記録装置。
【請求項１２】
前記画像記録装置と通信網を介して通信可能に形成された管理装置との間で通信を行う通信手段をさらに有し、
前記制御手段は、前記管理装置からの前記画像記録処理に関するアクセス要求が前記通信手段にて特定の期間受信されない場合に、前記現像処理手段の各部を停止するように制御することを特徴とする請求項１１に記載の画像記録装置。
【請求項１３】
前記画像データを記録する処理の実行ないしは各種処理を指示するための操作手段をさらに有し、
前記制御手段は、前記操作手段の操作入力が特定の期間行われない場合に、前記現像処理手段の各部を停止するように制御することを特徴とする請求項１１又は請求項１２に記載の画像記録装置。
【請求項１４】
前記現像処理手段の各部を停止して消費電力を抑制する現像処理停止モードと、通常の処理がなされる通常モードとを切換指定する第２省電力モード設定手段を有し、
前記制御手段は、前記第２省電力モード設定手段において前記現像処理停止モードに切換えられた場合に、前記現像処理手段内の各部を停止するように制御することを特徴とする請求項１１乃至請求項１３のうちいずれか一項に記載の画像記録装置。
【請求項１５】
画像データを一時記憶し、当該記憶された画像データを順次読み出し出力して前記露光処理手段にて露光記録を行うための画像データ記憶手段と、
前記画像データ記憶手段に対する前記画像データの入力処理若しくは出力処理が完了するとカウントを開始し、前記入力処理若しくは前記出力処理が開始されると前記カウントをクリアする計数手段と、
を有し、
前記制御手段は、予め設定された特定期間が経過して前記計数手段によるカウントが終了すると、前記現像処理手段の各部を停止する制御を行うことを特徴とする請求項１１乃至請求項１４のうちいずれか一項に記載の画像記録装置。
【請求項１６】
前記特定期間を設定することで省電力運転に至るまでの期間を設定する期間設定手段を有し、
前記制御手段は、前記期間設定手段により設定された期間経過後に、前記現像処理手段の各部の駆動を停止する制御を行うことを特徴とする請求項１５に記載の画像記録装置。
【請求項１７】
前記制御手段は、前記管理装置にて前記画像記録装置に対する画像記録処理に関するジョブがない場合に前記管理装置から送信されるスタンバイ要求を前記通信手段が受信すると、前記現像処理手段の各部を停止する制御を行うことを特徴とする請求項１２に記載の画像記録装置。
【請求項１８】
前記画像データを一時記憶し、当該記憶された画像データを順次読み出し出力して前記露光処理手段にて露光記録を行うための画像データ記憶手段を有し、
前記制御手段は、前記画像データ記憶手段に一時記憶される画像データが当該画像データ記憶手段にない場合に、前記現像処理手段の各部を停止制御することを特徴とする請求項１１乃至請求項１７のうちいずれか一項に記載の画像記録装置。
【請求項１９】
前記管理装置との間で接続された信号線を介して前記管理装置の状態を監視することで前記管理装置の電源状態を認識する電源状態認識手段をさらに有し、
前記制御手段は、前記電源状態認識手段が前記管理装置の電源状態が遮断されたないしは前記信号線が遮断された旨を認識した場合に、前記現像処理手段の各部を停止制御することを特徴とする請求項１２に記載の画像記録装置。
【請求項２０】
前記制御手段は、当該画像記録装置の処理状態に応じて、前記現像処理手段の各部を個別に停止制御可能であることを特徴とする請求項１１乃至請求項１９のうちいずれか一項に記載の画像記録装置。
【請求項２１】
前記各部は、前記現像処理において前記記録材を搬送する搬送駆動部を含み、
前記制御手段は、前記画像データの入力処理若しくは出力処理が行われない場合に、前記搬送駆動部を停止するように制御することを特徴とする請求項２０に記載の画像記録装置。
【請求項２２】
前記一部は、現像処理を行う現像部、現像された前記記録材を定着処理する定着部、現像された前記記録材を乾燥処理する乾燥部の各加熱部を含み、
前記制御手段は、前記画像データの入力処理若しくは出力処理が行われない場合に、各前記加熱部を停止制御することを特徴とする請求項２０に記載の画像記録装置。
【請求項２３】
前記一部は、現像処理を行う現像部、現像された前記記録材を定着処理する定着部、定着処理された前記記録材を安定化処理する安定部の各処理液を各々供給する各処理液供給部を含み、
前記制御手段は、前記画像データの入力処理若しくは出力処理が行われない場合に、各前記処理液供給部を停止制御することを特徴とする請求項２０に記載の画像記録装置。
【請求項２４】
画像データを一時記憶する画像データ記憶手段と、
波長の異なる複数の光源によって感光材料を含む記録材を感光させることで、前記画像データの露光記録を行う露光処理手段と、
前記露光処理手段にて露光された前記記録材を現像処理する現像処理手段と、
を備え、前記露光処理および現像処理により前記画像データを前記記録材に画像記録処理を行う画像記録装置であって、
前記画像データ記憶手段に対する前記画像データの入力処理若しくは出力処理が行われない場合に、前記現像処理手段を構成する各部のうち一部を停止するとともに、前記画像データ記憶手段内の各部の駆動を停止して消費電力を抑制するように制御する制御手段を備えたことを特徴とする画像記録装置。
【請求項２５】
前記一部は、前記現像処理において前記記録材を搬送する搬送駆動部を含み、
前記制御手段は、前記画像データの入力処理若しくは出力処理が行われない場合に、前記搬送駆動部を停止するように制御することを特徴とする請求項２４に記載の画像記録装置。
【請求項２６】
前記一部は、現像された前記記録材を乾燥処理する乾燥部を含み、
前記制御手段は、前記画像データの入力処理若しくは出力処理が行われない場合に、前記乾燥部を現像処理時の第１の温度から当該第１の温度より低い第２の温度となるように制御することを特徴とする請求項２４に記載の画像記録装置。
【請求項２７】
前記画像データ記憶手段内の各部の駆動を停止し、かつ、前記現像処理手段を構成する前記搬送駆動部を停止し、前記現像処理手段を構成する前記乾燥部を前記第２の温度となるようにして消費電力を抑制するセーブコントロールモードと、通常の処理がなされる通常モードとを切換指定する第３省電力モード設定手段を有し、
前記制御手段は、前記第３省電力モード設定手段において前記セーブコントロールモードに切換えられた場合に、前記画像データ記憶手段内の各部の駆動を停止制御することを特徴とする請求項２５、請求項２６に記載の画像記録装置。
【請求項２８】
波長の異なる複数の光源によって感光材料を含む記録材を感光させることで、画像データの露光記録を行う露光処理手段と、
前記露光処理手段にて露光された前記記録材を現像処理する現像処理手段と、
前記画像データを記録する処理の実行ないしは各種処理を指示するための操作手段
を備え、前記操作手段による操作入力に基づいて、前記露光処理および現像処理により前記画像データを前記記録材に画像記録処理を行う画像記録装置であって、
前記画像記録処理が行われない場合に、当該操作手段以外への電力供給を遮断するとともに、前記現像処理手段の各部を停止して消費電力を抑制するように制御する制御手段を有することを特徴とする画像記録装置。
【請求項２９】
前記現像処理手段の各部を停止し、かつ、前記操作手段以外への電力供給を遮断するようにして消費電力を抑制するスリープコントロールモードと、通常の処理がなされる通常モードとを切換指定する第４省電力モード設定手段を有し、
前記制御手段は、前記第４省電力モード設定手段において前記スリープコントロールモードに切換えられた場合に、前記現像処理手段内の各部を停止するように制御することを特徴とする請求項２８に記載の画像記録装置。
【請求項３０】
前記制御手段は、前記通常モードにおいて、前記記録材を現像処理する現像処理手段における現像処理において前記記録材を搬送する搬送部を停止するとともに、現像された前記記録材を第１の温度にて乾燥処理する前記現像処理手段を構成する乾燥部を前記第１の温度より低い第２の温度となるように制御することを特徴とする請求項２７、請求項２９に記載の画像記録装置。
【請求項３１】
前記セーブコントロールモード、前記スリープコントロールモード、前記通常モードを設定可能なモード設定手段をさらに有することを特徴とする請求項２７、請求項２９に記載の画像記録装置。
【請求項３２】
前記モード設定手段は、前記セーブコントロールモード又は前記スリープコントロールモードが実行される期間を設定する期間設定手段を含むことを特徴とする請求項３１に記載の画像記録装置。
【請求項３３】
画像データを一時記憶する記憶装置備えて当該記憶装置の画像データを順次読み出し出力して記録材上に画像データを記録する画像記録装置と通信網を介して通信可能に形成された管理装置であって、
前記画像記録装置の消費電力を抑制するために、前記画像記録装置の前記記憶装置内の各部の駆動を停止させるコマンドないしは信号を含む省電力運転要求を、前記画像記録装置に対して送信するように制御する管理制御手段を備えたことを特徴とする管理装置。
【請求項３４】
波長の異なる複数の光源によって感光材料を含む記録材を感光させて画像データの露光記録を行い、この露光された前記記録材を現像処理する現像処理手段を備えた画像記録装置と通信網を介して通信可能に形成された管理装置であって、
前記画像記録装置の消費電力を抑制するために、前記画像記録装置の前記現像処理手段の各部を停止させるコマンドないしは信号を含む省電力運転要求を、前記画像記録装置に対して送信するように制御する管理制御手段を備えたことを特徴とする管理装置。
【請求項３５】
画像データを一時記憶する画像データ記憶手段の画像データを順次読み出して、波長の異なる複数の光源によって感光材料を含む記録材を感光させて前記画像データの露光記録を行い、この露光された前記記録材を現像処理する現像処理手段を備えた画像記録装置と通信網を介して通信可能に形成された管理装置であって、
前記画像記録装置の消費電力を抑制するために、前記画像記録装置の前記現像処理手段を構成する各部のうち一部を停止するとともに、前記画像データ記憶手段内の各部の駆動を停止させるコマンドないしは信号を含む省電力運転要求を、前記画像記録装置に対して送信するように制御する管理制御手段を備えたことを特徴とする管理装置
【請求項３６】
画像データを記録する処理の実行ないしは各種処理を指示するための操作手段による操作入力に基づいて、波長の異なる複数の光源によって感光材料を含む記録材を感光させて画像データの露光記録を行い、この露光された前記記録材を現像処理する現像処理手段を備えた画像記録装置と通信網を介して通信可能に形成された管理装置であって、
前記画像記録装置の消費電力を抑制するために、当該操作手段以外への電力供給を遮断するとともに、前記現像処理手段の各部を停止させるコマンドないしは信号を含む省電力運転要求を、前記画像記録装置に対して送信するように制御する管理制御手段を備えたことを特徴とする管理装置
【請求項３７】
前記管理制御手段は、
前記省電力運転を解除する省電力運転解除要求を前記画像記録装置に対して送信する第１の処理と、
前記画像記録装置の省電力運転を解除した上で、前記画像記録装置において前記画像データを記録して出力する画像データ出力要求を送信する第２の処理と、
前記画像データを前記画像記録装置に対して送信した上で、前記画像記録装置において前記画像データの画像記録処理が完了した旨の完了通知を、前記画像記録装置より受信する第３の処理と、
を含み、前記完了通知を受領すると、前記省電力運転要求を送信することを特徴とする請求項３３乃至請求項３６のうちいずれか一項に記載の管理装置。
【請求項３８】
前記管理制御手段は、前記画像記録装置において前記画像記録処理がなされてから特定期間経過後に前記省電力運転を開始させるための通知を、前記画像記録装置において前記画像データを記録して出力する画像データ出力要求を送信する前に送信するように制御することを特徴とする請求項３７に記載の管理装置。
【請求項３９】
請求項１乃至請求項３２のうちいずれか一項に記載の一又は複数の画像記録装置と、
前記画像記録装置と通信網を介して通信可能に形成され、請求項３３乃至請求項３８のうちいずれか一項に記載の一又は複数の管理装置と、
を含み、複数色から構成される原画像データに基づいて、色分解された各網点画像データを前記管理装置により作成して、前記網点画像データを面順次に前記画像記録装置に対して転送して、前記画像記録装置において波長の異なる複数の光を露光してカラープルーフを得るカラープルーフ作成システム。
【請求項４０】
請求項１乃至請求項３２のうちいずれか一項に記載の一又は複数の画像記録装置と、
前記画像記録装置と通信網を介して通信可能に形成され、複数色から構成される原画像データに基づいて、色分解された各網点画像データを作成する画像処理装置と、
前記画像処理装置と前記通信網を介して通信可能に形成され、前記原画像データを作成または取り込むための一又は複数の上流端末と、
を含み、前記上流端末において作成された原画像データを、前記画像処理装置において網点画像データとし、前記画像記録装置においてカラープルーフを得ることを特徴とするカラープルーフ作成システム。
【請求項４１】
請求項１乃至請求項３２のうちいずれか一項に記載の一又は複数の画像記録装置と、
前記画像記録装置と通信網を介して通信可能に形成され、複数色から構成される原画像データに基づいて、色分解された各網点画像データを作成する画像処理装置を備えたフロントシステムと、
前記画像処理装置と前記通信網を介して通信可能に形成され、前記原画像データを作成または取り込むための一又は複数の上流端末を備えたデザインシステムと、
前記画像記録装置と通信網を介して通信可能に形成され、請求項３３乃至請求項３８のうちいずれか一項に記載の一又は複数の管理装置を備えたホストシステムおよびセンターシステムと、
を含むことを特徴とするカラープルーフ作成システム。
【請求項４２】
画像データを一時記憶する記憶装置の画像データを順次読み出し出力して記録材上に画像データを記録する処理を行う画像記録装置の省電力制御方法であって、
前記記憶装置に対する前記画像データの入力処理若しくは出力処理が行われない場合に、前記記憶装置内の各部の駆動を停止させるステップを含むことを特徴とする画像記録装置の省電力制御方法。
【請求項４３】
波長の異なる複数の光源によって感光材料を含む記録材を感光させることで、画像データの露光記録を行い、この露光された前記記録材を現像処理手段により現像処理して画像記録処理を行う画像記録装置の省電力制御方法であって、
前記画像記録処理が行われない場合に、前記現像処理手段の各部を停止させるステップを含むことを特徴とする画像記録装置の省電力制御方法。
【発明の詳細な説明】
【０００１】
【発明の属する技術分野】
本発明は、画像記録装置、管理装置、カラープルーフ作成システム、及び画像記録装置の省電力制御方法に関し、特に、ＲＩＰ（ラスタ・イメージ・プロセッサ）で処理された管理装置からの網点画像データに基づき、波長の異なる複数の光源によってカラー感光材料を感光させることで、印刷版の基となる画像データのチェックを行うカラープルーフを作成する画像記録装置に関するものである。
【０００２】
【従来の技術】
一般に、カラー印刷物を作成する際には、原稿フィルムの段階で色校正を行うことが必要とされる場合があり、このような場合には、Ｃ（シアン）版、Ｍ（マゼンタ）版、Ｙ（イエロー）版、及び、Ｋ（ブラック）版に色分解された各色分解網原稿フィルムを使って校正物（カラープルーフ）を作成し、本番の印刷版を作成する前に、原稿フィルムのレイアウトに間違いがないか、色の間違いがないか、文字の間違いがないか等を検査し、印刷物の仕上がりを事前に確認するようにしている。
【０００３】
さらに、近年においては、ＤＴＰ（Ｄｅｓｋ  Ｔｏｐ  Ｐｕｂｌｉｓｈｉｎｇ）等の普及により、スキャナから入力した画像をコンピュータのソフトウェア上で画像編集、ページ面付けする作業が一般化し、フルデジタルでの編集も珍しくなくなってきている。
【０００４】
このような工程では、さらなる効率化を目指して、フィルムにページ編集済みの画像データを直接出力するイメージセッター出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００５】
この場合、校正確認の為だけに一端フィルム出力や印刷版出力を行い、印刷校正や、その他の校正材料による校正を行うことは、フィルム、印刷版の無駄や余計な作業が多くなる問題がある。
【０００６】
その為、特に、このようなコンピュータによるフルデジタルの画像作成、編集を行う工程では、カラープルーフの作成は、ＤＤＣＰ（Ｄｉｒｅｃｔ  Ｄｉｇｉｔａｌ  Ｃｏｌｏｒ  Ｐｒｏｏｆ）、乃至は、ＤＣＰ（Ｄｉｇｉｔａｌ  Ｃｏｌｏｒ  Ｐｒｏｏｆ）と呼ばれる直接カラー画像出力を行うシステムが求められている。
【０００７】
このようなＤＤＣＰは、コンピュータ上で加工されたデジタル画像データからイメージセッタなどで製版用フィルム上に記録したり、ＣＴＰで直接印刷版を作成する最終的な印刷作業を行ったり、ＣＴＣで印刷のシリンダー上に巻かれた印刷版に直接画像記録を行ったり等する前に、コンピュータ上で加工されたデジタル画像が示す出力対象を再現するカラープルーフを作成し、その絵柄、色調、文章文字等の確認を行うものである。
【０００８】
また、このような印刷工程における校正のプロセスでは、１）作業現場内部のミスの確認、即ち内校、２）発注主、デザイナーへの仕上がり確認用に提出される外校、３）印刷機の機長に対して、最終印刷物の見本として提供される印刷見本、の主として３つの用途にプルーフが作成、使用される。
【０００９】
この際、内部の確認用、及び、一部の外校用途においては、納期短縮、コスト削減等のニーズから、網点画像再現ができない校正材料、即ち、昇華転写方式による校正や、インクジェット、電子写真などの出力物を主として体裁確認用の校正として使用するケースがあり、一方、ハイライト部の再現性や、細かいディテールの確認、印刷時のモアレと呼ばれる網画像の不適切な干渉縞の確認のニーズに対しては、ハイパワーヒートモードレーザーを用いて、感光材料に画像露光を行い、印刷本紙に転写するタイプのＤＤＣＰがある。しかし、このようなシステムでは、装置及び感光材料のコストが高くなる欠点があった。
【００１０】
これに対し、近年、低コストで更に網点画像の確認ができる、銀塩カラー感光材料を利用したＤＤＣＰが普及し始めている。銀塩カラー感光材料を利用した方式は、例えば、ＲＧＢ等の波長の異なる複数の光の組み合わせからなる光点を露光して、上述したＣＭＹＫの各ドットを発色させ、網点画像を形成するものである。
【００１１】
ところで、このようなＤＤＣＰ（カラープルーフ作成装置ないしは画像記録装置）においては、画像メモリを有さない構成の画像記録装置が主で、この様な構成の装置では、画像データの転送開始と同時にプリント処理を実行する必要があり、常に記録可能な状態で待機していることが必要となる。また、画像メモリを搭載した装置も登場しているが、制御上は、メモリ無しの装置同様、常時記録可能な状態で待機する必要がある（例えば、特許文献１参照。）。
【００１２】
【特許文献１】特開２００２−０４４３０９（段落「０００２」〜「０００４」、段落「０００６」〜「００１１」、図４）
【００１３】
【発明が解決しようとする課題】
しかしながら、常時、即座に画像記録可能な状態で待機状態とすることは、画像記録開始時における瞬発性（応答速度ないしはスループット）には有利となるが、待機状態が長時間に渡り継続した場合には、エネルギーロスが多大になるという問題がある。
【００１４】
というのも、待機状態と言えども、駆動モーターや乾燥ファン、温調用ヒーター等の負荷動作を軽減しているのみであり、厳密な意味では、まだ消費電力を低減できる余地があるからである。
【００１５】
一方、待機状態で常にエネルギー抑制運転を行うと、前記画像記録装置の前記瞬発性が劣り、記録効率が低下するという問題があった。
【００１６】
また、消費電力低減の観点からエネルギーを抑制するに際しても、画像記録装置内の如何なる部分を停止させるかによっても、前記瞬発性が相違するため、瞬発性とエネルギーの抑制のバランスをとるのが困難であった。
【００１７】
本発明は、上記事情に鑑みてなされたものであり、その目的とするところは、ユーザーが予め設定した条件に応じて、若しくは、画像データの転送元となるフロントシステムの状態に応じて消費エネルギー抑制運転への切換を行い、記録効率とエネルギーロスのバランスを取りつつ、トータルの消費エネルギーを抑制可能な画像記録装置、管理装置、カラープルーフ作成システム、及び画像記録装置の省電力制御方法を提供することにある。
【００１８】
【課題を解決するための手段】
上記目的を達成するために、請求項１に記載の発明に係る画像記録装置は、画像データを一時記憶する記憶装置と、当該記憶装置の画像データを順次読み出し出力して記録材上に画像データを記録する処理を行うための各機構と、を備えた画像記録装置であって、前記記憶装置に対する前記画像データの入力処理若しくは出力処理が行われない場合に、前記記憶装置内の各部の駆動を停止して消費電力を抑制するように制御する制御手段を備えたことを特徴としている。
【００１９】
また、上記目的を達成するために、請求項２に記載の発明に係る画像記録装置は、前記画像記録装置と通信網を介して通信可能に形成された管理装置との間で通信を行う通信手段をさらに有し、前記制御手段は、前記管理装置からの前記入力処理又は前記出力処理に関するアクセス要求が前記通信手段にて特定の期間受信されない場合に、前記記憶装置内の各部の駆動を停止するように制御することを特徴としている。
【００２０】
また、上記目的を達成するために、請求項３に記載の発明に係る画像記録装置は、前記画像データを記録する処理の実行ないしは各種処理を指示するための操作手段をさらに有し、前記制御手段は、前記操作手段の操作入力が特定の期間行われない場合に、前記記憶装置内の各部の駆動を停止するように制御することを特徴としている。
【００２１】
また、上記目的を達成するために、請求項４に記載の発明に係る画像記録装置は、前記記憶装置内の各部の駆動を停止して消費電力を抑制する記憶装置停止モードと、通常の処理がなされる通常モードとを切換指定する第１省電力モード設定手段を有し、前記制御手段は、前記第１省電力モード設定手段において前記記憶装置停止モードに切換えられた場合に、前記記憶装置内の各部の駆動を停止制御することを特徴としている。
【００２２】
また、上記目的を達成するために、請求項５に記載の発明に係る画像記録装置は、前記記憶装置に対する前記画像データの入力処理若しくは出力処理が完了するとカウントを開始し、前記入力処理若しくは前記出力処理が開始されると前記カウントをクリアする計数手段を有し、前記制御手段は、予め設定された特定期間が経過して前記計数手段によるカウントが終了すると、前記記憶装置内の各部の駆動を停止する制御を開始することを特徴としている。
【００２３】
また、上記目的を達成するために、請求項６に記載の発明に係る画像記録装置は、前記特定期間を設定することで省電力運転に至るまでの期間を設定する期間設定手段を有し、前記制御手段は、前記期間設定手段により設定された期間経過後に、前記記憶装置内の各部の駆動を停止する制御を行うことを特徴としている。
【００２４】
また、上記目的を達成するために、請求項７に記載の発明に係る画像記録装置は、前記制御手段は、前記管理装置にて前記画像記録装置に対する画像記録処理に関するジョブがない場合に前記管理装置から送信されるスタンバイ要求を前記通信手段が受信すると、前記記憶装置内の各部の駆動を停止する制御を行うことを特徴としている。
【００２５】
また、上記目的を達成するために、請求項８に記載の発明に係る画像記録装置は、前記制御手段は、前記記憶装置に一時記憶される画像データが当該記憶装置にない場合に、前記記憶装置内の各部の駆動を停止制御することを特徴としている。
【００２６】
また、上記目的を達成するために、請求項９に記載の発明に係る画像記録装置は、前記管理装置との間で接続された信号線を介して前記管理装置の状態を監視することで前記管理装置の電源状態を認識する電源状態認識手段をさらに有し、前記制御手段は、前記電源状態認識手段が前記管理装置の電源状態が遮断されたないしは前記信号線が遮断された旨を認識した場合に、前記記憶装置内の各部の駆動を停止制御することを特徴としている。
【００２７】
また、上記目的を達成するために、請求項１０に記載の発明に係る画像記録装置は、前記記憶装置は、複数の磁気ディスクを含み、前記制御手段は、当該画像記録装置の処理状態に応じて、各前記磁気ディスクの各駆動動作を個別に各々停止可能に制御することを特徴としている。
【００２８】
また、上記目的を達成するために、請求項１１に記載の発明に係る画像記録装置は、波長の異なる複数の光源によって感光材料を含む記録材を感光させることで、画像データの露光記録を行う露光処理手段と、前記露光処理手段にて露光された前記記録材を現像処理する現像処理手段と、を備え、前記露光処理および現像処理により前記画像データを前記記録材に画像記録処理を行う画像記録装置であって、前記画像記録処理が行われない場合に、前記現像処理手段の各部を停止して消費電力を抑制するように制御する制御手段を備えたことを特徴としている。
【００２９】
また、上記目的を達成するために、請求項１２に記載の発明に係る画像記録装置は、前記画像記録装置と通信網を介して通信可能に形成された管理装置との間で通信を行う通信手段をさらに有し、前記制御手段は、前記管理装置からの前記画像記録処理に関するアクセス要求が前記通信手段にて特定の期間受信されない場合に、前記現像処理手段の各部を停止するように制御することを特徴としている。
【００３０】
また、上記目的を達成するために、請求項１３に記載の発明に係る画像記録装置は、前記画像データを記録する処理の実行ないしは各種処理を指示するための操作手段をさらに有し、前記制御手段は、前記操作手段の操作入力が特定の期間行われない場合に、前記現像処理手段の各部を停止するように制御することを特徴としている。
【００３１】
また、上記目的を達成するために、請求項１４に記載の発明に係る画像記録装置は、前記現像処理手段の各部を停止して消費電力を抑制する現像処理停止モードと、通常の処理がなされる通常モードとを切換指定する第２省電力モード設定手段を有し、前記制御手段は、前記第２省電力モード設定手段において前記現像処理停止モードに切換えられた場合に、前記現像処理手段内の各部を停止するように制御することを特徴としている。
【００３２】
また、上記目的を達成するために、請求項１５に記載の発明に係る画像記録装置は、画像データを一時記憶し、当該記憶された画像データを順次読み出し出力して前記露光処理手段にて露光記録を行うための画像データ記憶手段と、前記画像データ記憶手段に対する前記画像データの入力処理若しくは出力処理が完了するとカウントを開始し、前記入力処理若しくは前記出力処理が開始されると前記カウントをクリアする計数手段と、を有し、前記制御手段は、予め設定された特定期間が経過して前記計数手段によるカウントが終了すると、前記現像処理手段の各部を停止する制御を行うことを特徴としている。
【００３３】
また、上記目的を達成するために、請求項１６に記載の発明に係る画像記録装置は、前記特定期間を設定することで省電力運転に至るまでの期間を設定する期間設定手段を有し、前記制御手段は、前記期間設定手段により設定された期間経過後に、前記現像処理手段の各部の駆動を停止する制御を行うことを特徴としている。
【００３４】
また、上記目的を達成するために、請求項１７に記載の発明に係る画像記録装置は、前記制御手段は、前記管理装置にて前記画像記録装置に対する画像記録処理に関するジョブがない場合に前記管理装置から送信されるスタンバイ要求を前記通信手段が受信すると、前記現像処理手段の各部を停止する制御を行うことを特徴としている。
【００３５】
また、上記目的を達成するために、請求項１８に記載の発明に係る画像記録装置は、前記画像データを一時記憶し、当該記憶された画像データを順次読み出し出力して前記露光処理手段にて露光記録を行うための画像データ記憶手段を有し、前記制御手段は、前記画像データ記憶手段に一時記憶される画像データが当該画像データ記憶手段にない場合に、前記現像処理手段の各部を停止制御することを特徴としている。
【００３６】
また、上記目的を達成するために、請求項１９に記載の発明に係る画像記録装置は、前記管理装置との間で接続された信号線を介して前記管理装置の状態を監視することで前記管理装置の電源状態を認識する電源状態認識手段をさらに有し、前記制御手段は、前記電源状態認識手段が前記管理装置の電源状態が遮断されたないしは前記信号線が遮断された旨を認識した場合に、前記現像処理手段の各部を停止制御することを特徴としている。
【００３７】
また、上記目的を達成するために、請求項２０に記載の発明に係る画像記録装置は、前記制御手段は、当該画像記録装置の処理状態に応じて、前記現像処理手段の各部を個別に停止制御可能であることを特徴としている。
【００３８】
また、上記目的を達成するために、請求項２１に記載の発明に係る画像記録装置は、前記各部は、前記現像処理において前記記録材を搬送する搬送駆動部を含み、前記制御手段は、前記画像データの入力処理若しくは出力処理が行われない場合に、前記搬送駆動部を停止するように制御することを特徴としている。
【００３９】
また、上記目的を達成するために、請求項２２に記載の発明に係る画像記録装置は、前記一部は、現像処理を行う現像部、現像された前記記録材を定着処理する定着部、現像された前記記録材を乾燥処理する乾燥部の各加熱部を含み、前記制御手段は、前記画像データの入力処理若しくは出力処理が行われない場合に、各前記加熱部を停止制御することを特徴としている。
【００４０】
また、上記目的を達成するために、請求項２３に記載の発明に係る画像記録装置は、前記一部は、現像処理を行う現像部、現像された前記記録材を定着処理する定着部、定着処理された前記記録材を安定化処理する安定部の各処理液を各々供給する各処理液供給部を含み、前記制御手段は、前記画像データの入力処理若しくは出力処理が行われない場合に、各前記処理液供給部を停止制御することを特徴としている。
【００４１】
また、上記目的を達成するために、請求項２４に記載の発明に係る画像記録装置は、画像データを一時記憶する画像データ記憶手段と、波長の異なる複数の光源によって感光材料を含む記録材を感光させることで、前記画像データの露光記録を行う露光処理手段と、前記露光処理手段にて露光された前記記録材を現像処理する現像処理手段と、を備え、前記露光処理および現像処理により前記画像データを前記記録材に画像記録処理を行う画像記録装置であって、前記画像データ記憶手段に対する前記画像データの入力処理若しくは出力処理が行われない場合に、前記現像処理手段を構成する各部のうち一部を停止するとともに、前記画像データ記憶手段内の各部の駆動を停止して消費電力を抑制するように制御する制御手段を備えたことを特徴としている。
【００４２】
また、上記目的を達成するために、請求項２５に記載の発明に係る画像記録装置は、前記一部は、前記現像処理において前記記録材を搬送する搬送駆動部を含み、前記制御手段は、前記画像データの入力処理若しくは出力処理が行われない場合に、前記搬送駆動部を停止するように制御することを特徴としている。
【００４３】
また、上記目的を達成するために、請求項２６に記載の発明に係る画像記録装置は、前記一部は、現像された前記記録材を乾燥処理する乾燥部を含み、前記制御手段は、前記画像データの入力処理若しくは出力処理が行われない場合に、前記乾燥部を現像処理時の第１の温度から当該第１の温度より低い第２の温度となるように制御することを特徴としている。
【００４４】
また、上記目的を達成するために、請求項２７に記載の発明に係る画像記録装置は、前記画像データ記憶手段内の各部の駆動を停止し、かつ、前記現像処理手段を構成する前記搬送駆動部を停止し、前記現像処理手段を構成する前記乾燥部を前記第２の温度となるようにして消費電力を抑制するセーブコントロールモードと、通常の処理がなされる通常モードとを切換指定する第３省電力モード設定手段を有し、前記制御手段は、前記第３省電力モード設定手段において前記セーブコントロールモードに切換えられた場合に、前記画像データ記憶手段内の各部の駆動を停止制御することを特徴としている。
【００４５】
また、上記目的を達成するために、請求項２８に記載の発明に係る画像記録装置は、波長の異なる複数の光源によって感光材料を含む記録材を感光させることで、画像データの露光記録を行う露光処理手段と、前記露光処理手段にて露光された前記記録材を現像処理する現像処理手段と、前記画像データを記録する処理の実行ないしは各種処理を指示するための操作手段と、を備え、前記操作手段による操作入力に基づいて、前記露光処理および現像処理により前記画像データを前記記録材に画像記録処理を行う画像記録装置であって、前記画像記録処理が行われない場合に、当該操作手段以外への電力供給を遮断するとともに、前記現像処理手段の各部を停止して消費電力を抑制するように制御する制御手段を有することを特徴としている。
【００４６】
また、上記目的を達成するために、請求項２９に記載の発明に係る画像記録装置は、前記現像処理手段の各部を停止し、かつ、前記操作手段以外への電力供給を遮断するようにして消費電力を抑制するスリープコントロールモードと、通常の処理がなされる通常モードとを切換指定する第４省電力モード設定手段を有し、前記制御手段は、前記第４省電力モード設定手段において前記スリープコントロールモードに切換えられた場合に、前記現像処理手段内の各部を停止するように制御することを特徴としている。
【００４７】
また、上記目的を達成するために、請求項３０に記載の発明に係る画像記録装置は、前記制御手段は、前記通常モードにおいて、前記記録材を現像処理する現像処理手段における現像処理において前記記録材を搬送する搬送部を停止するとともに、現像された前記記録材を第１の温度にて乾燥処理する前記現像処理手段を構成する乾燥部を前記第１の温度より低い第２の温度となるように制御することを特徴としている。
【００４８】
また、上記目的を達成するために、請求項３１に記載の発明に係る画像記録装置は、前記セーブコントロールモード、前記スリープコントロールモード、前記通常モードを設定可能なモード設定手段をさらに有することを特徴としている。
【００４９】
また、上記目的を達成するために、請求項３２に記載の発明に係る画像記録装置は、前記モード設定手段は、前記セーブコントロールモード又は前記スリープコントロールモードが実行される期間を設定する期間設定手段を含むことを特徴としている。
【００５０】
また、上記目的を達成するために、請求項３３に記載の発明に係る管理装置は、画像データを一時記憶する記憶装置備えて当該記憶装置の画像データを順次読み出し出力して記録材上に画像データを記録する画像記録装置と通信網を介して通信可能に形成された管理装置であって、前記画像記録装置の消費電力を抑制するために、前記画像記録装置の前記記憶装置内の各部の駆動を停止させるコマンドないしは信号を含む省電力運転要求を、前記画像記録装置に対して送信するように制御する管理制御手段を備えたことを特徴としている。
【００５１】
また、上記目的を達成するために、請求項３４に記載の発明に係る管理装置は、波長の異なる複数の光源によって感光材料を含む記録材を感光させて画像データの露光記録を行い、この露光された前記記録材を現像処理する現像処理手段を備えた画像記録装置と通信網を介して通信可能に形成された管理装置であって、前記画像記録装置の消費電力を抑制するために、前記画像記録装置の前記現像処理手段の各部を停止させるコマンドないしは信号を含む省電力運転要求を、前記画像記録装置に対して送信するように制御する管理制御手段を備えたことを特徴としている。
【００５２】
また、上記目的を達成するために、請求項３５に記載の発明に係る管理装置は、画像データを一時記憶する画像データ記憶手段の画像データを順次読み出して、波長の異なる複数の光源によって感光材料を含む記録材を感光させて前記画像データの露光記録を行い、この露光された前記記録材を現像処理する現像処理手段を備えた画像記録装置と通信網を介して通信可能に形成された管理装置であって、前記画像記録装置の消費電力を抑制するために、前記画像記録装置の前記現像処理手段を構成する各部のうち一部を停止するとともに、前記画像データ記憶手段内の各部の駆動を停止させるコマンドないしは信号を含む省電力運転要求を、前記画像記録装置に対して送信するように制御する管理制御手段を備えたことを特徴としている。
【００５３】
また、上記目的を達成するために、請求項３６に記載の発明に係る管理装置は、画像データを記録する処理の実行ないしは各種処理を指示するための操作手段による操作入力に基づいて、波長の異なる複数の光源によって感光材料を含む記録材を感光させて画像データの露光記録を行い、この露光された前記記録材を現像処理する現像処理手段を備えた画像記録装置と通信網を介して通信可能に形成された管理装置であって、前記画像記録装置の消費電力を抑制するために、当該操作手段以外への電力供給を遮断するとともに、前記現像処理手段の各部を停止させるコマンドないしは信号を含む省電力運転要求を、前記画像記録装置に対して送信するように制御する管理制御手段を備えたことを特徴としている。
【００５４】
また、上記目的を達成するために、請求項３７に記載の発明に係る管理装置は、前記管理制御手段は、前記省電力運転を解除する省電力運転解除要求を前記画像記録装置に対して送信する第１の処理と、前記画像記録装置の省電力運転を解除した上で、前記画像記録装置において前記画像データを記録して出力する画像データ出力要求を送信する第２の処理と、前記画像データを前記画像記録装置に対して送信した上で、前記画像記録装置において前記画像データの画像記録処理が完了した旨の完了通知を、前記画像記録装置より受信する第３の処理と、を含み、前記完了通知を受領すると、前記省電力運転要求を送信することを特徴としている。
【００５５】
また、上記目的を達成するために、請求項３８に記載の発明に係る管理装置は、前記管理制御手段は、前記画像記録装置において前記画像記録処理がなされてから特定期間経過後に前記省電力運転を開始させるための通知を、前記画像記録装置において前記画像データを記録して出力する画像データ出力要求を送信する前に送信するように制御することを特徴としている。
【００５６】
また、上記目的を達成するために、請求項３９に記載の発明に係るカラープルーフ作成システムは、上述のいずれかに記載の一又は複数の画像記録装置と、前記画像記録装置と通信網を介して通信可能に形成され、上述のいずれかに記載の一又は複数の管理装置と、を含み、複数色から構成される原画像データに基づいて、色分解された各網点画像データを前記管理装置により作成して、前記網点画像データを面順次に前記画像記録装置に対して転送して、前記画像記録装置において波長の異なる複数の光を露光してカラープルーフを得ることを特徴としている。
【００５７】
また、上記目的を達成するために、請求項４０に記載の発明に係るカラープルーフ作成システムは、上述のいずれか一項に記載の一又は複数の画像記録装置と、前記画像記録装置と通信網を介して通信可能に形成され、複数色から構成される原画像データに基づいて、色分解された各網点画像データを作成する画像処理装置と、前記画像処理装置と前記通信網を介して通信可能に形成され、前記原画像データを作成または取り込むための一又は複数の上流端末と、を含み、前記上流端末において作成された原画像データを、前記画像処理装置において網点画像データとし、前記画像記録装置においてカラープルーフを得ることを特徴としている。
【００５８】
また、上記目的を達成するために、請求項４１に記載の発明に係るカラープルーフ作成システムは、上述のいずれかの一又は複数の画像記録装置と、前記画像記録装置と通信網を介して通信可能に形成され、複数色から構成される原画像データに基づいて、色分解された各網点画像データを作成する画像処理装置を備えたフロントシステムと、前記画像処理装置と前記通信網を介して通信可能に形成され、前記原画像データを作成または取り込むための一又は複数の上流端末を備えたデザインシステムと、前記画像記録装置と通信網を介して通信可能に形成され、上述のいずれかの一又は複数の管理装置を備えたホストシステムおよびセンターシステムと、を含むことを特徴としている。
【００５９】
また、上記目的を達成するために、請求項４２に記載の発明に係る画像記録装置の省電力制御方法は、画像データを一時記憶する記憶装置の画像データを順次読み出し出力して記録材上に画像データを記録する処理を行う画像記録装置の省電力制御方法であって、前記記憶装置に対する前記画像データの入力処理若しくは出力処理が行われない場合に、前記記憶装置内の各部の駆動を停止させるステップを含むことを特徴としている。
【００６０】
また、上記目的を達成するために、請求項４３に記載の発明に係る画像記録装置の省電力制御方法は、波長の異なる複数の光源によって感光材料を含む記録材を感光させることで、画像データの露光記録を行い、この露光された前記記録材を現像処理手段により現像処理して画像記録処理を行う画像記録装置の省電力制御方法であって、前記画像記録処理が行われない場合に、前記現像処理手段の各部を停止させるステップを含むことを特徴としている。
【００６１】
【発明の実施の形態】
以下、本発明の好適な実施の形態の一例について、図面を参照して具体的に説明する。
【００６２】
［第１の実施の形態］
先ず本実施の形態の特徴は、待機状態の際の省エネルギー制御（パワーマネジメント）機能として、画像記録装置に内蔵の現像部をスタンバイ状態とする「ノーマルコントロールモード」の他、前記現像部をスタンバイ状態とするとともに前記画像記録装置に内蔵の記憶装置を停止させる「セーブコントロールモード」と、前記画像記録装置を構成する特定のユニット以外に対する電源供給を停止させるとともに、前記現像部を完全に停止させる「スリープコントロールモード」を備えた点にある。
【００６３】
ここで、本実施の形態においては、便宜的に、「ノーマルコントロールモード」、「セーブコントロールモード」、および「スリープコントロールモード」の３つのモードに構成した場合について説明するが、これに限らず、現像部をスタンバイ状態（温度調整により低温状態にする）とするのみのモード、前記画像記録装置に内蔵の記憶装置を停止させるのみのモード、現像部内の各部を完全に停止させるのみのモード、としてもよい。
【００６４】
さらに、操作モードとしては、データセットアップモード、モーニングスタンバイモード、プリントモード（オフラインモード、オンラインモード）などを有する。
【００６５】
このような各モードを実施するための制御に関する説明に先だって、前提となる「カラープルーフ作成システムの全体構成」、「画像記録装置およびその管理装置の詳細（機能ブロック構成）」、「画像記録装置の機械的構成（露光ユニット）・（現像処理ユニット）」、「画像記録装置の制御系の構成（電力供給に関する制御系）・（露光ユニットの制御系）・（現像処理ユニットの制御系）」、「画像データ記憶装置の
（構成）・（動作）・（ハードディスクアレイ）」、「本実施の形態の特徴Ｉ：画像データ記憶装置における省エネルギー制御系・（制御系の構成）・（タイマー設定）」、「本実施の形態の特徴ＩＩ：現像部の停止制御にかかる省エネルギー制御系」、「設定画面について」、「処理手順（省エネルギーモードの設定方法）」、「省エネルギーモードでの処理（ＨＤＤ制御の場合）・（現像部制御の場合）」、「省エネルギーモードへの移行手順」の各項目順に説明することとする。
【００６６】
（カラープルーフ作成システムの全体構成）
先ず、省エネルギー制御機能の説明の前に、前提となる画像記録装置を含むカラープルーフ作成システムの全体の概略構成について、図１を参照して説明する。図１は、本実施の形態のカラープルーフ作成システムの全体の概略構成を示す説明図である。
【００６７】
本実施の形態のカラープルーフ作成システム１は、図１に示すように、ネットワークＮ１に接続された複数例えば３台の画像データの生成等を行う画像編集の機能を有する情報端末である上流端末２（２Ａ、２Ｂ、２Ｃ）と、同じくネットワークＮ１に接続された複数例えば２台の画像出力制御機能を有する画像処理装置３（３Ａ、３Ｂ）と、各画像処理装置３（３Ａ、３Ｂ）とネットワークＮ２を介して通信可能に各々接続された複数例えば２台の画像記録装置２０（２０Ａ、２０Ｂ）と、前記画像記録装置２０（２０Ａ、２０Ｂ）とネットワークＮ３を介して各々通信可能に形成されて画像記録装置２０に関する各種制御情報を取得しモニタして遠隔管理することにより各種メンテナンスを行なうためのサブホスト４と、サブホスト４とネットワークＮ４を介して通信可能に形成されたホスト５とを含んで構成している。
【００６８】
ここで、図１のシステム構成例においては、前記上流端末２（２Ａ、２Ｂ、２Ｃ）によりデザインシステムを構成し、画像処理装置３（３Ａ、３Ｂ）によりフロントシステムを構成し、サブホスト３によりホストシステムを構成し、ホスト５によりセンターシステムを構成している。また、上流端末２、画像処理装置３、サブホスト４、ホスト５は、各種ＰＣやサーバー、あるいはこれに類する情報処理装置等のコンピュータにて形成されることが好ましく、画像記録装置２０（２０Ａ、２０Ｂ）はＤＣＰ（デジタルカラープルーフ）作成装置を用いている。
【００６９】
なお、ネットワークＮ１、Ｎ２、Ｎ３、Ｎ４としては、例えばインターネット（乃ち主としてＴＣＰ／ＩＰプロトコルを用いた通信態様）や特定区域のＬＡＮやＷＡＮさらにはシリアル通信等、あるいはその組み合わせであることが好ましいが、これらのネットワークに携帯電話回線網（基地局及び交換システムを含む）、公衆電話回線網、ブロードバンド対応可能な専用回線、ケーブルＴＶなどの各種回線、無線（衛星通信等を含む）ネットワーク等を含んでいてよく、また、他の種々の通信プロトコルを用いたネットワークであっても構わず、他の種々のネットワークと接続されたシステムであってもよい。これらネットワークＮ１、Ｎ２、Ｎ３、Ｎ４の組み合わせからなる総称により本発明にいう「通信網」を構成している。
【００７０】
上流端末２（２Ａ、２Ｂ、２Ｃ）は、各々コンピュータ端末装置として動作するものであり、上流端末２（２Ａ、２Ｂ、２Ｃ）は、システム構成に応じて種々のハードウエア構成を採りうることが可能であり、この本例では、繁雑になるので図示していないが、ＣＰＵとＲＯＭ、ＲＡＭ等を有するコンピュータ本体と、これに接続されるＣＲＴ等のディスプレイ、マウス、キーボード、デジタイザ、ＦＤＤ装置、およびハードディスク等や、イメージスキャナ等の画像生成のための入力機器を備えている。
【００７１】
画像処理装置３は、上流端末２にて編集された画像編集ファイルの画像データを、ネットワークＮ１を通じて、もしくは、ＦＤＤ等の外部入出力装置を通じて、ＲＩＰ（Ｒａｓｔｅｒ  Ｉｍａｇｅ  Ｐｒｏｃｅｓｓｏｒ）等によってラスタデータに展開するとともに、分版して各色版データ（網点画像データ）を生成する網点画像データ生成処理を行い、各網点画像データを画像記録装置２０に転送して画像を出力するようになっている。
【００７２】
なお、画像処理装置３（３Ａ、３Ｂ）もコンピュータ本体、表示部、キーボード等の入力機器を備え、画像データの受け入れ、画像記録装置２０（２０Ａ、２０Ｂ）へのジョブの出力等を行う動作プログラムを組み込んでいる。なお、この発明を理解する上では繁雑になるので図示はしていないが、画像処理装置３には、画像原稿を読み取るカラースキャナ、台紙の情報を読み取る台紙入力機、また必要に応じて、比較的低画質のゲラ印刷を行うゲラプリンタ等を接続してもよい。
【００７３】
画像記録装置２０は、画像処理装置３から転送された網点画像データにより印刷用紙に画像を形成しカラープルーフを作成する。なお、画像記録装置２０は、レーザー露光方式等を用いたカラープルーファー等の画像形成装置から構成することができる。これにより、画像処理装置３から画像データをネットワークＮ２を通じて画像記録装置２０に転送し、各色の画像データを記録材（出力媒体：出力用紙等）に記録することにより、カラープルーフを形成することができる。
【００７４】
ここで、本実施の形態の特徴である省エネルギー制御機能（パワーマネジメント機能）の設定は、画像記録装置２０に備えられた操作部から設定してもよいし、画像処理装置３あるいはサブホスト４から設定可能としてもよい。
【００７５】
また、システム構成としては図１の例を構成することが好ましいが、図１の構成例に限らず、画像処理装置３、サブホスト４、ホスト５、（上流端末２）の機能を便宜的に１台のコンピュータで構成しても構わない。以下の各項目における詳細説明では、説明を簡単にするために、前記１台のコンピュータを、「管理装置」として構成した場合を例に説明する。即ち、図４に示すように、管理装置１０と画像記録装置２０とがネットワークを介して通信可能に形成された、最も単純なシステム構成例をもとに説明する。
【００７６】
（画像記録装置およびその管理装置の詳細について）
図２には、管理装置１０及び画像記録装置２０を機能的な構成要素の具体例が機能ブロック図として開示されている。
【００７７】
管理装置１０は、画像記録装置２０を制御するコントローラとして機能し、図２に示すように、外部から編集された画像編集ファイルの画像データが入力される入力インターフェースである入力部１１と、入力部１１にて入力された画像データをラスタイメージデータなどに展開するとともに分版して各色版データたる網点画像データを生成するＲＩＰ機能などの処理などを行う網点画像データ作成手段であるデータ処理部１２と、画像データやパラメータの設定条件などを記憶するハードディスク等の記憶部１４と、データ処理部１２からの網点画像データを例えばＣ、Ｍ、Ｙ、Ｋ等の面順序で出力し、画像記録装置２０に転送制御する出力インターフェースからなる通信手段である転送制御部１３と、各種情報や設定条件等の設定操作入力を行う操作部１５と、各種ＬＵＴなどの各種設定パラメータを設定する画面などを表示するＣＲＴや液晶パネルからなる表示部１６と、ＦＤＤなどの外部入出力装置１７と、データ処理部１２、転送制御部１３、記憶部１４、操作部１５、表示部１６、及び外部入出力装置１７をそれぞれ制御するためのＣＰＵなどからなる管理制御部１８と、を含んで構成される。
【００７８】
なお、本実施形態の「管理制御部１８」により、本発明にいう「管理制御手段」を構成できる。
【００７９】
データ処理部１２は、入力されたデータ例えばＰＤＬデータを所定の画像出力条件（例えば、網点の形状、網角度、スクリーン線数、感光材料のガンマ特性、現像機の特性等）に応じて２値画像データであるラスタイメージデータに展開するとともに、分版を行い網点画像データを生成する処理などを行う。
【００８０】
転送制御部１３は、前記データ処理部１２において展開分版された画像データを画像記録装置２０に対して転送制御などの処理を行う。
表示部１６は、画像記録装置２０の状況や各種情報を表示する表示手段であり、操作部１５により各種設定や操作のための情報を入力することができる。この操作部１５及び表示部１６にて設定されるパラメータ（設定情報）には、管理装置１０の場合、出力解像度、網点情報、ポジネガ設定、回転要否、各種色調整用の各種テーブル（ＬＵＴ）情報等がある。
【００８１】
管理制御部１８は、記憶部１４から画像記録装置２０について設定されて記憶された各種情報を読み出して表示部１６に表示させ、操作部１５から所定の設定がなされた場合には、前記データ処理部１２において生成された網点画像データに対して前記設定に基づく各種画像処理がなされるようデータ処理部１２などを制御する。
【００８２】
あるいは、前記操作部１５において操作指示された要求を前記転送制御部１３を介して前記画像記録装置２０に対して送信するよう制御する。
【００８３】
つまり、管理装置１０と画像記録装置２０との間で網点画像データの転送以外に制御情報（カラー感光材料の搬送指示、露光開始／中止指示、省エネルギー制御機能における各種モードの指定、電源状態の認識、及びそれらへの応答等）の通信を行なうことがある。この場合、制御情報は、転送制御部１３を介して通信される。なお、転送制御部１３内の複数の転送制御機能によって、制御情報の中継と網点画像データの転送等の制御が各々独立して転送されることが好ましい。
【００８４】
このような、管理装置１０は、入力された編集画像ファイルをラスタデータ等の画像データに展開するとともに、未だ分版されていない場合には当該画像データに基づき所定の色Ｙ、Ｍ、Ｃ、Ｋ及び特色に分版する分版処理を行い、分版された各データを画像記録装置２０に向けて転送制御動作を行う。
【００８５】
画像記録装置２０は、図２に示すように、管理装置１０から例えばＣ、Ｍ、Ｙ、Ｋの順に転送された網点画像データを受信する通信制御部２１と、前記管理装置１０との間で接続された信号線Ｃを介して前記管理装置１０の状態を監視することで前記管理装置１０の電源状態を認識する電源状態認識手段２１Ａと、前記通信制御部２１を介して受信された網点画像データを（少なくとも１ページ分）格納する情報一時格納部である画像データ記憶装置２２と、前記画像データ記憶装置２２の網点画像データに基づいて、走査線本数毎（１主走査分）の露光用フォーマットに変換し、変換された網点画像データを、Ｙ，Ｍ，Ｃ，ＢＫの全色１枚分の全データからなる画素データを走査線本数毎の露光用フォーマットで読み出し、全色のデータを同時（点順次）に出力することで、レーザー露光を行う露光部２３と、露光部２３からのシートを現像処理する現像部２４と、現像部２４にて現像処理されたカラー画像が形成された印刷用紙をカラープルーフとして排紙出力する排紙部２５と、各種操作を行なうための表示部２６及び操作部２７と、これら各部の制御を司る制御部３０と、操作部２７から特定期間操作入力がない場合、あるいは、通信制御部２１においいて管理装置１０からの網点画像データの出力などの各種指示やアクセス要求が特定期間ない場合に、前記画像データ記憶装置２２内の各部の駆動を停止したり、現像部２４に対する電力供給を停止したり等の省電力、省エネルギー制御を行なうための省エネルギー制御手段２８と、省エネルギーを行なう態様としての各種モードなどの設定情報を記憶するための設定情報記憶部２９と、を含んで構成される。
【００８６】
なお、本実施形態の「制御部」は、本発明にいう「制御手段」に該当する。また、本実施形態の「露光部」は、本発明にいう「露光処理手段」に該当し、本実施形態の「現像部」は、本発明にいう「現像処理手段」に該当する。さらに、本実施形態の「画像記録装置内の各部」は、本発明にいう「各機構」に該当する。
【００８７】
また、本実施形態の「画像データ記憶装置」は、本発明にいう「記憶装置」ないしは「画像データ記憶手段」に該当する。さらに、本実施形態の後述する図１２に示す「省エネルギー設定部２６ａに含まれる第１の設定部２６ｂ」は、本発明にいう「第１省電力モード設定手段」に該当し、本実施形態の「第２の設定部２６ｃ」は、本発明にいう「第２省電力モード設定」に該当し、本実施形態の「切換時間設定部２６ｄ」は、本発明にいう「期間設定手段」に該当する。さらに、本実施形態の「通信制御部」は、本発明にいう「通信手段」に該当し、本実施形態の「タイマー」は、本発明にいう「計数手段」に該当する。
【００８８】
画像データ記憶装置２２は、例えば磁気ディスクであるハードディスク装置などにて構成され、管理装置１０から面順次に各色毎に転送されてきた網点画像データを、所定の領域に一時格納し、さらに、制御部３０により、走査線本数毎（１主走査分）の露光用フォーマットに変換された網点画像データをＹ，Ｍ，Ｃ，ＢＫ全色１枚分、他の所定の領域に一時格納する。
【００８９】
表示部２６には、省エネルギー機能（パワーマネジメント機能）における各種モードを設定するための省エネルギー設定部２６ａが形成されている。この表示部１６は、画像記録装置２０の状況や各種情報を表示する表示手段であるとともに、各種設定や操作のための情報を入力する表示操作手段でもある。前記操作部２７及び表示部１６にて設定されるパラメータ（設定情報）には、画像記録装置２０の場合、出力解像度、網点情報、ポジネガ設定、回転要否、各種色調整用の各種テーブル情報、露光用テーブル情報、エラーログ等がある。
【００９０】
制御部３０は、Ｙ，Ｍ，Ｃ，ＢＫの全データからなる画素データを走査線本数毎の露光用フォーマットで読み出し、全色のデータを同時（点順次）に出力することで、感光材料に画像を露光部２３にて露光するように制御する。
【００９１】
また、制御部３０は、前記電源状態認識手段２１Ａが前記管理装置１０の電源状態が遮断されたないしは前記信号線Ｃが遮断された旨を認識した場合に、前記省エネルギー設定部２６ａにて設定された各種モードに応じた制御を行なう。
【００９２】
さらに、制御部３０は、例えば画像記録装置２０における設定されている露光量情報等を検知する。この制御部３０からの信号により管理装置１０の管理制御部１８は、その露光量情報を検知し、これらの検知に基づいて露光量情報等を変更することもできる。
【００９３】
上述のような構成を有する画像記録装置２０において、各色（Ｙ、Ｍ、Ｃ、ＢＫ）の網点画像データは、画像データ記憶装置２２に一時的に記憶するようになっている。画像データ記憶装置２２で転送速度の変動をアキュームしながら、ドットクロック等によりデータを全色同時に読み出し、各色の光源が、設定されたチャンネルのＬＵＴのデータに基づいて発光し、印刷時のインクの色および／または印刷用紙の色に対応した色を持つ画像を露光し、感光材料に対する網点画像の画像出力を行う。この際、画像記録装置２０では、感光材料としてロール状のハロゲン化銀カラー写真感光材料をセットして、シート状に切断した後、網点画像データに応じてレーザ光で露光する。
【００９４】
このように、カラー印刷物を作成するに当たって、様々な形式で記述されたデジタル画像データからラスターイメージフォーマットの画像データを作成し印刷版を作成する前に、データ処理部１２でデジタル画像データからラスターイメージフォーマットの画像データを生成し、画像データ記憶装置２２を利用して、画像記録装置２０に適合するフォーマットの画像データにして画像を記憶し、様々な形式で記述されたデジタル画像データから作成される印刷版で印刷されて得られる画像をシミュレーションするカラープルーフを作成し、デジタル画像データが示す画像にレイアウト、色、文字等の誤りがあるか否かなどの誤りの有無を検査し、印刷物の仕上がりを事前に確認できる。
【００９５】
上述のような構成を有するカラープルーフ作成システム１において、ユーザーは、管理装置１０に対し、マウス、キーボード等の操作部１５を利用して表示部１６において、各種指定を行うと、これらの指定入力情報は、記憶部１４に記憶される。
【００９６】
次に、このような準備のもとに、入力部１１を介して上流端末２からカラー情報を含むページ記述言語（ＰＤＬデータ）の取り込みを開始し、ＰＤＬデータの供給が終了したかどうかを判別する。
【００９７】
そして、外部の上流端末２で編集加工が行われて転送されてきた各種ページ記述言語などで記述された多値階調データである画像データは、網点画像データ処理部１２などによって展開分版され、１枚のカラープルーフを作成するのに必要な色別分版ファイル（網点画像データ）が生成され、２値の網点の網点画像データの画素を生成する。
【００９８】
すなわち、画像データは、印刷で再現できるデータであるから、当然色に関する情報は、印刷に使う色で記述されている。従って、印刷色がプロセス色Ｙ、Ｍ、Ｃ、Ｋである場合、画像データの色に関する記述はこれらの４色のみで記述されており、これから得られるラスター画像データは、これら４色の色情報を持っている。
【００９９】
尚、通常ＲＩＰ処理は、各色版毎の単色のラスター形式階調データを色数分出力するが、画素毎に各色階調値を並べた形式のデータであってもよい。
【０１００】
そして、転送制御部１３が画像記録装置２０に対してデータを転送し、画像記録装置２０は、管理装置１０から所定の順序に従って、面順次に色版データを受付る。管理装置１０にて生成され、面順次に各色毎に転送されてきた網点画像データは、画像記録装置２０において、走査線本数毎（１主走査分）の露光用フォーマットに変換され、画像記録装置２０の画像データ記憶装置２２の所定の領域に格納される。
【０１０１】
この際、面順次の網点画像データ（印刷版に対応したＹ，Ｍ，Ｃ，ＢＫにそれぞれ分離されたデータ）は、露光部２３の複数ビーム本数の１走査分のデータの並びに並び換え変換される。
【０１０２】
そして、走査線本数毎（１主走査分）の露光用フォーマットに変換された網点画像データをＹ，Ｍ，Ｃ，ＢＫ全色１画面分（１枚のカラープルーフを作成するのに必要な全色１枚分の網点画像データ）ずつ蓄積した後、Ｙ，Ｍ，Ｃ，ＢＫの全データからなる画素データを走査線本数毎の露光用フォーマットで読み出し、全色のデータを同時（点順次）に出力する。
【０１０３】
制御部２２は、入力されたＹ，Ｍ，Ｃ，ＢＫの全データからなる画素データを走査線本数毎の露光用フォーマットにした画像データに基づき、網点の画素数をカウントし、このカウントは、例えば、１ライン分または１頁分の網点画像データの画素について続けて行う。
【０１０４】
そして、その網点画像データについて主走査方向のドット数や副走査方向のドット数（ライン数）をカウントし、カウントされたカウント値を参照して画像サイズを算出しつつ、制御部３０は感光材料に画像を露光部２３にて露光するように制御する。
【０１０５】
画像記録装置２０では、感光材料としてロール状のハロゲン化銀カラー写真感光材料をセットして、シート状に切断した後、並び替えられた網点画像データに応じて露光部２３にてレーザ光で露光し、その後、現像部２４で現像処理して、出力部２５より排紙されカラープルーフを作成する。
【０１０６】
この際、省エネルギー制御手段２８は、操作部２７から特定期間操作入力がない場合、あるいは、通信制御部２１においいて管理装置１０からの網点画像データの出力などの各種指示やアクセス要求が特定期間ない場合などのいわゆる待機状態の場合に、前記画像データ記憶装置２２内の各部の駆動を停止したり、現像部２４に対する電力供給を停止したり等（詳細なモードなどの説明については後述する）の省電力、省エネルギー制御を行なう。
【０１０７】
ここで、前記モードは省エネルギー設定部２６ａにて設定を行なうことができ、前記モードとしては、画像記録装置２０の現像部２４をスタンバイ状態とする「ノーマルコントロールモード」、前記現像部２４をスタンバイ状態とするとともに前記画像記録装置２０に内蔵の画像データ記憶装置２２の各部を停止させる「セーブコントロールモード」、前記画像記録装置２０を構成する特定のユニット以外に対する電源供給を停止させるとともに、前記現像部２４を完全に停止させる「スリープコントロールモード」などが挙げられる。
【０１０８】
なお、スタンバイ状態とは、前記現像部２４内の各部の温度を現像処理における温度より低い特定の低温度に維持する状態をいう。
【０１０９】
ここで、本実施の形態においては、便宜的に、「ノーマルコントロールモード」、「セーブコントロールモード」、および「スリープコントロールモード」を構成しているがこれは一例であり、機能に応じて各種モードを構成し得る。
【０１１０】
これら、各モードにおける電力制御のための具体的構成については、後述することとし、その前に、画像記録装置の全体の機械的構成並びに制御系の構成について以下に説明することとする。
【０１１１】
（画像記録装置の機械的構成）
次に、画像記録装置２０の機械的構成について、図３および図４を用いて説明する。
【０１１２】
画像記録装置２０は、外観上の機械的構成として、図３に示すように、その構成要素を大別すると、記録材を構成する感光材料に対して画像露光処理を行う露光ユニット４０と、この露光ユニット４０によって露光処理された感光材料に対して現像処理を行う現像処理ユニット５０とから構成されている。
【０１１３】
因みに、ここにおいて、露光ユニット４０には、図２に示す通信制御部２１、電源状態認識手段２１Ａ、画像データ記憶装置２２、露光部２３、表示部２６、操作部２７、省エネルギー制御手段２８、設定情報記憶部２９、制御部３０が含まれており、現像処理ユニット５０には、図２に示す現像部２４、排紙部２５が含まれている。
【０１１４】
図３に説明を戻すと、露光ユニット４０の外部には、開閉可能な前面パネル４０ａが設けられ、露光ユニット４０の前面からメンテナンスが可能となっている。また、その上部には、現像処理ユニット５０側から２つの紙装填部４２、４２´と操作部２７とが配置されている。尚、操作部２７は、液晶パネルの上にタッチパネルを積載した構造となっている。
【０１１５】
現像処理ユニット５０の外部には、内部機器のメンテナンス用に上面パネル５０ａが開閉可能に設けられ、前面には、処理液の補充用に補給パネル５０ｂが開閉可能に設けられている。さらに、側面には、処理された感光材料を排出する排紙部２５が設けられている。
【０１１６】
（露光ユニットの構成）
図４に示すように、露光ユニット４０の内部には、給紙部４１、主走査部４６、副走査部４７、排紙部４８及びアキューム部４９が設けられている。
【０１１７】
給紙部４１は、２つの紙装填部４２、４２´と、紙装填部４２、４２´から搬送された感光材料Ｐを主走査部のドラム４３へ搬送する下給紙部２１とから構成されている。紙装填部４２、４２´の構成は略同一なので、以下、紙装填部４２を用いて説明を行い、同一箇所には番号に´（ダッシュ）を付し、重複する説明は省略する。
【０１１８】
紙装填部４２は、部屋構造となっており、給紙カバー４２ａが開閉可能に設けられ、内部にロール状の感光材料Ｐを収納した専用のカートリッジ４２ｂがセットされるようになっている。紙装填部４２の下部には、一対の給紙ローラ４４ａ、４４ｂが設けられ、給紙ローラ４４ａ、４４ｂの下部には、カッター４５ａが設けられている。さらに、紙充填部４２、４２´の下部には、１つに合流するペーパー搬送路Ｇ１、Ｇ１´が設けられ、合流位置には、一対の中間ローラ４５ｂが設けられている。
【０１１９】
主走査部４６には、感光材料Ｐが外表面に設けられるドラム４６ａが回転可能に設けられている。ドラム４６ａの外表面近傍には、ドラム４６ａに対して圧着可能な給排紙ローラ４６ｂが設けられている。この給排紙ローラ４６ｂのドラム４６ａとの圧着点と、ペーパー測長エンコーダーローラ４６ｃと、中間ローラ４５ｂとは一直線上に配置され、ペーパー測長エンコーダーローラ４６ｃと給排紙ローラ４６ｂとの間にはガイドＧ２が設けられている。さらに、別の給排紙ローラ４６ｄが中間ローラ４６ｂの下方に設けられている。
【０１２０】
副走査部４７には、ドラム４６ａに対向して光学ユニット４７ａが配置され、光学ユニット４７ａは副走査部４７を構成する不図示の移動機構（例えば移動ベルト、ガイドレール、プーリ、副走査モータなどからなる）によりドラム軸と平行に移動可能になっている。光学ユニット４７ａは、デジタル画像信号を受けてドラム４６ａに吸着された感光材料Ｐに光ビームで露光して画像の書き込みを行う。光学ユニット４７ａには、レッドＬＥＤユニットを構成するレーザー光源であるＬＥＤ４７Ｒ、グリーンＬＥＤユニットを構成するレーザー光源であるＬＥＤ４７Ｇ、ブルーＬＥＤユニットを構成するレーザー光源であるＬＥＤ４７Ｂが配置されている。ＬＥＤ４７Ｒ、ＬＥＤ４７Ｇ及びＬＥＤ４７Ｂからの光ビームは、ミラー４７ｅ、４７ｆ、４７ｇを介して、集光レンズ４７ｈからドラム４６ａ上の感光材料Ｐに画像を露光する。露光シャッター４７ｉは露光ソレノイド４７ｊにより開閉することで、露光開始／終了時に光路の開閉を行う。
【０１２１】
光学ユニット４７ａのドラム軸方向には、副走査基準位置検出センサＳ１１、副走査書き込み位置検出センサＳ１２及び副走査オーバーラン位置検出センサＳ１３（いずれも不図示）が配置され、副走査基準位置検出センサＳ１１の副走査基準位置検出で光学ユニット３２が停止し、この副走査基準位置から副走査が開始され、画像サイズに対応した移動量で副走査が停止され、さらに前記副走査基準位置へ移動して復帰させることで副走査が行われる。
【０１２２】
排紙部４８は剥離爪４８ａを備え、この剥離爪４８ａによって書き込みが終了した感光材料Ｐをドラム４６ａから剥離して、これを現像処理ユニット５０へ送り込む。このとき、現像処理ユニット５０の搬送速度の方が露光ユニット４０の排紙速度よりも遅い場合には、排紙速度が高速のまま感光材料Ｐをアキューム部４９へ送り込み、感光材料Ｐをアキューム部４９に垂れ下がるようにしてアキュームさせて、現像処理ユニット５０との搬送タイミングを図り露光ユニット４０の処理能力を落とさないようにしている。
【０１２３】
具体的には、露光ユニット４０の出口にはガイドの役割を果たすアキュムレータ４９ａが設けられており、アキュムレータ４９ａは、通常開いていて（図において二点鎖線の位置）、感光材料Ｐの排紙時に閉じた状態（実線位置）となり、剥離爪４８ａから露光ユニット４０の出口への搬送路を確保する（この閉じた位置をペーパー搬送可能位置と称する）。そして、感光材料Ｐの先端が露光ユニット４０の出口に達した時、アキュムレータ４９ａは開いて、感光材料Ｐの後端側をアキューム部４９の空間へ落とし込む。これにより、次の感光材料Ｐの処理が可能となる。また、高速（現像搬送速度に対し）で感光材料Ｐをアキュームさせることで、感光材料Ｐを傷つけることなく現像処理ユニット５０に送り込むことができる。露光ユニット４０の出口には、出口シャッター４９ｃ及び搬送ローラ４９ｂが設けられ、アキュムレータ４９ａが開かれた後、出口シャッター４９ｃが開かれ、搬送ローラ４９ｂにより、感光材料Ｐは現像処理ユニット５０へ送り込まれる。
【０１２４】
（現像処理ユニット）
現像処理ユニット５０の内部には、図４に示すように、第２露光部５１、現像部５２、定着部５３、安定部５４、乾燥部５５及び排紙部２５が備えられている。
【０１２５】
第２露光部５１は、露光ユニット４０で露光されなかった感光材料の部分を露光して擬似画像を形成する。具体的には、例えばネガ像をポジ像に反転する等の処理を行う。
【０１２６】
現像部５２、定着部５３及び安定部５４の各々には、現像処理を行う処理液が満たされた処理槽５２ａ、５３ａ、５４ａと、これに付随する処理液補充ポンプ（図示省略）が設けられ、さらに、現像部５２及び定着部５３には、温調用のヒーター（図示省略）が設けられている。そして、現像部５２は、露光ユニット４０で露光された感光材料の発色現像処理を行い、定着部５３は漂白・定着処理を行い、安定部５４は安定処理を行う。
【０１２７】
乾燥部５５には、温調用のヒーター（図示省略）及び乾燥ファンＦ５５が設けられ、温調用のヒーターによる温調下において、現像処理された感光材料を乾燥ファンＦ５５によって乾燥し、これを排紙部２５へ送り出す。
【０１２８】
（画像記録装置の制御系の構成）
次ぎに、当該画像記録装置（カラープルーフ作成装置）２０の制御系の構成について、図５〜図８に示すブロック図を用いて説明する。
【０１２９】
（画像記録装置の電力供給に関する制御系の構成）
先ず、当該画像記録装置２０の電力供給に関する制御構成について、図５を用いて説明する。尚、この項目においては簡潔に説明を行うために、当該画像記録装置２０を構成する様々な構成要素の内、特に消費電力の大きい構成要素である露光ユニット４０のドラム回転モーターＭ６及びドライバＤ６、ＬＥＤ４７Ｒ・４７Ｇ・４７Ｂ及びドライバＤ４７０・Ｄ４７１・Ｄ４７２、現像処理ユニット５０の搬送駆動モーターＭ５０及びドライバＤ５０、現像ヒーターＨ５２、定着ヒーターＨ５３、乾燥ヒーターＨ５５、乾燥ファンＦ５５、現像補充ポンプＰ５２、定着補充ポンプＰ５３、安定補充ポンプＰ５４等に限って説明を行うものとする。なお、これらはあくまでも消費電力の大きい構成要素を例示したものにすぎず、この他の構成要素を除外するものではない。
【０１３０】
電力供給の制御系１００は、図５に示すように、電力供給源Ｓからの配線が露光ユニット４０の各部および現像処理ユニット５０の各部に接続されることにより電力が供給される構成となっている。
【０１３１】
具体的には、露光ユニット４０の内部には、装置本体２０ａの各部制御を司る（ＲＩＰとの通信制御等を兼用する場合には通信制御を含む：ただし通信制御部を別途独立して設けるようにしてもよくその場合には通信制御機能を除外してもよい）メインコントローラ１３０と、操作部２７（液晶パネル２６Ａ及びタッチパネル２６Ｂ）の制御を行うオペレーションパネルコントローラ１２６と、当該露光ユニット４０の各部（ドラム回転モーターＭ６及びドライバＤ６等）の制御を行うプリンターコントローラ１２５と、画像データ記憶装置２２を構成するＨＤＤ（ハードディスクドライブ）の駆動制御等を行うイメージプロセッサ１２２と、光学ユニット４７ａの各部（ＬＥＤ４７Ｒ・４７Ｇ・４７Ｂ、及びドライバＤ４７０・Ｄ４７１・Ｄ４７２等）の制御を行う露光コントローラ１２３と、が設けられている。
【０１３２】
ここで、イメージプロセッサ１２２は、図２に示す画像データ記憶装置２２に含まれ、プリンターコントローラ１２５およびそれに制御される各部と・露光コントローラ１２３およびそれに制御される各部とは、図２に示す露光部２３に含まれ、オペレーションパネルコントローラ１２６およびそれに制御される各部は、図２に示す表示部２６に含まれ、メインコントローラ１３０は、図２に示す制御部３０に含まれる構成としてよい。
【０１３３】
現像処理ユニット５０の内部には、当該現像処理ユニット５０の各部（搬送駆動モーターＭ５０及びドライバＤ５０、現像ヒーターＨ５２、定着ヒーターＨ５３、乾燥ヒーターＨ５５、乾燥ファンＦ５５、現像補充ポンプＰ５２、定着補充ポンプＰ５３、安定補充ポンプＰ５４等）の制御を行うプロセッサーコントローラ１２４が設けられている。
【０１３４】
ここで、プロセッサーコントローラ１２４およびそれに制御される各部は、図２に示す現像部２４に含まれる。
【０１３５】
さらに、電力供給源Ｓとプリンターコントローラ１２５、イメージプロセッサ１２２、及び露光コントローラ１２３の間にはＳＳＲ（ＳＯＬＩＤ  ＳＴＡＴＥＲＥＬＡＹ）１２８が、電力供給源Ｓとプロセッサーコントローラ１２４の間にはＳＳＲ１２９がそれぞれ設けられ、メインコントローラ１３０からのコントロール信号によって各部への電力供給／電力遮断が行われるように構成されている。
【０１３６】
ここで、ＳＳＲ１２８およびＳＳＲ１２９は、図２の省エネルギー制御手段２８に含まれる構成としてよい。
【０１３７】
なお、プリンターコントローラ１２５には、ドラム４６ａを回転駆動させるドラム回転モーターＭ６及びドライバＤ６が接続され、これらに対する電力供給制御が行われている。因みに、ドラム回転モーターＭ６へは三相２００Ｖの電力が供給される。また、イメージプロセッサ１２２には、画像データ記憶装置２２（ページメモリ）を構成するＨＤＤが接続され、このＨＤＤの回転駆動制御が行われている。さらに、露光コントローラ１２３には、光源であるＬＥＤ４７Ｒ・４７Ｇ・４７Ｂ及びドライバＤ４７０・Ｄ４７１・Ｄ４７２が接続され、これらに対する電力供給制御が行われている。同様に、プロセッサーコントローラ１２４には、感光材料の搬送を行う搬送駆動モーターＭ５０及びドライバＤ５０、温調を行う現像ヒーターＨ５２、定着ヒーターＨ５３及び乾燥ヒーターＨ５５、感光材料の乾燥を行う乾燥ファンＦ５５、現像処理液の補充を行う現像補充ポンプＰ５２、定着補充ポンプＰ５３及び安定補充ポンプＰ５４が接続され、これらに対する電力供給制御等が行われている。因みに、これら温調用のヒーター及び乾燥ファンへは単相２００Ｖの電力が供給される。
【０１３８】
このような構成を有する電力供給の制御系１００において、メインコントローラ１３０は、当該画像記録装置２０の現像処理ユニット５０において現像処理が完了した後、管理装置１０のデータ処理部１２などのＲＩＰからの画像データの送信待ち状態、即ち、待機状態となると、特定の期間操作部２７の操作が行われること無く、若しくは、ＲＩＰからの画像データの送信がなかった場合には、当該画像記録装置２０のモードを通常モードから待機モード、すなわちパワーマネジメントによる省エネルギー制御に切換える。この省エネルギー制御には、予め省エネルギー設定部２６ａによって設定された設定の仕方に応じて前述した３つのモード、すなわち、「ノーマルコントロールモード」、「セーブコントロールモード」、および「スリープコントロールモード」がある。
【０１３９】
具体的には、省エネルギー設定部２６ａにおいて「ノーマルコントロールモード」が設定されている場合には、現像部２４をスタンバイ状態とするものであるから、ＳＳＲ１２８、ＳＳＲ１２９を遮断せずに、メインコントローラ１３０からの制御命令に基づいて、プロセッサーコントローラ１２４は、現像部２４内の各部、例えば搬送駆動モータＭ５０を停止させるとともに、乾燥ヒータＨ５５および乾燥ファンＦ５５を現像処理時の温度から例えば１０度程度低い低温度となるように温度制御を行なう。これにより、待機状態においては、加熱処理に伴う消費電力を低減することができる。
【０１４０】
次に、省エネルギー設定部２６ａにおいて「セーブコントロールモード」が設定されている場合には、前記現像部２４をスタンバイ状態とし、かつ、画像データ記憶装置２２内のＨＤＤをディスク回転の駆動を停止する制御であるから、メインコントローラ１３０は、ＳＳＲ１２８を遮断し、ＳＳＲを遮断しないようコントロール信号を供給する。
【０１４１】
これによって、イメージプロセッサ１２２に対する電源供給源Ｓからの電源供給が停止し、当該イメージプロセッサ１２２によって制御される画像データ記憶装置２２内のＨＤＤのディスク回転を停止することができる。また、プロセッサーコントローラ１２４に対しては、前記ノーマルコントロールモード同様に、メインコントローラ１３０からの制御命令に基づいて、プロセッサーコントローラ１２４は、現像部２４内の各部、例えば搬送駆動モータＭ５０を停止させるとともに、乾燥ヒータＨ５５および乾燥ファンＦ５５を現像処理時の温度から例えば１０度程度低い低温度となるように温度制御を行なう。
【０１４２】
このように、現像部２４のスタンバイ状態に加えて、イメージプロセッサ１２２によって制御される画像データ記憶装置２２内のＨＤＤのディスク回転を停止することで、さらなる消費電力の低減を図ることができる。というのも、現像部２４においては、乾燥部の加熱に対する消費電力が現像部２４全体が消費する電力に占める割合が大きく、また、露光部２３においては、ＨＤＤの回転による消費電力が露光部２３全体が消費する電力に占める割合が大きいからである。特に、近年のＨＤＤの大容量化とともに、露光部２３に占めるＨＤＤによる消費電力の比率が大きくなる傾向があるために、待機状態においてこのような制御を行なうことは消費電力低減の観点から有用である。
【０１４３】
なお、プロセッサーコントローラ１２４及び現像処理ユニット５０のように、所謂、ウォームアップ処理を必要するユニット以外への電力供給を遮断し、現像処理ユニット５０の現像ヒーターＨ５２、定着ヒーターＨ５３及び乾燥ヒーターＨ５５等に関しては、温調の際、所定時間のウォームアップ処理を必要とするので、即座にプリント処理を再開することを可能となるよう、これらの電力供給制御を行うプロセッサーコントローラ１２４への電力供給を継続し、通常のプリント処理時よりも１０℃程度低く温調を行うことで消費電力の低減を図ることができるのである。
【０１４４】
次に、省エネルギー設定部２６ａにおいて「スリープコントロールモード」が設定されている場合には、一部ユニット以外の電源供給を全て遮断するものであるから、ＳＳＲ１２８、ＳＳＲ１２９をともに遮断状態とするよう、メインコントローラ１３０がコントロール信号を供給する。これによって、メインコントローラ１３０自身とオペレーションパネルコントローラ１２６以外は、全て電力供給が遮断されることなる。これによって、例えば、現像部２４も完全に停止される制御を行なうことができる。
【０１４５】
具体的には、ＳＳＲ１２８、１２９に電力の供給を遮断するようにコントロール信号を送信して、これを受けたＳＳＲ１２８、１２９は、それぞれ、プリンターコントローラ１２５、イメージプロセッサ１２２、及び露光コントローラ１２３、プロセッサーコントローラ１２５への電力の供給を遮断する。
【０１４６】
従って、メインコントローラ１３０からのコントロール信号によってＳＳＲ１２８、１２９が電力の供給を遮断すると、プリンターコントローラ１２５、イメージプロセッサ１２２及び露光コントローラ１２３、プロセッサーコントローラ１２４への電力の供給が遮断されるだけでなく、これらによって電力供給制御が行われているドラム回転モーターＭ６及びドライバＤ６、ＨＤＤの回転駆動部、ＬＥＤ４７Ｒ・４７Ｇ・４７Ｂ及びドライバＤ４７０・Ｄ４７１・Ｄ４７２、搬送駆動モーターＭ５０及びドライバＤ５０、現像ヒーターＨ５２、定着ヒーターＨ５３及び乾燥ヒーターＨ５５、乾燥ファンＦ５５、現像補充ポンプＰ５２、定着補充ポンプＰ５３及び安定補充ポンプＰ５４等への電力供給も停止されることになる。
【０１４７】
尚、前述したように、以上に挙げた露光ユニット４０のドラム回転モーターＭ６及びドライバＤ６、ＬＥＤ４７Ｒ・４７Ｇ・４７Ｂ及びドライバＤ４７０・Ｄ４７１・Ｄ４７２、現像処理ユニット５０の搬送駆動モーターＭ５０及びドライバＤ５０、現像ヒーターＨ５２、定着ヒーターＨ５３、乾燥ヒーターＨ５５、乾燥ファンＦ５５、現像補充ポンプＰ５２、定着補充ポンプＰ５３、安定補充ポンプＰ５４等の構成要素は、あくまでも消費電力の大きい構成要素を例示したものにすぎず、この他にもプリンターコントローラ１２５、イメージプロセッサ１２２、露光コントローラ１２及びプロセッサーコントローラ１２５によって同様に電力供給制御が行われる構成要素も含まれるものとする。
【０１４８】
このように、メインコントローラ１３０は、当該画像記録装置２０のモードが通常モードから待機モードに切換わる場合には、当該メインコントローラ１３０、オペレーションパネルコントローラ１２６の操作部２７および表示部２６のように、所謂、外部Ｉ／Ｆを有するユニット以外、への電力供給を遮断する。これにより、前記の如何なるモードよりもさらに消費電力の低減を図ることができる。
【０１４９】
なお、待機状態となった時からセーブ運転切換えタイマーＴ１によって計時を開始して、特定期間に至り、操作パネル８の操作が行われること無く、若しくは、ＲＩＰ２００からの画像データの送信がなかった場合に、前記各モードに自動切換えされるようタイマー設定機能を形成してもよい。
【０１５０】
なお、メインコントローラは、管理装置１０と直接的に繋がっており、管理装置１０との間の情報の交換などの通信制御機能も兼用しているので、管理装置１０からの要求（コマンド）に対する応答信号を発するために、常に電源が供給されるようにする。さらに、オペレーションパネルコントローラは、マンマシンインターフェースを司るコントローラであるので、当該操作部により操作入力が行われる場合に起きあがる。これらの外部インターフェースの部分は通電状態としないと自動復帰できないために、前記部分以外の各部については電源供給を遮断して停止制御し、待機電力を低減させるようにする。
【０１５１】
（前記制御系１００における各部の構成）
次に、図５の制御系１００におけるさらに詳細な構成について、図６を参照しつつ説明する。
【０１５２】
制御系１００は、図６に示すように、イメージプロセッサ１２２、露光コントローラ１２３、プリンタコントローラ１２５、露光ヘッド１２７、プロセッサーコントローラ１２４、オペレーションパネルコントローラ１２６、メインコントローラ１３０を含んで構成される。
【０１５３】
イメージプロセッサ１２２は、複数のディスク装置２２１、２２２と、これらディスク装置２２１、２２２に対してデータの授受を行なうためのＩ／Ｆ２２３と、露光コントローラ１２３に対してデータを供給する際の出力バッファ２２４ａと、これらの制御を司るＣＰＵ２２５とを有する。
【０１５４】
露光コントローラ１２３は、前記イメージプロセッサ１２２からのデータに基づいて、露光ヘッド１２７内のＬＥＤドライバやサーモコントローラを制御する露光ＣＰＵ４０１を含む。
【０１５５】
プリンタコントローラ１２５は、センサ類やモータ・ファン・ソレノイド等のアクチュエータ類を駆動するドライバ、ブロワユニット等を制御するプリンタＣＰＵを含む。
【０１５６】
プロセッサーコントローラ１２４は、モータ・ポンプ・ヒータなどのアクチュエータ類の各部をオンオフ制御するＳＳＲやセンサ類を制御する現像ＣＰＵ１２４を含む。
【０１５７】
オペレーションパネルコントローラ１２６は、液晶パネル２６Ａやタッチパネル２６Ｂを制御するパネルＣＰＵ２６Ｃを含む。
【０１５８】
メインコントローラ１３０は、これらイメージプロセッサ１２２、露光コントローラ１２３、プリンタコントローラ１２５、プロセッサーコントローラ１２４、オペレーションパネルコントローラ１２６の各部の制御を司るメインＣＰＵを含む。
【０１５９】
上記のような構成を有する制御系１００において、オペレーションパネルコントローラ１２６にて予め省エネルギー制御機能として、スリープコントロールモードが設定されている場合には、待機状態となると、特定の期間タッチパネル２６Ｂの操作が行われること無く、若しくは、ＲＩＰからの画像データの送信がなかった場合には、メインＣＰＵは、プリンターコントローラ１２５、イメージプロセッサ１２２及び露光コントローラ１２３、プロセッサーコントローラ１２４内の各部を全て停止するように制御する。これらによって、ＨＤＤの回転駆動部、ＬＥＤドライバ、ヒーター、ポンプ等も停止されることになる。
【０１６０】
（露光ユニットの制御系）
次に、露光ユニットの制御系の構成について、図７を用いて説明する。図７に、露光ユニット４０の制御系の構成を示す。
【０１６１】
当該露光ユニット４０の制御系４００は、図７に示すように、管理装置１０内のデータ処理部などのＲＩＰ１２ａからの網点画像データを記憶した画像データ記憶装置２０からの画像データの各色成分を、設定されたチャンネルの各光源の光量に変換するためのＬＵＴ４１４と、露光ユニット４０を構成する各部と、これらの制御を司る露光制御部４００ａを有する。
【０１６２】
露光制御部４００ａは、ＣＰＵ４０１、ＲＡＭ４０２及びＲＯＭ４０３を有し、Ｉ／Ｏポート４０４、４０５を介してセンサ類及びアクチュエータ群に接続され、センサ類からの情報に基づきアクチュエータ群を制御する。
【０１６３】
ＲＯＭ４０３には、装置内の各種デバイスを初期化するためのデータが格納され、ＲＡＭ４０２には、装置固有の初期値及び補正値のデータが格納される。
【０１６４】
センサ類としては、カートリッジ有無センサＳ１、Ｓ１´、カバー閉検出センサＳ２、Ｓ２´、カバーロック検出センサＳ３、Ｓ３´、ペーパーエンドセンサＳ４、Ｓ４´、給紙ローラ圧着位置検出センサＳ５、Ｓ５´、給紙ローラ解除位置検出センサＳ６、Ｓ６´、ドラム給排紙ローラ圧着位置検出センサＳ７、ドラム給排紙ローラ解除位置検出センサＳ８、ペーパー先端基準位置センサＳ９、ペーパー送り量検出センサＳ１０、副走査基準位置検出センサＳ１１、副走査書込み位置検出センサＳ１２、ロータリーエンコーダー３７、副走査オーバーラン位置検出センサＳ１３、ペーパーエンド検出センサＳ１５、Ｓ１５´出口シャッター開検出センサＳ１６、剥離爪圧着センサＳ２１、剥離爪中間センサＳ２２、剥離爪解除センサＳ２３、ペーパー出口センサＳ２４、カッターホームポジション検出センサＳ２５、Ｓ２５´、カッターエンドポジション検出センサＳ２６、Ｓ２６´、剥離ジャム検出センサＳ３０、アキューム開センサＳ４０、アキューム閉センサＳ４１、給紙シャッター開センサＳ４３、Ｓ４３´が接続される。また、待機状態の計時手段として、特定の期間経過後にセーブ運転に切換えるためのタイマーＴ１が接続される。
【０１６５】
アクチュエータ群としては、カバーロックモーターＭ１、Ｍ１´、給紙ローラ圧着解除モーターＭ２、Ｍ２´、給紙モーターＭ３、Ｍ３´、カッターモーターＭ２０、Ｍ２０´、ドラム給排紙モーターＭ４、ドラム給排紙ローラ圧着解除モーターＭ５、ドラム回転モーターＭ６、副走査モーターＭ７、露光シャッターソレノイド３３３、搬出モーターＭ８、出口シャッターモーターＭ１０、剥離爪モーターＭ２１、アキューム開閉モーターＭ３０、給紙シャッターモーターＭ３１、Ｍ３１´が接続され、それぞれドライバＤ１、Ｄ１´、Ｄ２、Ｄ２´、Ｄ３、Ｄ３´、Ｄ２０、Ｄ２０´、Ｄ４、Ｄ５、Ｄ６、Ｄ７、Ｄ３３３、Ｄ８、Ｄ１０、Ｄ２１、Ｄ３０、Ｄ３１、Ｄ３１´を介して駆動される。
【０１６６】
表示部２６は、液晶パネル２６ＡがドライバＤ２０により制御され、画像記録装置の運転状態を表示する。また、タッチパネル２６Ｂからの操作による指令は、Ａ／Ｄ変換部４２０によりデジタル情報としてＣＰＵ４０１に送られる。
【０１６７】
表示部２６は、液晶パネル２６Ａとタッチパネル２６Ｂとを有し、装置本体２０ａの外面に設けられた、各種設定や操作のための情報を入力する入力手段であるとともに、装置の状況や各種情報を表示する表示手段でもある。この表示部２６は、他のＬＥＤ等からなる表示手段、入力キー等からなる入力手段から構成してもよい。この表示部２６から操作者が入力することにより、各種設定・変更することができるよう構成している。
【０１６８】
このような構成において、デジタル画像データは、外部接続されたデータ処理部などのＲＩＰ１２ａから画像データＩ／Ｆ部２２３（２２４）を介してデータバッファ２２１（２２１Ｙ、２２１Ｍ、２２１Ｃ、２２１Ｂｋ）に送られる。一方、ロータリーエンコーダー３７からの感光材料送り情報に基づくＰＬＬ４１２の出力信号に同期させて、ドットクロック生成部４１３のドットクロックでデジタル画像情報をデータバッファ２２１（２２１Ｙ、２２１Ｍ、２２１Ｃ、２２１Ｂｋ）からＬＵＴ（ルックアップテーブル）４１４及びＤ／Ａ変換部４７０Ｒ、４７０Ｇ、４７０Ｂを介してドライバＤ４７０、Ｄ４７１、Ｄ４７２に与え、これらドライバＤ３２０、Ｄ３２１、Ｄ３２２によりレッドＬＥＤユニットのＬＥＤ４７Ｒ、グリーンＬＥＤユニットのＬＥＤ４７Ｇ、ブルーＬＥＤユニットのＬＥＤ４７Ｂをそれぞれ駆動する。
【０１６９】
ここで、データ処理部などのＲＩＰ１２ａにより作成された各色（Ｃ、Ｍ、Ｙ、Ｋ）の網点画像データは画像データＩ／Ｆ部２２３（２２４）に転送され、そこでＲＩＰフォーマットから露光用フォーマットにデータ変換されてデータバッファ２２１（２２１Ｙ、２２１Ｍ、２２１Ｃ、２２１Ｂｋ）に蓄積されるようになっている。データバッファ２２１（２２１Ｙ、２２１Ｍ、２２１Ｃ、２２１Ｂｋ）に１枚分の画像データが蓄積された後、データバッファ２２１で転送速度の変動をアキュームしながら、ドットクロック生成部４１３で生成したドットクロックでデータを全色同時に読み出し、ＬＵＴに送る。これにより全色同時露光を行う。
【０１７０】
データバッファ２２１（２２１Ｙ、２２１Ｍ、２２１Ｃ、２２１Ｂｋ）は、各色２つずつ有し、露光時に１組のデータバッファからデータを出力中に、データ処理部などのＲＩＰ１２ａからのデータを、他の組のデータバッファにて受信可能な構成を持つ。
【０１７１】
なお、このデータバッファ２２１としては、第１メモリと第２メモリとから構成されている一対のラインメモリと双方向バッファとから構成されることが好ましい。この双方向バッファは、画像データの書き込み及び読み出しがを同時に行えるようになっているため、メモリの切換部が不要で、それにより回路構成が簡略化される。
【０１７２】
（現像処理ユニットの制御系）
次に、現像処理ユニットの制御系の構成について、図８を参照して説明する。図８に、現像処理ユニット５０の制御系の構成を示す。
【０１７３】
当該現像処理ユニット５０の制御系５００は、図８に示すように、センサ類、アクチュエータ類およびこれらの各部の制御を司る現像制御部５００ａからなる。
【０１７４】
現像制御部５００ａは、ＣＰＵ５０１、ＲＡＭ５０２及びＲＯＭ５０３、Ｉ／Ｏポート５０４、５０５、Ａ／Ｄ変換部５２０を有し、ＣＰＵ５０１、ＲＡＭ５０２及びＲＯＭ５０３は、Ｉ／Ｏポート５０４、５０５を介してセンサ類及びアクチュエータ群に接続され、センサ類からの情報に基づきアクチュエータ群を制御することで一連のユニットの制御を行う。
【０１７５】
ＲＯＭ５０３には、装置内の各種デバイスを初期化するためのデータが格納され、ＲＡＭ５０２には、装置固有の初期値及び補正値のデータが格納される。センサ関係としては、天板開検出センサＳ５０、現像補充タンク空検出センサＳ５２ａ、定着補充タンク空検出センサＳ５３ａ、安定補充タンク空検出センサＳ５４ａ、現像廃液タンクフル検出センサＳ５２ｂ、定着廃液タンクフル検出センサＳ５３ｂ、安定廃液タンクフル検出センサＳ５４ｂが接続される。また、アンプＡ５２、Ａ５３、Ａ５５を介して、現像温度センサＳ５２、定着温度センサＳ５３、乾燥温度センサＳ５５が接続される。
【０１７６】
アクチュエータ群としては、ドライバＤ５０を介して搬送駆動モーターＭ５０が、ＳＳＲ（ＳＯＬＩＤ  ＳＴＡＴＥ  ＲＥＬＡＹ）５１０〜５１６を介して現像ヒーターＨ５２、定着ヒーターＨ５３、乾燥ヒーターＨ５５、乾燥ファンＦ５５、現像補充ポンプＰ５２、定着補充ポンプＰ５３、安定補充ポンプＰ５４が接続される。
【０１７７】
（画像データ記憶装置の構成）
次に、画像データ記憶装置の具体的構成について説明する。図９は、本実施の形態の画像データ記憶装置の一例の概略構成を示すブロック図である。
【０１７８】
画像データ記憶装置２２は、図９に示すように、第１、第２の各ディスクアレイユニット２２１・２２２と、通信制御部２１からの画像データを前記第１、第２のディスクアレイユニット２２１・２２２に書き込む書込制御部２２３と、前記第１、第２のディスクアレイユニット２２１・２２２の画像データを露光部２３に対して供給するために画像データを読み出す読出制御部２２４と、これらの制御を司るメインコントロールＣＰＵ２２５およびＲＯＭ２２６・ＲＡＭ２２７とを含んで構成される。
【０１７９】
メインコントロールＣＰＵ２２５は、画像データ記憶装置２２全体を制御する。従って、前記のようなリレーによる電力供給停止の他、例えば省エネルギー制御手段２８から制御信号ないしは命令をメインコントロールＣＰＵ２２５に対して供給することによって、各ＨＤＤを個別に停止制御したり、あるいは読み出し時には、書込制御にかかる系を停止制御したり、書き込み時には、読出制御にかかる系を停止制御したりすることもできる。ＲＯＭ２２６は、メインコントロールＣＰＵ２２５を制御するプログラムや各種データが記録されている。ＲＡＭ２２７は、メインコントロールＣＰＵ２２５がプログラムの実行等のために使用する。
【０１８０】
書込制御部２２３は、シリアル入出力部（以下、ＳＩＯ）２２３ｄ、ＲＩＰレシーバ２２３ａ、データ並べ替え部２２３ｂ、ＨＤＤライトバッファ２２３ｃを含んで構成される。
【０１８１】
ＳＩＯ２２３ｄは、図外の網点画像データ生成手段を含む管理装置１０との間で各種制御データをシリアルデータとして入出力するためのＩ／Ｏである。
【０１８２】
ＲＩＰレシーバ２２３ａは、通信制御部２１からの網点画像データを入力されるためのＩ／Ｏである。データ並べ替え部２２３ｂは、ＲＩＰレシーバ２２３ａから入力された網点画像データを、光学ユニット４７ａで各色ｎ本の走査線を同時に記録するのに都合のよいｎ本の走査線毎に区切り、ｎ本の走査線毎の網点画像データを画像記録装置２０が記録する順番に並べ替える。
【０１８３】
ＨＤＤライトバッファ２２３ｃは、データ並び替え部２２３ｂで並べ替えられた網点画像データを一時的に記憶して、順番に出力するＦＩＦＯバッファ素子で構成されたバッファであり、データ並び替え部２２３ｂの画像データの出力速度と記憶装置であるハードディスクドライブ（以下、ＨＤＤ）２２１Ｙ、２２１Ｍ、２２１Ｃ、２２１Ｂｋ、２２２Ｙ、２２２Ｍ、２２２Ｃ、２２２Ｂｋ、の画像データの書込速度との差を調整して出力するものである。
【０１８４】
読出制御部２２４は、出力バッファ２２４ａ、ＤＯＩＦ２２４ｂ、ＳＩＯ２２４ｃを含んで構成される。
【０１８５】
出力バッファ２２４ａは、複数のＦＩＦＯバッファ素子からなっており、各色毎に設けられた出力バッファから出力された画像データを出力された順番に一時的に記憶して、この順番に出力するものである。
【０１８６】
ＤＯＩＦ２２４ｂは、出力バッファ２２４ａから出力された各色の網点画像データを、露光部の制御部にパラレルデータとして出力するＩ／Ｆである。
【０１８７】
ＳＩＯ２２４ｃは、露光部の制御部との間で各種制御データをシリアルデータとして受け渡しするＩ／Ｏである。
第１のディスクアレイユニット２２１は、Ｙ、Ｍ、Ｃ、ＢＫの４色の各色毎に設けられた４つのディスクユニット２２１Ｙ、２２１Ｍ、２２１Ｃ、２２１Ｂｋと、ディスクコントロールＣＰＵ２２１ａとから構成されている。すなわち、通信制御部２１からの網点画像データの書き込み時には、各色専用のディスクユニット２２１Ｙ、２２１Ｍ、２２１Ｃ、２２１Ｂｋに書き込み、記憶させ、読み出し時には４つのディスクユニット２２１Ｙ、２２１Ｍ、２２１Ｃ、２２１Ｂｋから同時並列的に網点画像データを読み出す。
【０１８８】
第２のディスクアレイユニット２２２は、Ｙ、Ｍ、Ｃ、ＢＫの４色の各色毎に設けられた４つのディスクユニット２２２Ｙ、２２２Ｍ、２２２Ｃ、５２２〜５２５と、ディスクコントロールＣＰＵ５２１とから構成されている。すなわち、網点画像データ生成装置２００からの網点画像データの書き込み時には、各々の色専用のディスクユニット５２２〜５２５に書き込み、記憶させ、読み出し時には４つのディスクユニット５２２〜５２５から同時並列的に網点画像データを読み出していくようにする。
【０１８９】
なお、第１のディスクアレイユニット２２１と第２のディスクアレイユニット２２２とは、いずれか一方で網点画像データ生成手段から通信制御部２１を介してのデータの蓄積を行っている場合には、他方で露光部の制御部への出力を行うことで、切れ目のない処理を行うことが可能になっている。
【０１９０】
また、Ｙ版用のディスクユニット２２１Ｙは、Ｙ版用の網点画像データを記憶するＨＤＤ（Ｄ２２１Ｙ）と、ＨＤＤ（Ｄ２２１Ｙ）から読み出される網点画像データを一時的に記憶する出力バッファＢ２２１Ｙとにより構成されている。なお、図５に示すように、各色専用のディスクユニット２２１Ｙ、２２１Ｍ、２２１Ｃ、２２１Ｂｋのすべてで、同様なＨＤＤと出力バッファとが設けられている。また、ディスクユニット２２２Ｙ、２２２Ｍ、２２２Ｃ、２２２Ｂｋについても同様にＨＤＤと出力バッファとが設けられている。
【０１９１】
そして、出力バッファ２２４ａは、第１のディスクアレイユニット２２１や第２のディスクアレイユニット２２２から読み出された各色の網点画像データを一時的に記憶して出力するバッファである。
【０１９２】
また、各色専用のディスクユニット２２１Ｙ、２２１Ｍ、２２１Ｃ、２２１Ｂｋ、２２２Ｙ、２２２Ｍ、２２２Ｃ、２２２Ｂｋ内のＨＤＤ（Ｄ２２１Ｙ、Ｄ２２１Ｍ、Ｄ２２１Ｃ、Ｄ２２１Ｂｋ）、（Ｄ２２２Ｙ、Ｄ２２２Ｍ、Ｄ２２２Ｃ、Ｄ２２２Ｂｋ）には、ＨＤＤライトバッファ２２３ｃから出力された順番に網点画像データを記憶し、この入力順に網点画像データを読み出すように、ディスクコントロールＣＰＵ２２１ａ、２２２ａにより制御されている。
【０１９３】
また、各色専用のディスクユニット２２１Ｙ、２２１Ｍ、２２１Ｃ、２２１Ｂｋ、２２２Ｙ、２２２Ｍ、２２２Ｃ、２２２Ｂｋ内の出力バッファＢ２２１Ｙ、Ｂ２２１Ｍ、Ｂ２２１Ｃ、Ｂ２２１Ｂｋ、Ｂ２２２Ｙ、Ｂ２２２Ｍ、Ｂ２２２Ｃ、Ｂ２２２Ｂｋは、各ＨＤＤ（Ｄ２２１Ｙ、Ｄ２２１Ｍ、Ｄ２２１Ｃ、Ｄ２２１Ｂｋ）、（Ｄ２２２Ｙ、Ｄ２２２Ｍ、Ｄ２２２Ｃ、Ｄ２２２Ｂｋ）から順番に読み出された網点画像データをこの順番に一時的に記憶して出力するバッファである。
【０１９４】
これは、各ＨＤＤ（Ｄ２２１Ｙ、Ｄ２２１Ｍ、Ｄ２２１Ｃ、Ｄ２２１Ｂｋ）、（Ｄ２２２Ｙ、Ｄ２２２Ｍ、Ｄ２２２Ｃ、Ｄ２２２Ｂｋ）の画像データの読み出し速度にバラツキがあるが、各ＨＤＤ毎に出力バッファＢ２２１Ｙ、Ｂ２２１Ｍ、Ｂ２２１Ｃ、Ｂ２２１Ｂｋ、Ｂ２２２Ｙ、Ｂ２２２Ｍ、Ｂ２２２Ｃ、Ｂ２２２Ｂｋが設けられているため、４つのＨＤＤ間の画像データの読み出し速度のバラツキを調整して出力するので、同一画素に属する複数色のデータを同じタイミングで出力するというように、４つのＨＤＤから読み出された画像データ相互の関係を所定の関係にできる。
【０１９５】
なお、各色専用のディスクユニット内の出力バッファＢ２２１Ｙ、Ｂ２２１Ｍ、Ｂ２２１Ｃ、Ｂ２２１Ｂｋ、Ｂ２２２Ｙ、Ｂ２２２Ｍ、Ｂ２２２Ｃ、Ｂ２２２Ｂｋと出力バッファ２２４ａとは、ＦＩＦＯバッファ素子により構成されている。また、ＨＤＤ（Ｄ２２１Ｙ、Ｄ２２１Ｍ、Ｄ２２１Ｃ、Ｄ２２１Ｂｋ）、（Ｄ２２２Ｙ、Ｄ２２２Ｍ、Ｄ２２２Ｃ、Ｄ２２２Ｂｋ）については、ＳＣＳＩ接続であってもＩＤＥ接続であってもよい。
【０１９６】
また、出力バッファ２２４ａは、複数のＦＩＦＯバッファ素子からなっており、各色毎に設けられた出力バッファＢ２２１Ｙ、Ｂ２２１Ｍ、Ｂ２２１Ｃ、Ｂ２２１Ｂｋ、Ｂ２２２Ｙ、Ｂ２２２Ｍ、Ｂ２２２Ｃ、Ｂ２２２Ｂｋから出力された画像データを出力された順番に一時的に記憶して、この順番に出力する。この出力バッファ２２４ａは、各色毎に設けられた出力バッファＢ２２１Ｙ、Ｂ２２１Ｍ、Ｂ２２１Ｃ、Ｂ２２１Ｂｋ、Ｂ２２２Ｙ、Ｂ２２２Ｍ、Ｂ２２２Ｃ、Ｂ２２２Ｂｋからの画像データの出力速度と、画像記録装置２０への画像データの出力速度との差を調整して出力するものである。
【０１９７】
出力バッファ２２４ａに用いられるＦＩＦＯバッファ素子の幾つかを、１つのＦＩＦＯバッファ素子を複数の色に跨ってデータを記憶するものにして、用いるＦＩＦＯバッファ素子の数を少なくしてもよい。これは、出力バッファＢ２２１Ｙ、Ｂ２２１Ｍ、Ｂ２２１Ｃ、Ｂ２２１Ｂｋ、Ｂ２２２Ｙ、Ｂ２２２Ｍ、Ｂ２２２Ｃ、Ｂ２２２Ｂｋで同一画素に属する複数色のデータを同一のタイミングで出力するようにしているため、１つのＦＩＦＯバッファ素子に複数の色のデータが記憶されても構わないからである。
【０１９８】
（画像データ記憶装置の動作について）
以下、本実施の形態の画像データ記憶装置２２の動作説明を行う。なお、ここでは説明を簡略化するため、第１のディスクアレイユニット２２１についての動作を示すが、第２のディスクアレイユニット２２２についても同様である。
【０１９９】
以上のような構成の画像データ記憶装置２２において、網点画像データ生成手段を含む管理装置１０から通信制御部２１を介して送信されてきた面順次の網点画像データ（印刷版に対応したＹ，Ｍ，Ｃ，ＢＫにそれぞれ分離されたデータ）を、ＲＩＰレシーバ２２３ａで入力された後、データ並べ替え部２２３ｂで露光部の複数ビーム本数の１走査分のデータの並びに変換する。そして、変換された網点画像データを、ディスクコントロールＣＰＵ２２１ａが、各色毎のディスクユニット２２１Ｙ、２２１Ｍ、２２１Ｃ、２２１Ｂｋに１画面分ずつ蓄積する。
【０２００】
そして、各色の網点画像データの蓄積時が完了した時点で、ディスクコントロールＣＰＵ２２１ａは、各々の色専用のディスクユニット２２１Ｙ、２２１Ｍ、２２１Ｃ、２２１Ｂｋから同時並列的に網点画像データを読み出していくようにする。この各色の網点画像データは、それぞれの出力バッファＢ２２１Ｙ、Ｂ２２１Ｍ、Ｂ２２１Ｃ、Ｂ２２１Ｂｋで一定容量ずつ記憶された状態で読み出される。
【０２０１】
同時並列的に読み出された各色の網点画像データは、さらに、出力バッファ２２４ａで一定容量ずつ記憶された状態で、ＤＯＩＦ２２４ｂを経由してパラレルデータとして露光部の制御部に出力される。
【０２０２】
この実施の形態では、各色のディスクユニット２２１Ｙ、２２１Ｍ、２２１Ｃ、２２１Ｂｋから読み出された網点画像データをそれぞれの出力バッファＢ２２１Ｙ、Ｂ２２１Ｍ、Ｂ２２１Ｃ、Ｂ２２１Ｂｋが一時的に記憶することにより、各ディスクユニット内のＨＤＤ（Ｄ２２１Ｙ、Ｄ２２１Ｍ、Ｄ２２１Ｃ、Ｄ２２１Ｂｋ）の読み出し速度の変動が吸収されるため、複数色の面順次の画像データを受けて該複数色の画像データを用いて複数色並行して画像記録する際の生産性向上を図ることができる。
【０２０３】
また、この実施の形態では、各色のディスクユニット２２１Ｙ、２２１Ｍ、２２１Ｃ、２２１Ｂｋから読み出された網点画像データを出力バッファ２２４ａが一括して記憶することにより、第１のディスクアレイユニット２２１全体の読み出し速度と露光部の露光速度（制御部のデータ出力速度と）の差または変動が吸収されることになるため、複数色の面順次の画像データを受けて該複数色の画像データを用いて複数色並行して画像記録する際の生産性向上を図ることができる。
【０２０４】
また、各ディスクユニット内の個々の出力バッファＢ２２１Ｙ、Ｂ２２１Ｍ、Ｂ２２１Ｃ、Ｂ２２１Ｂｋの後に出力バッファ２２４ａが設けられているので、各ディスクユニット内のＨＤＤ（Ｄ２２１Ｙ、Ｄ２２１Ｍ、Ｄ２２１Ｃ、Ｄ２２１Ｂｋ）の読み出し速度の変動が吸収されると共に、第１のディスクアレイユニット２２１全体の読み出し速度と露光部の露光速度（制御部のデータ出力速度と）の差または変動が吸収されることになるため、さらに良好な結果が得られる。
【０２０５】
ところで、近年ＨＤＤの容量が大きくなってきている。このため、各色の網点画像データを蓄積する際、複数画面分の網点画像データを蓄積することが可能になる。たとえば、各色の１枚分の網点画像データの容量が５００Ｍバイト、使用するＨＤＤの容量が４Ｇバイトであるとすると、８枚分の網点画像データの蓄積が可能になる。
【０２０６】
これに対し、例えば、オペレーティングシステムのデフォルトで処理させると、ＨＤＤに網点画像データをランダムに記憶され、ハードディスクＨＤの中心端のトラックの次に外周端のトラックにデータが記憶されたり、これと逆の順に記憶されたりすることも起こり、ＨＤＤのヘッドが半径方向に最大移動距離移動しなければならないケースも発生する。そのため、データの読み出し間隔が急に非常に長くなる危険性が高かった。
【０２０７】
そこで、本実施の形態の画像データ記憶装置２２では、予め、ＨＤＤを、使用するＨＤＤの容量と網点画像データの容量とから記録可能な枚数分の物理的記憶領域に物理的に分割しておく。
【０２０８】
物理的記憶領域を８領域に物理的に分割して、１枚分の網点画像データは１つの物理的記憶領域だけに実質的に物理的に連続して記憶される。従って、ＨＤＤのヘッドＨは殆ど移動せず、最大でも１つの物理的記憶領域の半径方向の幅Ｌｍｉｎだけ移動すればよいので、そのため、データの読み出し間隔や書き込み間隔が急に非常に長くなる危険性が殆どない。また、実質的に物理的に連続して記憶されるので、順番に記憶されるデータがハードディスクＨＤの回転方向Ｒｏに離れた位置に飛んで記憶されることが少なくなり、離れた位置に飛んで記憶されるために起きるデータの読み出し間隔や書き込み間隔が急に長くなる危険性が低い。なお、経時変化などにより、書き込み不良のセクタが生じるので、その場合は、そのセクタを飛ばして離れた位置にデータを記憶することになる。
【０２０９】
そして、以上の説明において、各色の網点画像データを蓄積する際に、どの領域を使用したかをディスクコントロールＣＰＵ２２１ａ、２２２ａが管理しておき、各ＨＤＤの物理的記憶領域を順番に使用するような制御を行う。このような循環使用をすることで、ＨＤＤの全体の領域が均等に使用されることになり、磁気ディスクの摩耗や不良の発生を最小限に抑えることができる。したがって、安定した画像記録を実現することができる。
【０２１０】
なお、ＨＤＤは使用するにつれて、磁気ディスク上に正常に使用できない物理的記憶領域が出現することがある。そこで、ディスクコントロールＣＰＵ２２１ａ、２２２ａが各ＨＤＤの物理的記憶領域について不良検出プログラム等の実行によって不良検出を行うようにする。そして、不良が検出された物理的記憶領域については、使用をしないような制御を行う。この場合、以上の循環使用の際に不良が検出された物理的記憶領域をスキップさせるようにすることが望ましい。
【０２１１】
また、以上のような不良検出プログラムの実行ではなく、実際の網点画像データの読み出しの際の読み出し速度から不良を検出することも可能である。この場合、読み出し速度の各色間でのばらつき、読み出し速度の経時的変化、読み出し速度の絶対値が所定値以下に低下する、といったことを基準として不良の検出が可能である。そして、この場合も、不良が検出された物理的記憶領域を使用しないような制御を行えばよい。なお、このような不良の読み出し速度の検出については、ディスクコントロールＣＰＵ２２１ａ、２２２ａが読み出し速度を直接的に監視し、読み出し速度が遅い物理的記憶領域を使用しないようにしてもよいし、いずれかの出力バッファＢ２２１Ｙ、Ｂ２２１Ｍ、Ｂ２２１Ｃ、Ｂ２２１Ｂｋ、Ｂ２２２Ｙ、Ｂ２２２Ｍ、Ｂ２２２Ｃ、Ｂ２２２Ｂｋが空になったことを示すフラグを利用して、フラグが立った出力バッファに接続されていたＨＤＤの当該画像データが記憶されていた物理的記憶領域を使用しないように制御するようにしてもよい。
【０２１２】
なお、以上の説明では、画像データ記憶装置２２を画像記録装置２０に内蔵させた画像システムの状態で示したが、網点画像データ生成装置に内蔵させた画像システムでも、以上の説明と同様な効果が得られる。また、網点画像データ生成装置と画像記録装置との間に単独で画像データ記憶装置を設置しても、以上の説明と同様な効果が得られる。
【０２１３】
この例では、ディスクコントローラ２２１、２２２の２個を設け、一方の画像データが読み出されている時に、他方のディスクコントローラに画像データを書き込む処理を行なうことができ、画像記録の生産性が向上する。
【０２１４】
（画像データ記憶装置のハードディスクアレイ）
前記画像データ記憶装置の２つの例に共通するハードディスクアレイについて説明する。ハードディスクＨＤを用いる場合、複数のハードディスクＨＤを並列に駆動するディスクアレイ構成をとると効果的である。この場合、網点データを複数のハードディスクＨＤに対して並列に読み出し／書き込み（Ｒ／Ｗ）できるので、理論上、ディスクアクセス時間はハードディスク数に反比例して短かくなっていく。
【０２１５】
即ち、ＨＤ数は多ければ多いほどよいが、カラープルーフに用いられる網点画像データがＹ（イエロー），Ｍ（マゼンタ），Ｃ（シアン），Ｋ（ブラック）の４色からなることに鑑み、４つのＨＤで構成すると効果的である。
【０２１６】
即ち、網点画像データの書き込み時には、各々の色専用のハードディスクＨＤに書き込んでいき、読み出し時には４つのハードディスクＨＤから同時並列的に網点画像データを読み出していくようにする。
【０２１７】
以上、説明した実施の形態例によれば、画像データ記憶装置内の各ハードディスクへの同時（並列）の読み出しが可能となり、画像記録装置２０への高速なデータ転送が行なえる。また、これに伴い、画像記録装置２０における感光材料上への網点画像記録処理も高速化が可能となるので、相乗的な出力速度向上が可能となる。
【０２１８】
なお、上記のようなハードディスクＨＤ等の磁気記録媒体に代表されるデータ記憶媒体は、汎用コンピュータ上のオペレーティングシステム（ＯＳ）によって、データの読み出し／書き込みを制御するが、書き込み時には単一のデータであっても、媒体上の物理的にランダムな領域（空き領域）に分割して書き込み、読み出し時にはそれぞれの位置を検索しながら少量ずつ読み出しているのが実体である。
【０２１９】
なお、ディスク上における画像データの再配置を行う際には、単一のデータが、記憶ハードディスク上の０〜９までのランダムな領域に記憶されている場合に、入力データは、ランダムな０〜９までの領域に分割して格納される。従って、画像記録時に画像データを読み出す際には、それぞれの位置を検索しながら少量ずつ読み出す必要がある。
【０２２０】
この状態で書き込みと消去を繰り返していると、空き領域が記憶媒体上の広い範囲で少量ずつ分布することになる。この結果、記憶媒体への物理的なアクセスを行なうヘッドの移動距離が非常に長くなることにより、読み出し／書き込み時間の遅延が発生する。
【０２２１】
従って、本実施の形態では、汎用コンピュータ上のＣＰＵ等の制御手段から、ＯＳを介さずに直接的に記憶媒体の物理的動作を制御する指示（ＳＣＳＩコマンド等）を出すことにより、記憶媒体上に物理的にほぼ連続してデータを書き込み、かつほぼ連続的に読み出すことが可能となる。
【０２２２】
加えて、ハードディスクの空き領域をまとめて、まとめた領域に連続的に画像データを書き込んでいることが分かる。
【０２２３】
ＯＳを介したデータ読み出し速度が平均２〜３ＭＢ／ｓｅｃ・ＨＤであるのに対し、本実施の形態では、６〜７ＭＢ／ｓｅｃ・ＨＤ程度を実現することができる。なお、上記指示の内容とは、書き込み、読み出しの起点位置、書き込み／読み出し量等の指示情報である。
【０２２４】
書き込みの起点位置は、必ずしも記憶媒体上の記憶領域開始位置でなくてもよく、予め定められるか或いは記憶媒体利用状況に応じて自動的に変動する、記憶媒体上の任意の記憶位置であってもよい。
【０２２５】
従来システムの画像記録装置では、出力用網点データが上位装置から転送されるのを待ちながら感光材料上への記録を行なっており、当該待ち機構の精度向上のため、構成の複雑化とシステム全体の高コスト化を招いていたが、本実施の形態による高速Ｒ／Ｗの実現により、当該待ち機構の不要化に伴い、システム全体の低コスト化が可能となる。
【０２２６】
このように、本実施の形態例によれば、画像データ記憶装置からの網点画像データ読み出し時には物理的にほぼ連続的な読み出し処理が可能となるため、ハードディスク上のアクセス時間が大幅に減少し、画像記録装置２０への転送速度（カラープルーフ作成速度）が大幅に向上する。
【０２２７】
この結果、従来必要であった画像記録装置２０におけるデータ待ち機構が不要となり、システム全体の低コスト化が可能となる。
【０２２８】
（本実施の形態の特徴的構成１：画像データ記憶装置における省エネルギー制御系）
ここで、本実施の形態の第１の特徴、すなわち、画像データ記憶装置を停止制御する場合の省エネルギー制御機能の制御系の具体的構成について図１０を用いて説明する。図１０は、画像データ記憶装置２２における省エネルギー機能を形成するための制御系の構成の一例を概念的に示した説明図である。
【０２２９】
なお、パワーマネジメント機能は、前述したように「ノーマルコントロールモード」、「セーブコントロールモード」、「スリープコントロールモード」の各々の３つのモードを有するが、このうち、ＨＤＤの停止制御は、「セーブコントロールモード」、「スリープコントロールモード」に関連する制御である。
【０２３０】
因みに、「ノーマルコントロールモード」では、現像部のスタンバイ制御により消費電力を抑制するものであり、現像部が処理可能状態で、かつ、記録材が未処理の場合に実行される省エネルギー制御で、乾燥設定温度のスタンバイ温度切換と搬送駆動停止を行うものである。
【０２３１】
前記ウエット処理後の乾燥処理を行うためのヒーターの温度調整などの他、現像部における処理液の温度調整なども行う。例えば乾燥系の温度調節については、処理してない時に、通常の設定温度よりも低い温度（例えば１０度低い温度の値）で運転し、必要温度を下げることによりパワーセーブをする。これにより、ヒータによる加熱処理において、その消費電力を低減できる。
【０２３２】
また、スタンバイ解除は、「稼動」若しくは「処理駆動」コマンドにより行われる。ここに、スタンバイ温度とは、設定温度とスタンバイ温度幅の差をいう。このスタインバイ温度幅は、メイノコントローラが管理し、設定変更が可能であり、デフォルト値は略１０度に設定されている。
【０２３３】
さらに、経時補充投入タイミングで駆動モータを起動し、搬送駆動をタイマー設定時間駆動するようにしてもよい。
【０２３４】
本実施の形態では、前記「ノーマルコントロールモード」に加えて「セーブコントロールモード」なるコントロールをも行うこととなる。
【０２３５】
「セーブコントロールモード」では、現像部のスタンバイ制御およびＨＤＤスタンバイ制御のいずれか一方又は双方（制御適用指定可能）による消費電力抑制を行うものであり、前記現像部のスタンバイ制御と併せて、予め指定された時間、オペレーションパネル、もしくは、画像データ転送が行われない場合に実行される省エネルギー制御で、画像データ記憶装置２０（ページメモリ）を構成するＨＤＤの回転停止を行う。
【０２３６】
前記ＨＤＤの回転停止までの待機時間は、ユーザー設定とし、ＨＤＤ再起動は、オペレーションパネル操作、若しくはフロントシステムからのシリアル通信アクセスが発生した場合に行われる。
【０２３７】
本実施の形態の画像記録装置２０では、画像データ記憶装置としてハードディスクを用いていおり、ハードディスク自体も複数例えば６ユニット形成されるので、前記磁気ディスクなどの各部の機構を駆動するモータを停止させることで、消費電力の低減を図ることができる。
【０２３８】
ただし、ハードディスクのディスク回転を１度停止すると、再度起動するのに相当の時間を要するので、フロントのシステムから画像データを転送しようとする場合には、前記ディスクの回転を安定させるまで受信が不可となる為相当の待ち時間を伴う。
【０２３９】
次に、「スリープコントロールモード」では、露光部においては一部のユニット（メインコントローラ１３０およびオペレーションパネルコントローラ１２６などの外部とのインターフェースに必要な部分以外）に対する電源供給のハードウエア的な遮断を行う場合、および現像部においては各部を完全に停止制御する場合、のうちいずれか一方又は双方（制御適用指定可能）による消費電力制御を行うものであり、予め指定された時間、オペレーションパネル操作、もしくは、画像データ転送が実行されなかった場合に、装置をスリープ状態へ遷移させる機能である。これにより、前記ＨＤＤのディスクの回転停止のみならず、現像部においても、現像処理液の温度調整や乾燥の温度調整などを行うことなく、全て停止状態とするものである。
【０２４０】
また、スリープ状態の解除は、オペレーンパネル操作、若しくはフロントシステムからのシリアル通信によるアクセスが発生した場合に行われる。なお、このモードでは、ウェークアップ時、ウォームアップ処理が行わるために、プリント開始までに相当の待ち時間が発生する。
【０２４１】
なお、タイマーで予め動作開始時刻を予約しておき、所定の時刻に至ると自動的に動作開始を行うモードであるモーニングスタンバイなる機能を、前記各モードについて利用することもできる。つまり、スリープ状態遷移までの待機時間はユーザー設定可能である。これにより、特定の時刻に至るまでは、通常のモードないしは待機状態となり、前記特定の時刻に至ると、予め設定された前記３つのモード「ノーマルコントロールモード」、「セーブコントロールモード」、「スリープコントロールモード」のいずれかのモードに自動変更することができる。
【０２４２】
なお、前記モーニングスタンバ機能を設定しなくとも、前のジョブと後のジョブとの画像出力間隔が空き、待機状態が長くなる事態が生じる場合も想定され得るが、そのような場合に、ある閾値以上の時間待機状態が続いた場合には、前記３つのモード「ノーマルコントロールモード」、「セーブコントロールモード」、「スリープコントロールモード」のいずれかの省エネルギーモード（パワーマネジメント）機能に自動的に切り替わり、一方、画像データの受信が開始される、ないしは、操作部からの操作入力が行われると、前記を受け始めると、前記省エネルギーモードから通常のモードに切り替わるというような制御を行う構成としてもよい。
【０２４３】
なお、この際、前記「スリープコントロールモード」では、現像液の温度調整、乾燥の温度調整等のウォーミングアップに時間のかかり、実際のプリントが開始するまでは、相当の待機時間が必要となるが、前記ハードディスクに対する画像データの受信処理は行うことができる。
【０２４４】
さらに、前記各モードの省エネルギー制御機能を実施するために、待機状態がどの位続いたのかをカウントするタイマーを設け、特定の期間待機状態が続いた後に、電源の遮断を行うようにすることもできる。
【０２４５】
ここで、本実施の形態においては、便宜的に、「ノーマルコントロールモード」、「セーブコントロールモード」、および「スリープコントロールモード」の３つのモードに構成した場合について説明するが、これに限らず、現像部をスタンバイ状態（温度調整により低温状態にする）とするのみのモード、前記画像記録装置に内蔵の記憶装置を停止させるのみのモード、現像部内の各部を完全に停止させるのみのモード、としてもよい。
【０２４６】
図１０に説明を戻すと、図１０の制御系においては、画像データ記憶装置２２、省エネルギー制御手段２８、設定情報記憶部２９を含む。
【０２４７】
画像データ記憶装置２２は、記憶装置としてその大容量性、高速性の観点からディスク型記憶装置の一例であるハードディスク装置が用いられ、複数の各ディスクアレイユニット２２１と、これら各ディスクアレイユニットを制御するメインコントロールＣＰＵ２２５と、デジタル情報を蓄えて効率良く各ディスクアレイユニットに記録再生を行うバッファ２２３ｃ（２２４ａ）と、各ディスクアレイユニット２２１のいずれかの磁気ディスクに通信制御部２１からのデータを書き込む制御を行なう書込制御部２２３と、各ディスクアレイユニット２２１のいずれかの磁気ディスクからデータを読み出し露光部に対して当該データを転送する処理を制御する読出制御部２２４と、を含んで構成される。
【０２４８】
ディスクアレイユニット２２１のＨＤＤは、データを記録する磁気記録媒体である磁気ディスクＤ２２１と、磁気ディスクＤ２２１に対して情報の記録再生を行う磁気ヘッドＤ２２１Ｃと、磁気ヘッドＤ２２１Ｃを先端に搭載し磁気ヘッドを磁気ディスクＤ２２１の任意の半径位置に位置決めするために、揺動運動、浮上等を行う各機構を備えたアクチュエータＤ２２１ｄを制御信号により駆動する（ドライバ）駆動部Ｄ２２１ｅと、磁気ヘッドＤ２２１ｃの再生信号また記録信号を検出する検出部Ｄ２２１ｄ、磁気ディスクＤ２２１ｃを回転駆動する回転駆動部Ｄ２２１ｂと、検出部Ｄ２２１ｆの出力から磁気ディスクＤ２２１に対する磁気ヘッドＤ２２１ｃの相対位置を検出し、アクチュエータＤ２２１ｄを磁気ディスクＤ２２１上の所定の位置に位置決めするための制御信号を駆動部Ｄ２２１ｅに出力し、検出部Ｄ２２１ｆの出力から読み取った信号をデジタルデータに変換し、また記録するデジタルデータを書き込むべき信号に変換し、検出部Ｄ２２１ｆに供給するコントローラである（ディスクコントロール）ＣＰＵ２２１ａとから構成される。
【０２４９】
磁気ディスクＤ２２１上には、同心円上にデータを記録するための区画としてトラックが作成され、このトラックは、セクタに分割されている。トラックは、トラック番号が内側からあるいは外側から順番に付されており、磁気ディスクＤ２２１上の記憶領域は、トラック番号とセクタ番号を指定することによって一意に特定することができる。磁気ディスクＤ２２１は、回転駆動部Ｄ２２１ｂによって一定回転数で回転駆動され、磁気ヘッドＤ２２１ｃはアクチュエータＤ２２１ｄによって位置決めされる。
【０２５０】
ＨＤＤを構成するコントローラであるＣＰＵ２２１ａは、指定されたＬＢＡ（Ｌｏｇｉｃａｌ  ｂｌｏｃｋ  Ａｄｄｒｅｓｓ）を磁気ヘッドＤ２２１ｃ、セクタに対応付け、アクチュエータＤ２２１ｄ、回転駆動部Ｄ２２１ｂを制御して位置決めし、磁気ヘッドＤ２２１ｃから磁気ディスクＤ２２１に対して記録または読み出しを行うための制御をする。
【０２５１】
アクチュエータＤ２２１ｄは、回転して目標トラック上に常に磁気ヘッドＤ２２１ｃをシーク動作、セトリング動作、トラッキング動作により位置決めする。この状態のままデータ領域に磁気ヘッドによって情報の記録再生が行われる。
【０２５２】
省エネルギー制御手段２８は、設定情報記憶部２の設定情報としてＨＤＤの停止制御を含む「セーブコントロールモード」、「スリープコントロールモード」に関連する情報を有する場合には、通信制御部２１からの要求に基づいて、各ディスクアレイユニット２２１を停止するようメインコントロールＣＰＵ２２５に対して指示する第１の省エネルギー制御部２８Ａと、設定情報記憶部２９にて所定の設定時間情報が設定されている場合には、待機状態となるとカウントを開始し、前記設定時間に至るまで（カウントアップするまで）カウントを行なうタイマー（計数手段）Ｔ２と、を含んで構成される。
【０２５３】
設定情報記憶部２９にて所定の設定時間情報が設定されている場合には、待機状態となるとカウントを開始し、前記設定時間に至り（カウントアップして）、通信制御部２１から要求がなく、操作部から操作指示がない場合に、前記第１の省エネルギー制御部２８Ａにより各ディスクアレイユニット２２１を停止するように制御する。
【０２５４】
なお、設定情報記憶部２９において所定の停止ディスクを指定することにより各ディスクアレイユニット２２１を個別に停止制御するよう第１の省エネルギー制御部２８Ａを構成するようにしてもよい。
【０２５５】
また、管理装置１０側において待ちのジョブがない場合には、管理装置１０が画像記録装置２０に対してスタンバイ要求等のコマンドを送信し、画像記録装置２０のシリアルインターフェースを有する通信制御手段を介して、前記第１の省エネルギー制御部２８Ａが、当該スタンバイ要求のコマンドを受け取ると、省電力で動作するように構成してもよい。
【０２５６】
さらに、管理装置１０の電源状態を認識するための信号線Ｃが、前記画像データの授受を行うラインとは別のラインで繋がっており、当該信号線Ｃの状態を、電源状態認識手段２１Ａ（図２）により監視することで、管理装置１０側が電源を遮断された、もしくは、前記信号線Ｃが外れる等のオフライン状態を検出した場合に、前記第１の省エネルギー制御部２８Ａが前記省エネルギー機能によるパワーセーブ運転を行うように構成してもよい。
【０２５７】
（タイマー設定）
タイマーＴ２を設定した場合には、図１０及び図１１に示すように、例えば画像データ記憶装置２２が通信制御部２１を介して画像データを受領すると書込制御部２２３は書込処理を開始する。この際、第１の省エネルギー制御部２８Ａは、タイマーＴ２のカウント値をクリアするよう制御する。
【０２５８】
次に、書込制御部２２３による画像データのディスクへの書込処理が終了すると、前記第１の省エネルギー制御部２８Ａは、タイマーＴ２のカウントを開始するように制御する。そして、書込処理終了となることで、待機状態となり前記タイマーＴ２のカウントが開始され、特定期間例えばｔ１期間終了すると、前記３つのモード、「ノーマルコントロールモード」、「セーブコントロールモード」、および「スリープコントロールモード」のうちいずれかのモードによる省電力制御が開始される。
【０２５９】
そして、例えば、プリント出力命令などに基づく画像データ記憶装置２２からの画像データ読出処理などによって読出制御部２２４が読出処理を開始すると、第１の省エネルギー制御部２８Ａは、前記省電力制御を停止して通常のモード状態に戻すとともに、タイマーＴ２のカウントをクリアするよう制御する。
【０２６０】
次に、読出制御部２２４による画像データのディスクからの読出処理が終了すると、前記第１の省エネルギー制御部２８Ａは、タイマーＴ２のカウントを開始するように制御する。そして、読出処理終了となることで、待機状態となり前記タイマーＴ２のカウントが開始され、特定期間例えばｔ１期間終了すると、前記３つのモード、「ノーマルコントロールモード」、「セーブコントロールモード」、および「スリープコントロールモード」のうちいずれかのモードによる省電力制御が開始される。
【０２６１】
このようにして、画像データの入出力（読出ないしは書込処理）に応じて通常のモードから待機状態になった場合には、直ちに省エネルギー機能に切り換えずに、設定可能なタイマーＴ２がカウントアップした、特定の期間経過後に、ハードディスクの回転の停止制御等の省エネルギー機能とすることもできる。
【０２６２】
なお、図１１の例では、書込処理と読出処理の間での待機状態において省エネルギー機能のモードとする場合について説明したが、これに限らず、前の書込処理と次の書き込みの間（いわゆるジョブとジョブとの間）に生じる待機状態や、画像データ記憶装置２２に複数のジョブの各画像データが記憶されている状態において、タイマーなどにより所定の期間経過後に画像出力を開始する（特定時間に画像データが出力されるように設定されている）場合などに生じ得る読出処理と読出処理との間に生じる待機状態などにおいても、前記タイマーＴ２による省エネルギー機能のモードに変更制御する制御を行ってもよいことは勿論である。
【０２６３】
なお、画像データ記憶装置としては、磁気ディスク装置（ハードディスク）に限らず、半導体メモリによっても構成できるが、コスト低減の観点から磁気ディスク装置の方が好ましい。
【０２６４】
ただし、磁気ディスク装置では、先に述べたように消費電力が大きくなるために、前記のようなモードによる制御を行うことが好ましいと言える。そして、省エネルギー設定を行うと、所定の時間前記磁気ディスクの回転を停止し、前記設定がなされていない場合には、常時受け入れる体制で待機することとなる。
【０２６５】
また、書込処理終了後のタイマー設定値と、読出処理終了後のタイマー設定値とを異なる値に設定できるように構成してもよい。
【０２６６】
以上のように、画像データを受信せずに、装置自体がプリント動作していない待機状態の時に、省エネルギー制御機能によってセーブ運転に切り換え、この際に、画像データ記憶装置のディスクの回転を停止し、管理装置からの画像データ受信開始要求がきた場合などの画像データをプリントするタイミングで前記画像データ記憶装置のディスクを再起動する制御を行うことにより、ハードディスクの寿命を延ばすことができる。
【０２６７】
また、スタンバイ状態に移行するまでの時間をユーザー設定できるようにして、省エネルギーの制御をするか、しないかをユーザーが選択できるようにすることで、より使う側の状態にあった形で装置運転させることができる。
【０２６８】
（本実施の形態の特徴ＩＩ：現像部の停止制御にかかる制御系）
次に、本実施の形態の第２の特徴、すなわち、省エネルギー制御機能において現像部を停止制御する場合の制御系の具体的構成について図１２を用いて説明する。図１２は、現像部における省エネルギー機能を形成するための制御系の構成の一例を概念的に示した説明図である。
【０２６９】
なお、パワーマネジメント機能は、前述したように「ノーマルコントロールモード」、「セーブコントロールモード」、「スリープコントロールモード」の各々の３つのモードを有するが、このうち、現像部の制御は、全モードに関連する制御である。
【０２７０】
図１２の制御系においては、排紙部２５、表示部２６、省エネルギー制御手段２８、設定情報記憶部２９、現像制御部５００ａ、を含む。
【０２７１】
表示部２６は、省エネルギー設定を行うための省エネルギー設定部２６ａを有し、この省エネルギー設定部２６ａにおいては、待機状態における省エネルギー機能において画像データ記憶装置２２内の各部を停止制御するなどのＨＤＤの制御を設定するための第１の設定部２６ｂと、待機状態における省エネルギー機能において現像部に対する制御を設定するための第２の設定部２６ｃと、前記タイマーによるセーブ運転切換時間を設定する切換時間設定部２６ｄと、を含んで構成される。
【０２７２】
第２の設定部２６ｃは、現像部におけるパワーセーブ時における温度を設定するための温度設定部２６ｅを含み、前記温度設定部２６ｅは、現像部５２におけるパワーセーブ時の温度を設定するための現像温度設定部２６ｆと、定着部５３におけるパワーセーブ時の温度を設定するための定着温度設定部２６ｇと、乾燥部５５におけるパワーセーブ時の温度を設定するための乾燥温度設定部２６ｈとを含んで構成される。
【０２７３】
この他、表示部２６には、所定の画面展開において、省エネルギー制御におけるパワーセーブ時の各種モードを設定するためのモード設定部２６ｉを有し、このモード設定部２６ｉにおいては、前記「ノーマルコントロールモード」を設定するための第１のモード設定部２６ｊと、前記「セーブコントロールモード」を設定するための第２のモード設定部２６ｋと、前記「スリープコントロールモード」を設定するための第３のモード設定部２６ｌと、を含んで構成される。
【０２７４】
省エネルギー制御手段２８は、前記省エネルギー設定部２６ａにおいて前記第２の設定部２６ｃないしは前記モード設定部２６ｉにおいて現像部に関する制御設定がなされた場合に、当該設定情報を設定情報記憶部２９に格納するとともに、待機状態となった場合に、前記設定情報記憶部２９の設定情報に基づいて、前記現像制御部５００ａ内の各部を制御する第２の省エネルギー制御部２８Ｂを含む。
【０２７５】
設定情報記憶部２９に記憶される設定情報としては、例えば、パワーセーブ運転に至るまでの切換時間情報、前記モード設定の情報、パワーセーブ時における現像温度、定着温度、乾燥温度等の情報が挙げられる。
【０２７６】
現像制御部５００ａは、第２露光部５１と現像部５２との間の感光材料（記録材）の搬送経路Ｌ１における搬送ローラなどの駆動を行う駆動手段Ｍ５０ａと、現像部５２と定着部５３との間の感光材料（記録材）の搬送経路Ｌ２における搬送ローラなどの駆動を行う駆動手段Ｍ５０ｂと、定着部５３と安定部５４との間の感光材料（記録材）の搬送経路Ｌ３における搬送ローラなどの駆動を行う駆動手段Ｍ５０ｃと、安定部５４と乾燥部５５との間の感光材料（記録材）の搬送経路Ｌ４における搬送ローラなどの駆動を行う駆動手段Ｍ５０ｄと、乾燥部５５と排紙部２５との間の感光材料（記録材）の搬送経路Ｌ５における搬送ローラなどの駆動を行う駆動手段Ｍ５０ｅと、これらの各駆動手段Ｍ５０ａ・Ｍ５０ｂ・Ｍ５０ｃ・Ｍ５０ｄ・Ｍ５０ｅの各部の駆動開始停止を制御する搬送制御部５００ｂと、現像部５２に供給する処理液を補充する現像補充ポンプＰ５２・定着部５３に供給する処理液を補充する定着補充ポンプＰ５３・安定部５４に供給する処理液を補充する安定補充ポンプＰ５４の各供給停止を制御する処理液供給制御部５００ｃと、現像部５２の温度を検出する現像温度センサーＳ５２に基づいて現像部５２を加熱する現像ヒータＨ５２・定着部５３の温度を検出する定着温度センサーＳ５３に基づいて定着部５３を加熱する定着ヒータＨ５３・乾燥部５５の温度を検出する乾燥温度センサーＳ５５に基づいて乾燥部５５を加熱する乾燥ヒータＨ５５および乾燥ファンＦ５５などの各部の温度調整制御を行う温度調整制御部５００ｄとを含んで構成される。
【０２７７】
上記のような構成を有する制御系において、第２の省エネルギー制御部５００ｄは、通信制御部を介しての画像データの受信もしくは操作部からの操作指示がなく待機状態である場合に省エネルギーモードとし、あるいは管理装置１０からのスタンバイ要求コマンドに基づき省エネルギーモードとし、さらには、電源状態認識手段２１Ａが管理装置１０の電源がオフであると認識した場合に省エネルギーモードとし、これら省エネルギーモードにおいて、現像制御部５００ａ内の搬送制御部５００ｂ、処理液供給制御部５００ｃ、温度調整制御部５００ｄを制御する。
【０２７８】
具体的には、第２の省エネルギー制御部２８Ｂが設定情報記憶部２９を参照して、省エネルギー機能において、「ノーマルコントロールモード」および「セーブコントロールモード」あるいは、前記第２の設定部２６ｃによる設定が設定されているものと判断した場合には、搬送制御部５００ｂにより駆動手段Ｍ５０ａ・Ｍ５０ｂ・Ｍ５０ｃ・Ｍ５０ｄ・Ｍ５０ｅを停止制御するとともに、処理液供給制御部５００ｃにより現像補充ポンプＰ５２・定着補充ポンプＰ５３・安定補充ポンプＰ５４を停止制御し、さらには、前記設定情報記憶部２９の現像温度情報に基づき温度調整制御部５００ｄにより現像ヒータＨ５２を現像処理時の温度からパワーセーブ時の設定された前記現像温度にまで低下するよう（前記現像温度が設定されていない場合には１０度程度の低温にまで下げる）温度調整し、前記設定情報記憶部２９の定着温度情報に基づき温度調整制御部５００ｄにより定着ヒータＨ５３を定着処理時の温度からパワーセーブ時の設定された前記定着温度にまで低下するよう（前記定着温度が設定されていない場合には１０度程度の低温にまで下げる）温度調整し、前記設定情報記憶部２９の乾燥温度情報に基づき温度調整制御部５００ｄにより乾燥ヒータＨ５５および乾燥ファンＦ５５を乾燥処理時の温度からパワーセーブ時の設定された前記乾燥温度にまで低下するよう（前記乾燥温度が設定されていない場合には１０度程度の低温にまで下げる）温度調整する。
【０２７９】
また、第２の省エネルギー制御部２８Ｂが設定情報記憶部２９を参照して、省エネルギー機能において「スリープコントロールモード」が設定されているものと判断された場合には、搬送制御部５００ｂにより駆動手段Ｍ５０ａ・Ｍ５０ｂ・Ｍ５０ｃ・Ｍ５０ｄ・Ｍ５０ｅを停止制御するとともに、処理液供給制御部５００ｃにより現像補充ポンプＰ５２・定着補充ポンプＰ５３・安定補充ポンプＰ５４を停止制御し、さらには、温度調整制御部５００ｄにより現像ヒータＨ５２・定着ヒータＨ５３・乾燥ヒータＨ５５・乾燥ファンＦ５５を停止制御する。
【０２８０】
また、「スリープコントロールモード」では、画像データがプリント開始する際に、完全な初期状態からウォームアップすると相当程度の時間を要するが、この現像部のウォームアップ期間中には、前記画像データ記憶装置２２のハードディスクのスピンアップは完了していることが想定されるので、前記現像部のウォームアップ時に画像データを受信することもできる。
【０２８１】
逆に、現像処理中に、前記画像データ記憶装置のハードディスクの回転を停止するような制御としてもよい。画像データ記憶装置２２は、管理装置１０から画像データを受ける場合や、実際に画像データを出力する時にのみ動作すればよいからである。
【０２８２】
なお、温度調整制御部５００ｄにより、現像部５２および定着部５３は停止制御し、乾燥部５５は特定の乾燥温度に低下させるように個別に設定制御するようにしてもよい。この場合、搬送制御部５００ｂにおいて、各部のうち駆動している部分と駆動停止する部分を個別に制御するようにしてもよいし、同様に、処理液供給制御部５００ｃにおいても各部を個別に制御するようにして、時間に応じて各部毎の制御を行うようにしてもよい。また、各部の温度調節のヒータが複数形成されている場合には、それらの各々について制御できるように構成してもよい。
【０２８３】
また、「ノーマルコントロールモード」および「セーブコントロールモード」では、乾燥部が現像工程の一番最終段であることから、搬送速度を制御することで、現像部に記録材を搬送した後に、前記乾燥部の温度を上昇させるように制御する構成としてもよい。
【０２８４】
以上のように、現像部においては、乾燥部における加熱処理が温度制御の電力消費量が大半であり、露光部においては、ハードディスクの回転による電力消費量がほぼ７割程度であり、さらには、露光部と現像部とでは、消費電力は現像部のほうが大きい（露光部は１００ｖ系で現像部は２００ｖ系）ことから、これらを停止制御することにより大幅に消費電力を低減することができる。
【０２８５】
（設定画面について）
次に、前記画像記録装置２０の表示部２６あるいは管理装置１０において設定することの可能な設定画面の表示態様の一例について、図１３〜図１５を参照しつつ説明する。
【０２８６】
先ず、図１３（Ａ）に示すように、表示部２６において設定画面６００が表示され、現在が待機中（待機状態）である旨の情報が表示されている。すなわち、管理装置１０からの画像データの受信がなく、操作部から操作入力が行われない状態である。
【０２８７】
次に、画像データが画像データ記憶装置２２などに記憶される等して、画像記録装置２０の状態が、プリント準備中となると、図１３（Ｂ）に示すように、その旨が設定画面６０１に表示され、カートリッジより記録材（感光材料）が搬出されると、前記設定画面６０１において、記録材（感光材料）の現在位置を示す矢印Ｘ１が、カートリッジ領域を示すように表示される。
【０２８８】
続いて、ドラム回転起動中には、図１３（Ｃ）に示すような設定画面６０２が表示され、さらに、ドラムに記録材が装着されると、図１３（Ｄ）に示すような設定画面６０３が表示され、ドラム付近に記録材がある旨の矢印Ｘ２が表示されている。
【０２８９】
次いで、記録材に対して露光が行われると、図１４（Ａ）に示すような設定画面６０４が表示され、図示のような矢印Ｘ３が表示される。さらに、露光された記録材が露光ユニットから排紙されると、図１４（Ｂ）に示すような設定画面６０５が表示され、図示のような矢印Ｘ４が表示される。
【０２９０】
そして、露光ユニットから現像処理ユニットに前記記録材が搬送されると、図１４（Ｃ）に示すような設定画面６０６が表示され、図示のような矢印Ｘ５が表示される。また、現像処理ユニットの第２露光部に記録材が搬送されると、図１４（Ｄ）に示すような設定画面６０７が表示され、図示のような矢印Ｘ６が表示される。
【０２９１】
一方、図１５（Ａ）に示すような待機中の設定画面６０８において、メニューキー等を押下すると、図１５（Ｂ）に示すようなセットアップメニュー画面６０９が表示される。
【０２９２】
そして、セットアップメニュー画面６０９において、省エネルギー設定部２６ａを押下すると、図１５（Ｃ）に示すように、省エネルギー設定画面６１０が表示される。
【０２９３】
省エネルギー設定画面６１０は、待機状態における省エネルギー時にＨＤＤに関する制御を設定するための第１の設定部２６ｂ、待機状態における省エネルギー時に現像に関する制御を行うための第２の設定部２６ｃ、現像部における温度設定を行うための温度設定部２６ｅ、所定の時間経過後にセーブ運転を切り換えるようセーブ運転切換時間を設定するための切換時間設定部２６ｄなどが表示形成されている。
【０２９４】
第１の設定部２６ｂは、前記ＨＤＤに関する制御を設定する旨の指示を行うＯＮボタン２６ｂａ、前記ＨＤＤに関する制御を設定しない旨の指示を行うＯＦＦボタン２６ｂｂを含んで構成されている。
【０２９５】
第２の設定部２６ｃは、前記現像部に関する制御を設定する旨の指示を行うＯＮボタン２６ｃａ、前記現像部に関する制御を設定しない旨の指示を行うＯＦＦボタン２６ｃｂを含んで構成される。
【０２９６】
前記省エネルギー設定画面６１０において、温度設定部２６ｅを押下すると、図１５（Ｄ）に示すような、現像部温度設定画面６２０が表示される。
【０２９７】
現像部温度設定画面６２０においては、パワーセーブ時の現像温度を設定するための現像温度設定部２６ｆ、パワーセーブ時の定着温度を設定するための定着温度設定部２６ｇ、乾燥温度設定するための乾燥温度設定部２６ｈなどが表示形成される。
【０２９８】
上記のような構成を有する設定画面において、先ず、図１５（Ｃ）に示すように、省エネルギー設定画面６１０において、パワーセーブ運転時にＨＤＤを停止制御し、かつ、現像部を所定の温度により温度制御するように所望する場合（前記「セーブコントロールモード」に相当する）には、ユーザーは、ＯＮボタン２６ｂａを押下するとともに、ＯＦＦボタン２６ｃｂを押下すればよい。
【０２９９】
そして、現像部におけるパワーセーブ時の温度設定を所望する場合には、温度設定部２６ｅを押下することによって、図１５（Ｄ）に示す現像部温度設定画面６２０に移り、各種現像温度、定着温度、乾燥温度等をキー６２１ａ、６２１ｂにより設定入力することとなる。図の例では、現像温度を３７．０度、定着温度を３７．０度、乾燥温度を５８．０度に設定した場合が示されている。
【０３００】
キー６２１ａ、６２１ｂにより数値を変更し、エンターキー６２１により数値の反転が解除され、変更した数値データが登録される。
【０３０１】
なお、現像温度のデータ設定範囲としては、例えば２０度〜４４．９度の範囲であることが好ましく、定着温度のデータ設定範囲としては、例えば２０度〜４４．９度の範囲であることが好ましく、乾燥温度のデータ設定範囲としては、例えば３０度〜６５度の範囲であることが好ましい。
【０３０２】
また、図１５（Ｃ）の省エネルギー設定画面６１０において、セーブ運転切換時間を設定する場合にも、切換時間設定部２６ｄにおいて数値を設定入力することにより設定することができる。
【０３０３】
因みに、パワーセーブ運転時にＨＤＤを停止制御し、かつ、現像部を停止制御するように所望する場合（前記「スリープコントロールモード」に相当する）には、ユーザーは、ＯＮボタン２６ｂａを押下するとともに、ＯＮボタン２６ｃａを押下すればよい。
【０３０４】
さらに、パワーセーブ運転時にＨＤＤを停止せずに、現像部を所定の温度に温度調整制御するように所望する場合（前記「ノーマルコントロールモード」に相当する）には、ユーザーは、ＯＦＦボタン２６ｂｂを押下するとともに、ＯＦＦボタン２６ｃｂを押下すればよい。
【０３０５】
なお、前述の例においては、ＨＤＤの制御、現像部の制御を個別に設定するレイアウトの設定画面の例を説明したが、「ノーマルコントロールモード」、「セーブコントロールモード」、「スリープコントロールモード」として設定できるように構成しても一向に構わない。そして、各モードにおいて、前記ＨＤＤ制御、現像部制御を選択できるようにしてもよい。
【０３０６】
なお、以上の例は、画像記録装置２０の表示部２６および操作部２７によりタッチパネル式で設定される場合を例に説明したが、管理装置１０において通常のＰＣのディスプレイにてほぼ同様のレイアウトの表示画面を表示させて、設定できるように構成してよいのは勿論である。
【０３０７】
（処理手順について）
次に、上述のような構成を有する画像記録装置の処理手順について、図１５および図１６〜図１７ないし図１８を参照しつつ説明する。
【０３０８】
（省エネルギーモードの設定方法）
先ず、当該画像記録装置２０の待機モードの設定方法について、図１５（Ａ）〜（Ｄ）を用いて説明する。
【０３０９】
前述したように、当該画像記録装置２０は、所定時間、操作部２７において操作が行われることなく、またＲＩＰなど管理装置１０から画像データの送信がなかった場合には、プリント処理が可能な通常モードから待機状態となり、消費電力を低減する省エネルギーモードへと移行する。そして、先の所定時間は、表示部２６においてユーザが任意に設定することを可能とする。
【０３１０】
具体的には、図１５（Ａ）〜（Ｄ）に示すように、表示部２６の液晶パネルに表示される設定画面において待機モードへの移行時間を設定する。
【０３１１】
図１５（Ａ）に示す待機状態の設定画面６０８おいて“メニューキー”を押下すると、図１５（Ｂ）に示すようなセットアップメニュー画面６０９が表示される。ここで、省エネルギー設定部２６ａの“省エネルギー設定キー”を押下すると、次ぎに、図１５（Ｃ）に示すような省エネルギー設定画面６１０が表示される。ユーザは、この省エネルギー設定画面６１０においてＨＤＤ、コントロール制御を使用するか否か、現像部のコントロール制御を使用するか否か、温度設定などを設定し、さらにセーブ運転への切換え時間を設定する。これをもって、省エネルギーモードへの移行時間の設定が完了する。
【０３１２】
（省エネルギーモードへの移行処理）
（ＨＤＤ制御の場合）
次に、当該画像記録装置２０の待機状態への移行処理について、ＨＤＤの停止制御をする場合の処理を、図１６に示すフローチャートを用いて説明する。
【０３１３】
先ず、第１の省エネルギー制御部は、画像データを通信制御部が受信中であるか否かの判断処理を行う（Ｓ１０１）。この判断処理において、前記画像データを通信制御部が受信中であると判断した場合には、省エネルギー制御は行わずに処理を終了する。
【０３１４】
一方、前記Ｓ１０１の判断処理において、画像データが受信中であるものと判断された場合には、露光部ないしは排紙部などにおいてプリント処理が実行中であるか否かの判断処理を行う（Ｓ１０２）。この判断処理において、プリント処理が実行中であるものと判断された場合には、省エネルギー制御は行わずに処理を終了する。
【０３１５】
一方、前記Ｓ１０２の判断処理において、前記プリント処理が実行中でないものと判断された場合には、前記画像データ記憶装置２２のハードディスクの回転を停止制御する（Ｓ１０３）。
【０３１６】
次に、画像データの受信が開始されたか否かを判断する（Ｓ１０４）。この判断処理において、画像データの受信が開始されていないものと判断された場合には、前記Ｓ１０４を繰り返す。
【０３１７】
この間、画像記録装置２０は、省エネルギー状態のモード（例えば、前記ＨＤＤを停止制御する「セーブコントロールモード」、「スリープコントロールモード」などのモード）で運転されることとなる。
【０３１８】
一方、前記Ｓ１０４の判断処理において、前記画像データの受信が開始されたものと判断された場合には、前記ハードディスクの回転を起動する（Ｓ１０５）。
【０３１９】
続いて、前記ハードディスクのスピンアップが完了したか否かの判断処理を行う（Ｓ１０６）。この判断処理において、ハードディスクのスピンアップが完了していないものと判断された場合には、Ｓ１０６を繰り返す。
【０３２０】
一方、前記Ｓ１０６の判断処理において、ハードディスクのスピンアップが完了したものと判断された場合には、画像データの受信を開始する（Ｓ１０７）。
【０３２１】
このようにして、ＨＤＤの停止制御による省エネルギー運転の制御を行うことで、消費電力の低減を図ることができる。
【０３２２】
（現像部制御の場合）
次に、当該画像記録装置２０の待機状態への移行処理について、現像部の制御をする場合の処理を、図１７に示すフローチャートを用いて説明する。
【０３２３】
先ず、第２の省エネルギー制御部は、画像データを通信制御部が受信中であるか否かの判断処理を行う（Ｓ２０１）。この判断処理において、前記画像データを通信制御部が受信中であると判断した場合には、省エネルギー制御は行わずに処理を終了する。
【０３２４】
一方、前記Ｓ２０１の判断処理において、画像データが受信中であるものと判断された場合には、露光部ないしは排紙部などにおいてプリント処理が実行中であるか否かの判断処理を行う（Ｓ２０２）。この判断処理において、プリント処理が実行中であるものと判断された場合には、省エネルギー制御は行わずに処理を終了する。
【０３２５】
一方、前記Ｓ２０２の判断処理において、前記プリント処理が実行中でないものと判断された場合には、現像部において現像処理中であるか否かの判断処理を行う（Ｓ２０３）。この判断処理において、現像処理中であると判断された場合には、省エネルギー制御の運転は行わずに処理を終了する。
【０３２６】
一方、前記Ｓ２０３の判断処理において、前記現像処理中でないと判断された場合には、現像部の停止制御を行う（Ｓ２０４）。ここにおいて、前記現像部を停止制御する場合とは、前記スリープコントロールモードの場合などが挙げられる。この場合には、搬送駆動や処理液補充の供給を停止するとともに、各種ヒータなども全て停止することとなる。
【０３２７】
この他、種々のモード設定によって、現像部内の各部を個別に停止制御したり、温度制御を行ったりしてもよい。
【０３２８】
次に、画像データの受信が開始されたか否かを判断する（Ｓ２０５）。この判断処理において、画像データの受信が開始されていないものと判断された場合には、前記Ｓ２０５を繰り返す。
【０３２９】
この間、画像記録装置２０は、省エネルギー状態のモード（例えば、前記現像部を停止制御する「スリープコントロールモード」などのモード）で運転されることとなる。
【０３３０】
一方、前記Ｓ２０５の判断処理において、前記画像データの受信が開始されたものと判断された場合には、前記現像部を起動する（Ｓ２０６）。
【０３３１】
続いて、前記現像部のウォームアップが行われる一方、画像データの受信が開始される（Ｓ２０７）。
【０３３２】
このようにして、現像部の停止制御による省エネルギー運転の制御を行うことで、消費電力の低減を図ることができる。
【０３３３】
（省エネルギーモードへの移行処理）
次ぎに、当該画像記録装置２０の待機状態への移行処理について、図１８に示すフローチャートを用いて説明する。
【０３３４】
図１８に示すように、省エネルギー制御手段２８は、常時、ＲＩＰなどの管理装置１０からの画像送信要求があるか否かを判断して（Ｓ３０１）、要求があった場合には、次ぎに、当該画像記録装置２０がセーブ運転中であるか否かを判断する（Ｓ３０２）。
【０３３５】
ここで、セーブ運転中であった場合には、セーブ運転を解除、即ち、通常モードへと移行して、各ユニットへの電源供給を開始する（Ｓ３０３）。そして、ＲＩＰなどの管理装置１０からの画像データを受信中であるか否かを判断する（Ｓ３０４）。
【０３３６】
画像データの受信が完了すると、次ぎに、露光処理中であるか否かを判断する（Ｓ３０５）。露光処理が完了すると、次ぎに、排紙処理中であるか否かを判断する（Ｓ３０６）。排紙処理が完了すると、次ぎに、現像処理中であるか否かを判断する（Ｓ３０７）。
【０３３７】
以上の各判断において受信中或いは処理中であると判断された場合には、セーブ運転切換え用のタイマーＴ１による計時をリセットする（Ｓ３０８）。そして、待機中（ＲＩＰなどの管理装置１０からの画像データ送信待ち状態）であるか否かを判断する（Ｓ３０９）。
【０３３８】
ここで待機中であった場合には、次ぎに、セーブ運転切換え用のタイマーＴ１がカウント中であるか否かを判断する（Ｓ３１０）。ここでカウント中でなかった場合には、セーブ運転切換え用のタイマーＴ１による計時を開始する（Ｓ３１１）。そして、セーブ運転切換え用のタイマーＴ１がカウントアップしたか否かを判断して（Ｓ３１２）、セーブ運転切換え用のタイマーＴ１がカウントアップした場合には、省エネルギーモードに移行し、設定情報記憶部２９から如何なるモードが設定されているのか、省エネルギー設定情報を取得する（Ｓ３１３）。
【０３３９】
そして、ノーマルコントロールモードで制御される合には、現像部をスタンバイ状態とし（Ｓ３１４）、現像温度、定着温度、乾燥温度が設定されている場合には、前記現像温度、定着温度、乾燥温度を、各々設定された所定の温度となるように温度制御する（Ｓ３１５）。
【０３４０】
一方、セーブコントロールモードで制御される場合には、前記同様に、現像部をスタンバイ状態とし（Ｓ３１６）、現像温度、定着温度、乾燥温度が設定されている場合には、前記現像温度、定着温度、乾燥温度を、各々設定された所定の温度となるように温度制御する（Ｓ３１７）。さらに加えて、ＨＤＤの磁気ディスクの回転駆動を停止させる制御を行う（Ｓ３１８）。
【０３４１】
また、スリープコントロールモードで制御される場合には、一部ユニットの電源供給を遮断する（Ｓ３１９）とともに、現像部の各部を停止させる（Ｓ３２０）。なお、現像部の各部を停止させずに、現像温度、定着温度、乾燥温度を各々所定の温度にするように設定してある場合には、各々個別に温度制御するようにしてもよい。
【０３４２】
以上をもって、省エネルギーモードへの移行処理は完了するが、省エネルギー制御手段は、操作部２７において操作が行われた場合、若しくは、ＲＩＰなどの管理装置２０から新たな画像データの送信があった場合には、省エネルギーモードから通常のモードへモードを切換える処理を行う。
【０３４３】
以上のように本実施の形態によれば、画像記録装置が画像データの受信及び、記録を実行していない状態（アイドル状態）の時に、画像メモリであるハードディスクのディスク回転を停止させることにより、待機時の消費電力をセーブすることが可能で、装置ランニングコストの抑制にも効果がある。さらに、画像データの受信を開始する場合は、ディスクの回転起動が必要であるが、比較的短期間で受信可能状態とすることができる。
【０３４４】
また、ハードディスク装置のディスク回転を停止することにより、当該装置の寿命を延ばすことができる。
【０３４５】
さらに、装置がアイドル状態となってから消費電力セーブ運転に切り換えるまでの時間カウント手段とタイマー値設定を可能とすることで、効率のよい消費電力セーブ運転を行うことができる。
【０３４６】
また、タイマー設定値を変更することで、使用条件に応じた効率的な電力セーブが実現できる。
【０３４７】
装置運転期間における画像データ受信開始時のディスク回転起動回数を抑制可能である為、瞬発性を確保しつつ待機時電力のセーブが可能で装置ランイングコスト抑制効果もある。
【０３４８】
さらに、消費電力セーブ運転の実行有無を設定可能とすることで、効率の良い消費電力セーブ運転を行うことが可能である。また、使用条件に応じて設定を変更することで、瞬発性を損なう事なく装置運転することも可能なる。
【０３４９】
また、画像データ転送元である管理装置の指示により消費電力セーブ運転を行うことで、瞬発性を損なうことなく効率的な制御が可能となる。
【０３５０】
さらに、画像データ転送元である管理装置の電源情報により消費電力セーブ運転を行うことにより、瞬発性を損なうことなく効率的な制御が可能となる。
【０３５１】
また、画像出力装置で最も待機時消費電力が大きい現像装置（ヒータ系による温度調整制御が実行されている）を停止状態とすることで大幅な消費電力低減が可能である。
【０３５２】
さらに、タイマー設定値を変更することで、使用条件に応じた効率的な電力セーブが実現できる。
【０３５３】
また、画像出力装置で最も待機時消費電力の大きい現像装置（ヒータ系による温度調整制御が実行されている）を停止状態とすることで大幅な消費電力低減が可能である。
【０３５４】
さらに、同制御実行有無を選択可能である為、使用条件に応じて電力セーブ優先か瞬発性優先かを使い分けることが可能である。
【０３５５】
また、画像データ転送元である管理装置の電源情報により消費電力セーブ運転を行うことで、瞬発性を損なうことなく効率的な制御が可能となる。
【０３５６】
さらに、画像データ転送元である管理装置の電源情報により消費電力セーブ運転を行うことで、瞬発性を損なうことなく効率的な制御が可能となる。また、装置電源遮断忘れに対しても効果的である。
【０３５７】
以上に説明したように、本実施形態における画像記録装置によれば、通常モードから待機モードへ移行する際に、外部インターフェースを有するユニット以外、或いは、ウォームアップ処理を必要するユニット以外への電力供給が遮断されるので、待機時の消費電力をより低減することができる。また、待機モードへ移行する時間をユーザが任意に設定することもできる。
【０３５８】
以上に説明したように、本発明に係る画像記録装置によれば、待機モードにおいて、外部インターフェースを有するユニット以外の電力供給が遮断されるので、待機時の消費電力をより低減することができる。また、待機モードへ移行する時間をユーザが任意に設定することができる。
【０３５９】
以上に説明したように、本発明に係る画像記録装置によれば、待機モードにおいて、ウォームアップ処理を必要するユニット以外への電力供給が遮断されるので、待機時の消費電力をより低減することができる。また、待機モードへ移行する時間をユーザが任意に設定することができる。
【０３６０】
［第２の実施の形態］
次に、本発明にかかる第２の実施の形態について、図１９に基づいて説明する。なお、以下には、前記第１の実施の形態の実質的に同様の構成に関しては説明を省略し、異なる部分についてのみ述べる。図１９は、本実施の形態のカラープルーフ作成システムにおける全体の処理手順を示すネットワークシーケンス図である。
【０３６１】
上述の第１の実施の形態では、画像記録装置２０において予め省エネルギーのモードを設定しておき、これらのモードを設定した場合における画像記録装置２０の処理状態に応じて省エネルギーモードとする処理について説明したが、本実施の形態では、管理装置１０からセーブ運転を指示する管理装置主導型の場合について開示している。
【０３６２】
（画像記録装置と管理装置とのデータ通信方法）
以下、画像記録装置２０と管理装置１０とのプリント処理に関する基本的なデータ通信方法について、図１９に示すシーケンス図を用いて説明した後、画像記録装置から管理装置へこれらの装置情報を送信するタイミングの一例について、図２０に示すシーケンス図を用いて説明する。
【０３６３】
具体的には、図１９に示すように、管理装置１０からセーブ運転解除要求を画像記録装置２０に対して送信し（Ｓ４０２）、当該セーブ運転解除要求を画像記録装置２０が受領すると、当該受領に対するコマンド応答を前記管理装置１０に対して送信する（Ｓ４０２）。
【０３６４】
さらに、画像記録装置２０は、前記セーブ運転解除要求に基づいて、セーブ運転解除処理を行う（Ｓ４０３）。
【０３６５】
続いて、セーブ運転解除処理が行われると、画像記録装置２０は、管理装置１０に対してスタンバイ完了通知を送信し（Ｓ４０４）、当該スタンバイ完了通知が管理装置１０において受領されると、管理装置１０は、画像記録装置２０に対してコマンド応答を送信する（Ｓ４０５）。
【０３６６】
次に、管理装置１０は、画像記録装置２０に対して画像データ出力要求を送信し（Ｓ４０６）、当該画像データ出力要求が前記画像記録装置２０において受信されると、画像記録装置２０は管理装置１０に対してコマンド応答を送信する（Ｓ４０７）。
【０３６７】
さらに、管理装置１０は、画像記録装置２０に対して、画像情報通知を送信し（Ｓ４０８）、当該画像情報通知が前記画像記録装置２０において受領されると、画像記録装置２０は、管理装置１０に対してコマンド応答を送信する（Ｓ４０９）。
【０３６８】
次いで、前記コマンド応答が管理装置１０において受領されると、画像データ出力が行われ、画像データが管理装置１０から画像記録装置２０に対して送信させることとなる（Ｓ４１０）。
【０３６９】
前記画像データが画像記録装置２０において受領されると、前記画像データ記憶装置のＨＤＤにデータがストアされる（Ｓ４１１）。
【０３７０】
そして、管理装置１０は、画像データ出力完了通知を前記画像記録装置２０に対して送信し（Ｓ４１２）、当該画像データ出力完了通知が前記画像記録装置２０において受領されると、画像記録装置２０は、コマンド応答を前記管理装置１０に対して送信する（Ｓ４１３）。
【０３７１】
次いで、画像記録装置２０は、プリント準備を開始し（Ｓ４２１）、プリント処理を行い（Ｓ４２２）、排紙処理を行い（Ｓ４２３）、さらに現像処理を行う（Ｓ４２４）。
【０３７２】
この際、図２０に示すように、管理装置１０にプリント処理の準備を開始した旨のステータス信号を送信する。これを受けた管理装置１０は、その内容を自身のＨＤＤ等の記憶手段に記憶する。
【０３７３】
さらに、プリント準備を行い（Ｓ４２１）、プリント処理の準備が完了すると、画像記録装置２０は、管理装置１０にプリント処理の準備が完了した旨のステータス信号を送信する。
【０３７４】
これを受けた管理装置１０は、その内容を自身のＨＤＤ等の記憶手段に記憶する。そして、プリント処理が行われると（Ｓ４２２）、画像記録装置２０は、管理装置１０に画像データのサイズに関する情報を含む信号を送信する。
【０３７５】
これを受けた管理装置１０は、その画像データのサイズに関する情報を自身のＨＤＤ等の記憶手段に記憶する。
【０３７６】
以降、画像記録装置は、プリント処理（露光処理）、排紙処理、現像処理のそれぞれにおいて、処理を開始した旨の信号と処理が完了した旨のステータス信号を管理装置２０に送信する。
【０３７７】
そして、これを受けた管理装置１０は、その内容を自身のＨＤＤ等の記憶手段に記憶する。
【０３７８】
また、先のプリント処理（Ｓ４２２）において、光源の光量測定が行われた場合には、その測定値に関する情報を含む信号が画像記録装置２０から管理装置１０に送信され、これを受けた管理装置１０は、その内容を自身のＨＤＤ等の記憶手段に記憶する。
【０３７９】
また、これらプリント処理（Ｓ４２２）、排紙処理（Ｓ４２３）及び現像処理（Ｓ４２４）の何れかにおいて、エラーが発生した場合にも、エラー発生状況に関する情報を含む信号が画像記録装置２０から管理装置１０に送信され、これを受けた管理装置１０は、その内容を自身のＨＤＤ等の記憶手段に記憶する。
【０３８０】
そして、現像処理が完了した時に、画像記録装置２０から管理装置１０に感光材料の使用量や処理した画像データ量に関する情報を含む信号が送信され、これを受けた管理装置１０は、その内容を自身のＨＤＤ等の記憶手段に記憶する。
【０３８１】
次に、図１９に説明を戻すと、現像処理が完了すると、管理装置１０にプリント完了通知を送信する（Ｓ４３０）。
【０３８２】
当該プリント完了通知を受領すると、管理装置２０は、運行が終了した日時を自身のＨＤＤ等の記憶手段に記憶する。そして、管理装置１０は、画像記録装置２０に対してコマンド応答を送信する（Ｓ４３１）。さらに、管理装置１０は、画像記録装置１０に対してセーブ運転開始要求を送信する（Ｓ４３２）。画像記録装置２０が当該セーブ運転開始要求を受領すると、画像記録装置２０は、管理装置１０に対してコマンド応答を送信し（Ｓ４３３）、セーブ運転処理を行う（Ｓ４３４）。
【０３８３】
さらに、管理装置１０は、画像記録装置２０から送信される装置情報を受信した場合に、これを自身のＨＤＤ等の記憶手段に記憶すると共に、例えば画像記録装置２０の機体差補正データの一覧表示、装置のエラー発生前後における処理状況に関する詳細情報の表示、日間／月間／年間稼動時間等の一覧表示、感光材料の交換時期の警告表示、装置のステータス状況（処理進行状況）のリアルタイム表示、光源劣化等の時系列的変化情報の表示、光源の修理／交換時期の警告表示、現像処理液の使用量表示及び現像処理液の在庫情報の表示、感光材料の使用量の表示及び感光材料の在庫情報の表示、画像データの受信状況表示、プリント処理量の日計／月計／半期計一覧表示及び時間分布／週間分布／月間分布一覧表示等を行い、画像記録装置２０のメンテナンス管理、稼動状況管理、設定状況管理、さらには、消耗品の在庫表示等を行ってもよい。
【０３８４】
なお、画像記録装置２０から管理装置１０へ送信される装置情報は、具体的には、以下に挙げるようなものである（但し、装置情報はこれらに限られるものではない。）。
【０３８５】
１）機体差を補正する各種補正データ…（固有設定情報に該当）
２）発生エラー番号及び発生日時…（ログ情報に該当）
３）運転開始日時・・・電源投入日時…（稼動情報に該当）
４）運転終了日時・・・電源切り日時…（稼動情報に該当）
５）カートリッジ装填日時（感光材料装填日時）…（稼動情報に該当）
６）装置のステータス状況（処理進行状況）…（稼動情報に該当）
７）光源光量測定データ…（固有設定情報に該当）
８）現像処理液の補充日時及び補充量…（稼動情報に該当）
９）感光材料のプリント処理毎の給紙日時及び給紙サイズ…（稼動情報に該当）
１０）画像データ毎の受信日時及び画像データサイズ…（稼動情報に該当）
１１）画像データのプリント処理毎の処理日時及び画像データサイズ…（稼動情報に該当）
また、以上に挙げた情報を画像記録装置２０から管理装置１０へ送信するタイミングとしては、以下に記載する通りである（但し、各項目の送信タイミングはこれらに限られるものではない。）。尚、各項目の番号はそれぞれ上記装置情報と対応させてある。
【０３８６】
１）補正データの変更時
２）エラーが発生時
３）電源立上げ時
４）電源切り時
５）カートリッジ装填時
６）各処理開始／終了時
７）光源光量測定時
８）現像処理液の補充処理時
９）プリント処理完了時
１０）フロントシステムからの画像データ送信があった時
１１）プリント処理完了時
さらに、以上に挙げた装置情報を基に、管理装置１０においては、以下に記載する情報の作成やサービスの提供を行うものとする。尚、各項目の番号はそれぞれ上記装置情報及び送信タイミングと対応させてある。
【０３８７】
１）機体差補正データの情報管理
２）装置のエラー発生前後における処理状況に関する詳細情報の表示
３）、４）日間／月間／年間等の稼動時間の表示
５）感光材料の交換時期の表示
６）装置のステータス状況（処理進行状況）のリアルタイム表示
７）光源劣化等の時系列的変化情報の表示及び光源の修理／交換時期の表示
８）現像処理液の使用量表示及び現像処理液の在庫情報の表示
９）感光材料の使用量の表示及び感光材料の在庫情報の表示
１０）、１１）画像データの受信状況管理
１０）、１１）プリント処理量の期間的管理及び時間的管理、プリント処理量の日計／月計／半期計表示及び時間分布／週間分布／月間分布表示
以上のように本実施の形態によれば、管理装置側から省エネルギーモードを各画像記録装置に対して設定することができる。
【０３８８】
［第３の実施の形態］
次に、本発明にかかる第３の実施の形態について、図２１に基づいて説明する。図２１は、本発明に係る第３の実施の形態のカラープルーフ作成システムにおける全体の処理手順を示すネットワークシーケンス図である。
【０３８９】
本実施の形態では、前記第２の実施の形態において、タイマー設定が行われる場合の処理を開示したものである。
【０３９０】
具体的には、図２１に示すように、管理装置１０から画像データ出力要求を画像記録装置２０に対して送信し（Ｓ５０１）、当該画像データ出力要求を画像記録装置２０が受領すると、当該受領に対するコマンド応答を前記管理装置１０に対して送信する（Ｓ５０２）。
【０３９１】
さらに、画像記録装置２０は、前記画像データ出力要求に基づいて、セーブ運転解除処理を行う（Ｓ５０３）。
【０３９２】
続いて、セーブ運転解除処理が行われると、画像記録装置２０は、管理装置１０に対してスタンバイ完了通知を送信し（Ｓ５０４）、当該スタンバイ完了通知が管理装置１０において受領されると、管理装置１０は、画像記録装置２０に対してコマンド応答を送信する（Ｓ５０５）。
【０３９３】
次に、管理装置１０は、画像記録装置２０に対して、画像情報通知を送信し（Ｓ５０６）、当該画像情報通知が前記画像記録装置２０において受領されると、画像記録装置２０は、管理装置１０に対してコマンド応答を送信する（Ｓ５０７）。
【０３９４】
次いで、前記コマンド応答が管理装置１０において受領されると、画像データ出力が行われ、画像データが管理装置１０から画像記録装置２０に対して送信させることとなる（Ｓ５０８）。
【０３９５】
前記画像データが画像記録装置２０において受領されると、前記画像データ記憶装置のＨＤＤにデータがストアされる（Ｓ５０９）。
【０３９６】
そして、管理装置１０は、画像データ出力完了通知を前記画像記録装置２０に対して送信し（Ｓ５１０）、当該画像データ出力完了通知が前記画像記録装置２０において受領されると、画像記録装置２０は、コマンド応答を前記管理装置１０に対して送信する（Ｓ５１１）。
【０３９７】
次いで、画像記録装置２０は、プリント準備を開始し（Ｓ５２１）、プリント処理を行い（Ｓ５２２）、排紙処理を行い（Ｓ５２３）、さらに現像処理を行う（Ｓ５２４）。そして、現像処理が完了すると、タイマーをスタートする（Ｓ５２５）。
【０３９８】
続いて、画像記録装置２０において、タイマーがカウントアップしたか否かの判断処理を行う（Ｓ５２６）。この判断処理において、タイマーがカウントアップしていないものと判断された場合には、Ｓ５２６を繰り返す。一方、前記Ｓ５２６の判断処理において、前記タイマーがカウントアップしていないものと判断された場合には、画像記録装置２０は、セーブ運転処理を行う（Ｓ５２７）。
【０３９９】
以上のように本実施の形態によれば、タイマー設定による省エネルギーモードへの移行を、管理装置側から指示することができる。
【０４００】
［第４の実施の形態］
次に、本発明にかかる第４の実施の形態について、図２２に基づいて説明する。図２２は、本発明に係る第４の実施の形態の画像記録装置の制御系の構成の一例を示す機能ブロック図である。
【０４０１】
上述の第１の実施の形態では、制御系の構成として、露光ユニット、現像処理ユニットなどのユニットを制御する構成としたが、本実施の形態のように各部を個別に制御できるような制御系の構成であっても勿論よい。
【０４０２】
具体的には、図２２に示すように、制御系７００は、装置本体の各部制御を司る（ＲＩＰとの通信制御等を兼用する場合には通信制御を含むメインンコントローラ７３０と、画像データ記憶装置２２を構成するＨＤＤ（ハードディスクドライブ）の駆動制御等を行うイメージプロセッサ７２２と、光学ユニットの各部の制御を行う露光コントローラ７２３と、当該現像処理ユニットの各部の制御を行うプロセッサーコントローラ７２４と、、当該露光ユニットの各部の制御を行うプリンターコントローラ７２５と、操作部２７の制御を行うオペレーションパネルコントローラ７２６と、が設けられている。
【０４０３】
さらに、電力供給源Ｓとイメージプロセッサ７２２、プリンターコントローラ７２５、露光コントローラ７２３、プロセッサーコントローラ７２４、オペレーションパネルコントローラ７２６との間にはＳＳＲ（ＳＯＬＩＤ  ＳＴＡＴＥ  ＲＥＬＡＹ）１（７２８ａ）、ＳＳＲ２（７２８ｂ）、ＳＳＲ３（７２８ｃ）、ＳＳＲ４（７２８ｄ）、ＳＳＲ５（７２８ｅ）がそれぞれ設けられ、メインコントローラ７３０からのコントロール信号によって各部への電力供給／電力遮断が行われるように構成されている。
【０４０４】
このような構成を有する制御系７００において、メインコントローラ７３０は、当該画像記録装置２０の現像処理ユニットにおいて現像処理が完了した後、管理装置１０のデータ処理部１２などのＲＩＰからの画像データの送信待ち状態、即ち、待機状態となると、特定の期間操作部２７の操作が行われること無く、若しくは、ＲＩＰからの画像データの送信がなかった場合には、当該画像記録装置２０のモードを通常モードからパワーマネジメントによる省エネルギー制御に切換える。この省エネルギー制御には、予め省エネルギー設定部２６ａによって設定された設定の仕方に応じて各部を停止制御することが可能である。
【０４０５】
以上のように本実施の形態によれば、必要に応じて各部を停止制御することができ、より省エネルギー化を図ることが可能となる。
【０４０６】
なお、本発明にかかる装置と方法は、そのいくつかの特定の実施の形態に従って説明してきたが、当業者は本発明の主旨および範囲から逸脱することなく本発明の本文に記述した実施の形態に対して種々の変形が可能である。
【０４０７】
（各種変形例）
露光部における光学系においては、赤色レーザ光源、緑色レーザ光源（ＨｅＮｅ）、赤外レーザ光源などを構成してもよい。この際、緑色レーザ光源は、緑色レーザビームを発生して感光材料のマゼンタ発色層（Ｍ層）を感光させ、赤色レーザ光源は、赤色レーザビームを発生して感光材料のシアン発色層（Ｃ層）を感光させ、赤外レーザ光源は、赤外レーザビームを発生して感光材料のイエロー発色層（Ｙ層）を感光させる。この感光材料は、通常のカラー印画紙が青色感光イエロー発色層（Ｙ層）と、緑色感光マゼンタ発色層（Ｍ層）と、赤色感光シアン発色層（Ｃ層）とを有するのに対して、その内の青色感光イエロー発色層（Ｙ層）の青色感光を赤外感光にシフトし、赤外感光イエロー発色層にしたものである。
【０４０８】
緑色レーザ光源、赤色レーザ光源、赤外レーザ光源は、変調信号に応じて光量変調されるようになっており、緑Ｇ，赤Ｒ，赤外ＩＲの３波長のレーザビームをそれぞれ発生して、感光材料のＣＭＹ層を感光させる構成としてある。
【０４０９】
また、光学系における色数は、３に限らず、例えば、青色レーザダイオード、赤色レーザダイオード、第１の赤外レーザダイオード（発振波長７６０〜８８０ｎｍ）、第２の遠赤外レーザダイオード（発振波長９００ｎｍ以上）の４色などであってもよい。
【０４１０】
さらに、記憶部内のＬＵＴ部は、印刷の基準色すなわちＹ（イエロー）、Ｍ（マゼンタ）、Ｃ（シアン）及ＢＫ（ブラック）と、それら基準色を感光材料に露光する光源の光すなわちＢ（ブルー）、Ｒ（レッド）、ＩＲ（赤外）の強度組成との対応を規定するＬＵＴ（ルックアップテーブル）データ（であるカラーチャンネル表）を記憶している。このカラーチャンネル表は、基本色に対応したＬＵＴ、特色用のＬＵＴ等を含んでよい。
【０４１１】
なお、基準色としては、通常のカラー画像の印刷の原色であるＹ、Ｍ、Ｃ、ＢＫの４つの色や、加法混色の色の３原色であるＹ、Ｍ、Ｃの３つの色や、印刷の原色であるＹ、Ｍ、Ｃ、ＢＫの４つの色に１又は複数の特色を加えた５又はそれ以上の色などが挙げられるがこれらに限られない。なお、Ｙはイエロー（黄色）、Ｍはマゼンタ、Ｃはシアン、ＢＫは墨色（黒色）、Ｂはブルー（青色）、Ｇはグリーン（緑色）、Ｒはレッド（赤色）を意味する。
【０４１２】
ところで、感光材料に記録される画像の画像記録密度は、網点画像による階調の再現性などの観点から主走査方向及び副走査方向共に６００ｄｐｉ以上（特に１０００ｄｐｉ以上、更に１２００ｄｐｉ以上）が好ましく、また、網点画像による階調の再現性の飽和や画像記録速度や装置コストなどの観点から主走査方向及び副走査方向共に１万ｄｐｉ以下（特に５０００ｄｐｉ以下）が好ましい。主走査方向及び副走査方向の画像記録密度は、主走査方向又は副走査方向１インチの長さの中に、画像記録される画素が幾つ並んでいるかを示すｄｐｉという単位で示される。
【０４１３】
さらに、１つの網点は、１００以上（特に２００以上）の画素から記録されていることが、実際の印刷の網点に近い再現になり好ましい。また、１つの網点は、５０００以下（特に２０００以下）の画素から記録されていることが画像データの取り扱いが容易で、高速に画像データを処理でき好ましい。
【０４１４】
また、露光光の各色の１秒当たりの記録画素数は、３００万画素／秒以上（特に１０００万画素／秒以上）であることが好ましい。これにより、高速画像記録と高精細な画像記録を両立させることができる。また、露光光の各色の１秒当たりの記録画素数は、４０億画素以下（特に５億画素以下）が好ましい。これにより、駆動回路が安定し、画像記録が安定し、露光強度や露光位置が安定し、低コストで、調整が容易にしやすい。
【０４１５】
また、ハロゲン化銀写真感光材料の現像処理においては、発色現像、漂白定着、水洗又は安定化処理の各工程を順次行うものや、発色現像、漂白、定着、水洗又は安定化処理の各工程を順次行うものが好ましいが、これらに限られず、他の処理方法であってもよい。
【０４１６】
さらに、発色現像の処理温度は、３５℃以上、７０℃以下が好ましい。温度が高いほど短時間の処理が可能であり好ましいが、処理液の安定性からはあまり高くない方が好ましく、３７℃以上６０℃以下で処理することが好ましい。
【０４１７】
くわえて、発色現像時間は、従来一般には３分３０秒程度で行われているが、本発明では４０秒以内が好ましく、さらに２５秒以内の範囲で行うことがさらに好ましい。
【０４１８】
さらに、発色現像液には、の発色現像主薬に加えて、既知の現像液成分化合物を添加することが出来る。通常、ｐＨ緩衝作用を有するアルカリ剤、塩化物イオン、ベンゾトリアゾール類等の現像抑制剤、保恒剤、キレート剤などが用いられる。
【０４１９】
また、ハロゲン化銀写真感光材料は、発色現像後、漂白処理及び定着処理を施されることが好ましい。漂白処理は定着処理と同時に行なってもよい。定着処理の後は、通常は水洗処理が行なわれる。また、水洗処理の代替として、安定化処理を行なってもよい。本発明のハロゲン化銀写真感光材料の現像処理に用いる現像処理装置としては、処理槽に配置されたローラーに感光材料をはさんで搬送するローラートトランスポートタイプであっても、ベルトに感光材料を固定して搬送するエンドレスベルト方式であってもよいが、処理槽をスリット状に形成して、この処理槽に処理液を供給するとともに感光材料を搬送する方式や処理液を噴霧状にするスプレー方式、処理液を含浸させた担体との接触によるウエッブ方式、粘性処理液による方式なども用いることができる。大量に処理する場合には、自動現像機を用いてランニング処理されるのが、通常だがこの際、補充液の補充量は少ない程好ましく、環境適性等より最も好ましい処理形態は、補充方法として錠剤の形態で処理剤を添加することである。
【０４２０】
（情報記録媒体およびプログラム製品）
また、上述の実施の形態のカラープルーフ作成システム（画像記録システム）、それに用いる管理装置、画像記録装置、上流端末、サブホスト、ホスト、あるいは、デザインシステム、フロントシステム、ホストシステム、センターシステム等において処理される処理プログラム、説明された処理、方法（処理手順）及び本明細書で全般的に記述される手法並びに各種データ（例えば、各種テーブル、や演算等を行うための演算プログラムその他の情報、省電力モードにおける画面データ等）の全体もしくは各部を情報記録媒体ないしはコンピュータ可読媒体に記録した構成であってもよく、加えて当該コンピュータ可読媒体を有するコンピュータプログラム製品として形成しても一向に構わない。さらに、上述の処理プログラムを、一般のパソコンや携帯端末で動作可能な電子メールソフトに組み込んだもの、あるいは組み込んだ電子メールソフトを記録した情報記録媒体も含む。
【０４２１】
この情報記録媒体としては、例えばＲＯＭ、ＲＡＭ、フラッシュメモリ等の半導体メモリ並びに集積回路等のメモリ装置、光ディスク、光磁気ディスク（ＣＤ―ＲＯＭ・ＤＶＤＲＡＭおよびＤＶＤＲＯＭ・ＭＯ等）、磁気記録媒体＜磁気ディスク＞（ハードディスク・フロッピー（登録商標）ディスク・ＺＩＰ等）等を用いてよく、さらに、不揮発性メモリカード、ＩＣカード、ネットワーク化資源等に記録して構成して用いてよい。
【０４２２】
さらにまた、媒体の例としては、コンピュータと別のデバイスの間の無線又は赤外線送信チャンネル、コンピュータで読取可能なカード、例えばＰＣＭＣＩＡカード、別のコンピュータ又はネットワーク上のデバイスへのネットワーク接続、及び電子メール送信とウェブサイトその他に記録された情報を含むインターネットやイントラネット等にてダウンロードされた情報を一時記憶しておくもの等挙げられる。
【０４２３】
この情報記録媒体を上記各実施の形態によるシステム以外の他のシステムあるいは装置で用い、そのシステムあるいはコンピュータがこの記憶媒体に格納されたプログラムコードを読み出し、実行することによっても、上記各実施の形態と同等の機能を実現できると共に、同等の効果を得ることができる。
【０４２４】
また、コンピュータ、管理装置上で稼働しているＯＳ、情報端末、画像記録装置上のＲＴＯＳ等が処理の一部又は全部を行う場合、あるいは記憶領域から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記各実施の形態と同等の機能を実現できると共に、同等の効果を得ることができる。
【０４２５】
なお、前記本実施の形態にて説明されたプログラムは、メモリに常駐することが好ましく、実行時にＣＰＵにより読み出され、制御され、プログラムの中間記憶領域及びネットワークから取得したいかなるデータも半導体メモリを用いて達成してもよい。幾つかの例においては、プログラムの一部又は全部は、所定の記録媒体に記録してユーザーに供給し、対応する装置を介して読み出すか、あるいはモデム装置を介してユーザーがネットワークから読み出してもよい。また、ネットワークを利用した通信形態は、種々のプロトコルを採用できる。勿論これら情報処理をコンピュータにおいて実行させるためのプログラムやコンピュータにより読み出し可能な前記プログラムを記録した情報記録媒体であってよい。
【０４２６】
さらに、上述の実施の形態の「カラープルーフ作成システム」を、ある「システム」の下位階層に組み込んだシステムとして、これら全体を本発明の「システム」として構成することも一向に構わない。
【０４２７】
なお、上述のシステムが搭載される情報処理装置としては、例えばパーソナルコンピュータに限らず、各種サーバー、ＥＷＳ（エンジニアリングワークステーション）、中型コンピュータ、メインフレームなどが挙げられ、サーバーとして利用する際にはこれらをアクセス可能な端末としても利用でき、その他端末としては、携帯型情報端末、各種モバイル端末、ＰＤＡ、携帯電話機、ページャ等からも利用できる構成としても構わない。あるいは、これらの端末に表示されるアプリケーションとして改良されたものも本発明の範囲に含めることができる。
【０４２８】
さらに、前記方法（処理手順）及び本明細書で全般的に記述される手法並びに各種データベース、表示画面データの情報は、コンピュータシステムを用いて実施されてよい。このようなシステムでは、コンピュータシステム内で実行されるアプリケーションプログラムなどのソフトウェアとして、コンピュータにより実行されるソフトウェア中の命令により達成される。ソフトウェアは、前記方法を実行する部分と、コンピュータとユーザとのユーザインタフェースを管理する部分の２つの別々の部分に分割してもよい。ソフトウェアは、例えば、記憶装置を含むコンピュータ読み取り可能な媒体に格納してもよい。ソフトウェアは、コンピュータ読み取り可能な媒体からコンピュータにロードされ、コンピュータにより実行される。そのようなソフトウェア又はコンピュータプログラムが記録されたコンピュータ読み取り可能な媒体は、コンピュータプログラム製品である。コンピュータにおけるコンピュータプログラム製品の使用は、好都合な装置を達成する。
【０４２９】
なお、本実施の形態にて説明されたプログラムは、ハードディスクもしくはメモリに常駐することが好ましく、実行時にＣＰＵにより読み出され、制御される。プログラムの中間記憶領域及びネットワークから取得したいかなるデータも半導体メモリを用いて、あるいはハードディスク装置とともに用いて達成してもよい。幾つかの例においては、アプリケーションプログラムは、ＣＤ−ＲＯＭ又はフロッピー（登録商標）ディスクに記録してユーザーに供給し、対応する装置を介して読み出すか、あるいはモデム装置を介してユーザーがネットワークから読み出してもよい。
【０４３０】
さらに、ソフトウェアは、磁気テープと、ＲＯＭ又は集積回路と、光磁気ディスクと、コンピュータモジュールと別の装置との間の無線又は赤外線の伝送チャネルと、ＰＣＭＣＩＡカードなどのコンピュータ読み取り可能なカードと、電子メール伝送及びウェブサイト上などで記録された情報を含むインターネット及びイントラネットとを含むその他のコンピュータ読み取り可能な媒体からコンピュータシステムにロードすることも可能である。これまでの説明は、関連するコンピュータ読み取り可能な媒体のただの例示である。その他のコンピュータ読み取り可能な媒体も、本発明の趣旨から逸脱することなく実施することができる。
【０４３１】
さらに、本発明の実施形態は、コンピュータ産業及びデータ処理産業に適用可能であり、必ずしも特定の基準に準拠していない可能性のあるコンピュータソフトウェアアプリケーションに適用可能であることは、上述から明らかである。
【０４３２】
また、前記実施の形態の処理は、例えばＩＢＭ―ＰＣ／ＡＴ互換機、マッキントッシュコンピュータ、サンワークステーション等の通常の一般的なコンピュータを用いて実行されるのが好ましい。
【０４３３】
さらに、ＣＰＵは、様々なコマンドをメモリにセットアップする。これらコマンドは、画像データ（画素）上における合成操作、畳み込みを含む処理を実行するＲＩＰに指示する一連のコード化された指示であることが好ましい。前記処理は、一般的なマイクロプロセッサ、カスタマイズされたシグナルプロセッサ等を用いて実行されても良いプロセシングユニットを用いて実行されるコマンドセットからなるコンピュータソフトウエアとして実行され得る。
【０４３４】
コマンドセットは、処理モジュールを実行するためのコマンドセットを実行するプロセッシングユニットに接続される内部あるいは外部メモリにそのコマンドセットを格納するために、コマンドセットを記録媒体、不揮発メモリ等に格納しても良い。また、コンピュータ可読媒体例としては、フロッピー（登録商標）ディスク、磁気記憶装置あるいはハードディスク、光ディスク、光磁気ディスク、不揮発メモリカード、ネットワーク化資源が含まれる。ネットワーク化資源としては、例えば、インターネット及びイーサネット（登録商標）ネットワークのようなネットワークに対し情報を提供するクライアント／サーバシステムが含まれる。
【０４３５】
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。また、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行する場合でもよいことは言うまでもない。
【０４３６】
この場合、記憶媒体から読出されたプログラムコード自体が上述した実施の形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０４３７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施の形態の機能が実現される場合も含まれることは言うまでもない。
【０４３８】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０４３９】
さらに、上記実施形態には種々の段階が含まれており、開示される複数の構成要件における適宜な組み合わせにより種々の発明が抽出され得る。つまり、上述の各実施の形態同士、あるいはそれらのいずれかと各変形例のいずれかとの組み合わせによる例をも含むことは言うまでもない。この場合において、本実施形態において特に記載しなくとも、各実施の形態及び変形例に開示した各構成から自明な作用効果については、当然のことながらその例においても当該作用効果を奏することができる。また、実施形態に示される全構成要件から幾つかの構成要件が削除された構成であってもよい。
【０４４０】
そして、これまでの記述は、本発明の理解を容易にするために、本発明の実施の形態の一例を開示したものであり、前記実施の形態は例証するものであり制限するために記載されたものではなく、所定の範囲内で適宜変形及び／又は変更が可能である。従って、上記の実施の形態に開示された各要素は、本発明の技術的範囲に属する全ての設計変更や均等物を含む趣旨である。
【０４４１】
前記各実施の形態及び種々の変形例から把握できる請求項記載以外の技術思想（発明）について、以下のその効果とともに記載する。
【０４４２】
画像記録装置が画像データの受信及び、記録を実行していない状態（アイドル状態）の時に、画像メモリであるハードディスクのディスク回転を停止させることにより、待機時の消費電力をセーブすることが可能で、装置ランニングコストの抑制にも効果がある。さらに、画像データの受信を開始する場合は、ディスクの回転起動が必要であるが、比較的短期間で受信可能状態とすることができる。
【０４４３】
また、ハードディスク装置のディスク回転を停止することにより、当該装置の寿命を延ばすことができる。
【０４４４】
さらに、装置がアイドル状態となってから消費電力セーブ運転に切り換えるまでの時間カウント手段とタイマー値設定を可能とすることで、効率のよい消費電力セーブ運転を行うことができる。
【０４４５】
また、タイマー設定値を変更することで、使用条件に応じた効率的な電力セーブが実現できる。
【０４４６】
装置運転期間における画像データ受信開始時のディスク回転起動回数を抑制可能である為、瞬発性を確保しつつ待機時電力のセーブが可能で装置ランイングコスト抑制効果もある。
【０４４７】
ハードディスク装置のディスク回転を停止することにより、当該装置の寿命を延ばすことができる。
【０４４８】
くわえて、消費電力セーブ運転の実行有無を設定可能とすることで、効率の良い消費電力セーブ運転を行うことが可能である。また、使用条件に応じて設定を変更することで、瞬発性を損なう事なく装置運転することも可能なる。
【０４４９】
さらに、ハードディスク装置のディスク回転を停止することにより、当該装置の寿命を延ばすことができる。
【０４５０】
また、画像データ転送元である管理装置の指示により消費電力セーブ運転を行うことで、瞬発性を損なうことなく効率的な制御が可能となる。ハードディスク装置のディスク回転を停止することにより、当該装置の寿命を延ばすことができる。
【０４５１】
さらに、画像記録装置で最も待機時消費電力が大きい現像装置（ヒータ系による温度調整制御が実行されている）を停止状態とすることで大幅な消費電力低減が可能である。
【０４５２】
また、タイマ設定値を変更することで、使用条件に応じた効率的な電力セーブが実現できる。また、同制御実行有無を選択可能である為、使用条件に応じて電力セーブ優先か瞬発性優先かを使い分けることが可能である。
【０４５３】
さらに、画像データ転送元である管理装置の電源情報により消費電力セーブ運転を行うことで、瞬発性を損なうことなく効率的な制御が可能となる。
【０４５４】
くわえて、画像データ転送元である管理装置の電源情報により消費電力セーブ運転を行うことで、瞬発性を損なうことなく効率的な制御が可能となる。また、装置電源遮断忘れに対しても効果的である。
【０４５５】
なお、画像データを一時記憶する記憶装置と、当該記憶装置の画像データを順次読み出し出力して記録材上に画像データを記録する処理を行うための各機構と、を備えた画像記録装置においては、制御手段は、前記記憶装置に対する前記画像データの入力処理若しくは出力処理が行われない場合に、前記記憶装置内の各部の駆動を停止して消費電力を抑制するように制御する。
【０４５６】
また、前記制御手段は、前記管理装置からの前記入力処理又は前記出力処理に関するアクセス要求が前記通信手段にて特定の期間受信されない場合に、前記記憶装置内の各部の駆動を停止するように制御し、前記操作手段の操作入力が特定の期間行われない場合に、前記記憶装置内の各部の駆動を停止するように制御する。
【０４５７】
さらに、前記記憶装置内の各部の駆動を停止して消費電力を抑制する記憶装置停止モードと、通常の処理がなされる通常モードとを切換指定する第１省電力モード設定手段を有する場合には、前記制御手段は、前記第１省電力モード設定手段において前記記憶装置停止モードに切換えられた場合に、前記記憶装置内の各部の駆動を停止制御する。
【０４５８】
また、前記記憶装置に対する前記画像データの入力処理若しくは出力処理が完了するとカウントを開始し、前記入力処理若しくは前記出力処理が開始されると前記カウントをクリアする計数手段を有する場合には、前記制御手段は、予め設定された特定期間が経過して前記計数手段によるカウントが終了すると、前記記憶装置内の各部の駆動を停止する制御を開始する。
【０４５９】
また、前記特定期間を設定することで省電力運転に至るまでの期間を設定する期間設定手段を有する場合には、前記制御手段は、前記期間設定手段により設定された期間経過後に、前記記憶装置内の各部の駆動を停止する制御を行う。
【０４６０】
さらに、前記制御手段は、前記管理装置にて前記画像記録装置に対する画像記録処理に関するジョブがない場合に前記管理装置から送信されるスタンバイ要求を前記通信手段が受信すると、前記記憶装置内の各部の駆動を停止する制御を行う。また、前記制御手段は、前記記憶装置に一時記憶される画像データが当該記憶装置にない場合に、前記記憶装置内の各部の駆動を停止制御する。
【０４６１】
くわえて、前記管理装置との間で接続された信号線を介して前記管理装置の状態を監視することで前記管理装置の電源状態を認識する電源状態認識手段を有する場合には、前記制御手段は、前記電源状態認識手段が前記管理装置の電源状態が遮断されたないしは前記信号線が遮断された旨を認識した場合に、前記記憶装置内の各部の駆動を停止制御する。
【０４６２】
なお、前記記憶装置は、複数の磁気ディスクを含み、前記制御手段は、当該画像記録装置の処理状態に応じて、各前記磁気ディスクの各駆動動作を個別に各々停止可能に制御する。
【０４６３】
一方、波長の異なる複数の光源によって感光材料を含む記録材を感光させることで、画像データの露光記録を行う露光処理手段と、前記露光処理手段にて露光された前記記録材を現像処理する現像処理手段と、を備え、前記露光処理および現像処理により前記画像データを前記記録材に画像記録処理を行う画像記録装置においては、制御手段は、前記画像記録処理が行われない場合に、前記現像処理手段の各部を停止して消費電力を抑制するように制御する。
【０４６４】
さらに、前記制御手段は、前記管理装置からの前記画像記録処理に関するアクセス要求が前記通信手段にて特定の期間受信されない場合に、前記現像処理手段の各部を停止するように制御し、前記操作手段の操作入力が特定の期間行われない場合に、前記現像処理手段の各部を停止するように制御する。
【０４６５】
また、前記現像処理手段の各部を停止して消費電力を抑制する現像処理停止モードと、通常の処理がなされる通常モードとを切換指定する第２省電力モード設定手段を有する場合には、前記制御手段は、前記第２省電力モード設定手段において前記現像処理停止モードに切換えられた場合に、前記現像処理手段内の各部を停止するように制御する。
【０４６６】
くわえて、画像データを一時記憶し、当該記憶された画像データを順次読み出し出力して前記露光処理手段にて露光記録を行うための画像データ記憶手段と、前記画像データ記憶手段に対する前記画像データの入力処理若しくは出力処理が完了するとカウントを開始し、前記入力処理若しくは前記出力処理が開始されると前記カウントをクリアする計数手段と、を有する場合には、制御手段は、予め設定された特定期間が経過して前記計数手段によるカウントが終了すると、前記現像処理手段の各部を停止する制御を行う。
【０４６７】
さらに、前記特定期間を設定することで省電力運転に至るまでの期間を設定する期間設定手段を有する場合には、前記制御手段は、前記期間設定手段により設定された期間経過後に、前記現像処理手段の各部の駆動を停止する制御を行う。
【０４６８】
また、前記制御手段は、前記管理装置にて前記画像記録装置に対する画像記録処理に関するジョブがない場合に前記管理装置から送信されるスタンバイ要求を前記通信手段が受信すると、前記現像処理手段の各部を停止する制御を行う。
【０４６９】
さらに、前記画像データを一時記憶し、当該記憶された画像データを順次読み出し出力して前記露光処理手段にて露光記録を行うための画像データ記憶手段を有する場合に、前記制御手段は、前記画像データ記憶手段に一時記憶される画像データが当該画像データ記憶手段にない場合に、前記現像処理手段の各部を停止制御する。
【０４７０】
また、前記管理装置との間で接続された信号線を介して前記管理装置の状態を監視することで前記管理装置の電源状態を認識する電源状態認識手段を有する場合に、前記制御手段は、前記電源状態認識手段が前記管理装置の電源状態が遮断されたないしは前記信号線が遮断された旨を認識した場合に、前記現像処理手段の各部を停止制御する。
【０４７１】
くわえて、前記制御手段は、当該画像記録装置の処理状態に応じて、前記現像処理手段の各部を個別に停止制御可能であり、前記各部は、前記現像処理において前記記録材を搬送する搬送駆動部を含み、前記制御手段は、前記画像データの入力処理若しくは出力処理が行われない場合に、前記搬送駆動部を停止するように制御する。また、一部は、現像処理を行う現像部、現像された前記記録材を定着処理する定着部、現像された前記記録材を乾燥処理する乾燥部の各加熱部を含み、前記制御手段は、前記画像データの入力処理若しくは出力処理が行われない場合に、各前記加熱部を停止制御し、前記一部は、現像処理を行う現像部、現像された前記記録材を定着処理する定着部、定着処理された前記記録材を安定化処理する安定部の各処理液を各々供給する各処理液供給部を含み、前記制御手段は、前記画像データの入力処理若しくは出力処理が行われない場合に、各前記処理液供給部を停止制御する。
【０４７２】
さらに、画像データを一時記憶する画像データ記憶手段と、波長の異なる複数の光源によって感光材料を含む記録材を感光させることで、前記画像データの露光記録を行う露光処理手段と、前記露光処理手段にて露光された前記記録材を現像処理する現像処理手段と、を備え、前記露光処理および現像処理により前記画像データを前記記録材に画像記録処理を行う画像記録装置においては、制御手段は、前記画像データ記憶手段に対する前記画像データの入力処理若しくは出力処理が行われない場合に、前記現像処理手段を構成する各部のうち一部を停止するとともに、前記画像データ記憶手段内の各部の駆動を停止して消費電力を抑制するように制御する。
【０４７３】
この際、前記一部は、前記現像処理において前記記録材を搬送する搬送駆動部を含み、前記制御手段は、前記画像データの入力処理若しくは出力処理が行われない場合に、前記搬送駆動部を停止するように制御し、前記一部は、現像された前記記録材を乾燥処理する乾燥部を含み、前記制御手段は、前記画像データの入力処理若しくは出力処理が行われない場合に、前記乾燥部を現像処理時の第１の温度から当該第１の温度より低い第２の温度となるように制御する。
【０４７４】
さらに、前記画像データ記憶手段内の各部の駆動を停止し、かつ、前記現像処理手段を構成する前記搬送駆動部を停止し、前記現像処理手段を構成する前記乾燥部を前記第２の温度となるようにして消費電力を抑制するセーブコントロールモードと、通常の処理がなされる通常モードとを切換指定する第３省電力モード設定手段を有する場合には、前記制御手段は、前記第３省電力モード設定手段において前記セーブコントロールモードに切換えられた場合に、前記画像データ記憶手段内の各部の駆動を停止制御する。
【０４７５】
また、波長の異なる複数の光源によって感光材料を含む記録材を感光させることで、画像データの露光記録を行う露光処理手段と、前記露光処理手段にて露光された前記記録材を現像処理する現像処理手段と、前記画像データを記録する処理の実行ないしは各種処理を指示するための操作手段を備え、前記操作手段による操作入力に基づいて、前記露光処理および現像処理により前記画像データを前記記録材に画像記録処理を行う画像記録装置においては、制御手段は、前記画像記録処理が行われない場合に、当該操作手段以外への電力供給を遮断するとともに、前記現像処理手段の各部を停止して消費電力を抑制するように制御する。
【０４７６】
この際、前記現像処理手段の各部を停止し、かつ、前記操作手段以外への電力供給を遮断するようにして消費電力を抑制するスリープコントロールモードと、通常の処理がなされる通常モードとを切換指定する第４省電力モード設定手段を有する場合には、前記制御手段は、前記第４省電力モード設定手段において前記スリープコントロールモードに切換えられた場合に、前記現像処理手段内の各部を停止するように制御する。
【０４７７】
さらに、前記制御手段は、前記通常モードにおいて、前記記録材を現像処理する現像処理手段における現像処理において前記記録材を搬送する搬送部を停止するとともに、現像された前記記録材を第１の温度にて乾燥処理する前記現像処理手段を構成する乾燥部を前記第１の温度より低い第２の温度となるように制御する。
【０４７８】
くわえて、前記セーブコントロールモード、前記スリープコントロールモード、前記通常モードを設定可能なモード設定手段をさらに有する。この場合、前記モード設定手段は、前記セーブコントロールモード又は前記スリープコントロールモードが実行される期間を設定する期間設定手段を含む。
【０４７９】
一方、画像データを一時記憶する記憶装置備えて当該記憶装置の画像データを順次読み出し出力して記録材上に画像データを記録する画像記録装置と通信網を介して通信可能に形成された管理装置においては、管理制御手段は、前記画像記録装置の消費電力を抑制するために、前記画像記録装置の前記記憶装置内の各部の駆動を停止させるコマンドないしは信号を含む省電力運転要求を、前記画像記録装置に対して送信するように制御する。
【０４８０】
また、管理制御手段は、前記画像記録装置の消費電力を抑制するために、前記画像記録装置の前記現像処理手段の各部を停止させるコマンドないしは信号を含む省電力運転要求を、前記画像記録装置に対して送信するように制御する。さらに、前記画像記録装置の消費電力を抑制するために、前記画像記録装置の前記現像処理手段を構成する各部のうち一部を停止するとともに、前記画像データ記憶手段内の各部の駆動を停止させるコマンドないしは信号を含む省電力運転要求を、前記画像記録装置に対して送信するように制御する。
【０４８１】
くわえて、前記画像記録装置の消費電力を抑制するために、当該操作手段以外への電力供給を遮断するとともに、前記現像処理手段の各部を停止させるコマンドないしは信号を含む省電力運転要求を、前記画像記録装置に対して送信するように制御する。この際、前記管理制御手段は、前記省電力運転を解除する省電力運転解除要求を前記画像記録装置に対して送信する第１の処理と、前記画像記録装置の省電力運転を解除した上で、前記画像記録装置において前記画像データを記録して出力する画像データ出力要求を送信する第２の処理と、前記画像データを前記画像記録装置に対して送信した上で、前記画像記録装置において前記画像データの画像記録処理が完了した旨の完了通知を、前記画像記録装置より受信する第３の処理と、を含み、前記完了通知を受領すると、前記省電力運転要求を送信する。
【０４８２】
また、前記管理制御手段は、前記画像記録装置において前記画像記録処理がなされてから特定期間経過後に前記省電力運転を開始させるための通知を、前記画像記録装置において前記画像データを記録して出力する画像データ出力要求を送信する前に送信するように制御する。
【０４８３】
さらに、上記実施形態には種々の段階が含まれており、開示される複数の構成要件における適宜な組み合わせにより種々の発明が抽出され得る。つまり、上述の各実施の形態同士、あるいはそれらのいずれかと各変形例のいずれかとの組み合わせによる例をも含むことは言うまでもない。この場合において、本実施形態において特に記載しなくとも、各実施の形態及び変形例に開示した各構成から自明な作用効果については、当然のことながらその例においても当該作用効果を奏することができる。また、実施形態に示される全構成要件から幾つかの構成要件が削除された構成であってもよい。
【０４８４】
そして、これまでの記述は、本発明の理解を容易にするために、本発明の実施の形態の一例を開示したものであり、前記実施の形態は例証するものであり制限するために記載されたものではなく、所定の範囲内で適宜変形及び／又は変更が可能である。従って、上記の実施の形態に開示された各要素は、本発明の技術的範囲に属する全ての設計変更や均等物を含む趣旨である。
【０４８５】
【発明の効果】
以上説明したように本発明によれば、画像記録装置が画像データの受信及び、記録を実行していない状態（アイドル状態）の時に、記憶装置内の各部を停止させることにより、待機時の消費電力をセーブすることが可能で、装置ランニングコストの抑制にも効果がある。さらに、画像データの受信を開始する場合は、記憶装置のディスクの回転起動が必要であるが、比較的短期間で受信可能状態とすることができる。また、記憶装置のディスク回転を停止することにより、当該装置の寿命を延ばすことができる。
【０４８６】
さらに、画像記録装置で最も待機時消費電力が大きい現像処理手段を停止状態とすることで大幅な消費電力低減が可能である。
【０４８７】
また、転送元である管理装置の電源情報により消費電力セーブ運転を行うことで、瞬発性を損なうことなく効率的な制御が可能となる。なお、装置電源遮断忘れに対しても効果的である。
【図面の簡単な説明】
【図１】本発明の一実施の形態にかかるカラープルーフ作成システムの全体の概略構成の一例を示すネットワーク構成図である。
【図２】カラープルーフ作成システムの管理装置および画像記録装置の詳細な構成を示す機能ブロック図である。
【図３】図１の画像記録装置の詳細を示す外観斜視図である。
【図４】図３の画像記録装置の露光ユニットおよび現像ユニットの内部構成を表す断面図である。
【図５】図１の画像記録装置の電力供給に関する制御系の構成を表す機能ブロック図である。
【図６】図５の各部の詳細を示す機能ブロック図である。
【図７】図１の画像記録装置の露光部の制御系の構成を示すブロック図である。
【図８】図１の画像記録装置の現像部の制御系の構成を示すブロック図である。
【図９】図１の画像記録装置に内蔵される画像データ記憶装置の構成を示す機能ブロック図である。
【図１０】図１の画像記録装置の省エネルギー制御の制御系の概略構成を示す機能ブロック図である。
【図１１】タイマーが設定される場合の制御タイミングを示す説明図である。
【図１２】図１の画像記録装置の省エネルギー制御の制御系の概略構成を示す機能ブロック図である。
【図１３】同図（Ａ）〜（Ｄ）は、図１の画像記録装置の表示部に表示される設定画面の表示態様の一例を示す説明図である。
【図１４】同図（Ａ）〜（Ｄ）は、図１の画像記録装置の表示部に表示される設定画面の表示態様の一例を示す説明図である。
【図１５】同図（Ａ）〜（Ｄ）は、図１の画像記録装置の表示部に表示される設定画面の表示態様の一例を示す説明図である。
【図１６】本発明の一実施の形態にかかる画像記録装置の処理手順の一例を示すフローチャートである。
【図１７】本発明の一実施の形態にかかる画像記録装置の処理手順の一例を示すフローチャートである。
【図１８】本発明の一実施の形態にかかる画像記録装置の処理手順の一例を示すフローチャートである。
【図１９】本発明の一実施の形態にかかるカラープルーフ作成システムの処理手順の一例を示すネットワークシーケンス図である。
【図２０】本発明の一実施の形態にかかるカラープルーフ作成システムの処理手順の一例を示すネットワークシーケンス図である。
【図２１】本発明の一実施の形態にかかるカラープルーフ作成システムの処理手順の一例を示すネットワークシーケンス図である。
【図２２】本発明の一実施の形態にかかる画像記録装置の制御系の概略構成の一例を示す機能ブロック図である。
【符号の説明】
１  カラープルーフ作成システム
２  上流端末
３  画像処理装置
４  サブホスト
５  ホスト
１０  管理装置
１１  入力部
１２  データ処理部
１３  転送制御部
１４  記憶部
１５  操作部
１６  表示部
１８  管理制御部
２０  画像記録装置
２１  通信制御部
２２  画像データ記憶装置
２３  露光部
２４  現像部
２５  排紙部
２６  表示部
２６ａ  省エネルギー設定部
２７  操作部
２８  省エネルギー制御手段
２９  設定情報記憶部
３０  制御部
４０  露光ユニット
５０  現像処理ユニット
【図１】
2004166094.tif 000003
【図２】
2004166094.tif 000004
【図３】
2004166094.tif 000005
【図４】
2004166094.tif 000006
【図５】
2004166094.tif 000007
【図６】
2004166094.tif 000008
【図７】
2004166094.tif 000009
【図８】
2004166094.tif 000010
【図９】
2004166094.tif 000011
【図１０】
2004166094.tif 000012
【図１１】
2004166094.tif 000013
【図１２】
2004166094.tif 000014
【図１３】
2004166094.tif 000015
【図１４】
2004166094.tif 000016
【図１５】
2004166094.tif 000017
【図１６】
2004166094.tif 000018
【図１７】
2004166094.tif 000019
【図１８】
2004166094.tif 000020
【図１９】
2004166094.tif 000021
【図２０】
2004166094.tif 000022
【図２１】
2004166094.tif 000023
【図２２】
2004166094.tif 000024